(57)【要約】【課題】遊技興趣の低下を抑える遊技機を提供すること。【解決手段】通常演出モード、時短演出モード、および特殊演出モードを設定可能であり、第１通常演出ステージ、第２通常演出ステージ、および特殊演出モードにおいて、演出図柄の可変表示を実行することが可能である。低確率高ベース遊技状態から通常遊技状態への移行に伴って時短演出モードから特殊演出モードに変更する場合、演出図柄の表示態様を変更することがあり、通常遊技状態において通常演出モードから特殊演出モードに変更する場合、演出図柄の表示態様を変更しない。【選択図】図４４
2020028761.tif 000002
【特許請求の範囲】
【請求項１】
表示手段を用いて所定の演出を実行するための演出モードを設定可能な演出実行手段を備え、
前記演出実行手段は、
前記演出モードとして、第１演出モード、第２演出モード、および特定演出モードを含む複数の演出モードの何れかを設定することがあり、
前記第１演出モード、前記第２演出モード、および前記特定演出モードのそれぞれにおいて、前記表示手段に、演出図柄を可変表示することが可能であり、
前記第１演出モードを設定しているときに前記第１演出モードから前記特定演出モードに変更するときと、前記第２演出モードを設定しているときに前記第２演出モードから前記特定演出モードに変更するときと、があり、
前記第２演出モードから前記特定演出モードに変更する場合に、前記演出図柄の表示態様を変更することがあり、
前記第１演出モードから前記特定演出モードに変更する場合に、前記演出図柄の表示態様を変更しないことを特徴とする遊技機。
【請求項２】
請求項１に記載の遊技機であって、
第１の遊技状態、および第２の遊技状態を含む複数の遊技状態の何れかを設定することが可能な遊技状態制御手段をさらに備え、
前記遊技状態制御手段は、前記第２の遊技状態から前記第１の遊技状態に変更することがあり、
前記演出実行手段は、
前記第１の遊技状態において、前記第１演出モード、および前記特定演出モードの何れかを設定することがあり、
前記第２の遊技状態において、前記第２演出モードを設定することがあり、
前記第２の遊技状態から前記第１の遊技状態への変更に伴って、前記第２演出モードから前記特定演出モードに変更することがあり、
前記第１の遊技状態において、前記第１演出モードから前記特定演出モードに変更することがあることを特徴とする遊技機。
【請求項３】
請求項２に記載の遊技機であって、
前記第１の遊技状態は、通常の遊技状態であり、
前記第２の遊技状態は前記第１の遊技状態よりも遊技者に有利な遊技状態であることを特徴とする遊技機。
【発明の詳細な説明】
【技術分野】
【０００１】
本発明は、パチンコ遊技機等の遊技機に関する。
【背景技術】
【０００２】
従来、パチンコ遊技機では、遊技球が始動口に入球することを条件に、大当たりであるか否かの判定を行うことが可能であり、当該判定で大当たりと判定されると、遊技球を獲得可能な大当たり遊技が行われる。また、遊技者に有利な遊技状態や不利な遊技状態など、様々な遊技状態で遊技が行われる（特許文献１参照）。特許文献１に記載の遊技機では、遊技状態の変更に伴って、異なる演出モードを設定することで遊技興趣を向上させている。
【先行技術文献】
【特許文献】
【０００３】
【特許文献１】特開２０１６−６７６８２号公報
【発明の概要】
【発明が解決しようとする課題】
【０００４】
しかしながら、演出モードによる演出を行う遊技機について、遊技興趣の向上を図るために未だ改善の余地がある。
【０００５】
本発明は上記事情に鑑みてなされたものである。すなわち、その課題とするところは、遊技興趣を向上させることが可能な遊技機を提供することである。
【課題を解決するための手段】
【０００６】
本発明に係る遊技機は、
表示手段を用いて所定の演出を実行するための演出モードを設定可能な演出実行手段を備え、
前記演出実行手段は、
前記演出モードとして、第１演出モード、第２演出モード、および特定演出モードを含む複数の演出モードの何れかを設定することがあり、
前記第１演出モード、前記第２演出モード、および前記特定演出モードのそれぞれにおいて、前記表示手段に、演出図柄を可変表示することが可能であり、
前記第１演出モードを設定しているときに前記第１演出モードから前記特定演出モードに変更するときと、前記第２演出モードを設定しているときに前記第２演出モードから前記特定演出モードに変更するときと、があり、
前記第２演出モードから前記特定演出モードに変更する場合に、前記演出図柄の表示態様を変更することがあり、
前記第１演出モードから前記特定演出モードに変更する場合に、前記演出図柄の表示態様を変更しないことを特徴とする。
【発明の効果】
【０００７】
本発明によれば、遊技興趣の低下を抑えることが可能である。
【図面の簡単な説明】
【０００８】
【図１】本発明の基本的な実施形態に係るパチンコ遊技機の斜視図である。
【図２】遊技盤ユニットの正面図である。
【図３】（Ａ）は盤可動体の待機状態を説明する正面図、（Ｂ）は盤可動体の移動状態を説明する正面図、（Ｃ）は盤可動体の回転状態を説明する正面図である。
【図４】表示器類の正面図である。
【図５】遊技制御基板側の電気的な構成を示すブロック図である。
【図６】演出制御基板側の電気的な構成を示すブロック図である。
【図７】（Ａ）は普図関連判定情報を示す表であり、（Ｂ）は特図関連判定情報を示す表である。
【図８】（Ａ）は当たり判定テーブルであり、（Ｂ）は普図変動パターン判定テーブルであり、（Ｃ）は補助遊技制御テーブルである。
【図９】（Ａ）は第１大当たり判定テーブルであり、（Ｂ）は第２大当たり判定テーブルであり、（Ｃ）は大当たり図柄種別判定テーブルであり、（Ｄ）はリーチ判定テーブルである。
【図１０】特図１変動パターン判定テーブルである。
【図１１】特図２変動パターン判定テーブルである。
【図１２】第１先読み判定テーブルである。
【図１３】第２先読み判定テーブルである。
【図１４】（Ａ）は大当たり遊技制御テーブルであり、（Ｂ）は遊技状態設定テーブルであり、（Ｃ）は小当たり遊技制御テーブルである。
【図１５】（Ａ）はデモ動画の一例を示す図であり、（Ｂ）は設定画面の一例を示す図である。
【図１６】（Ａ）は第１通常用背景画像の一例を示す図であり、（Ｂ）は第２通常用背景画像の一例を示す図であり、（Ｃ）は第３通常用背景画像の一例を示す図であり、（Ｄ）は確変用背景画像の一例を示す図であり、（Ｅ）は時短用背景画像の一例を示す図である。
【図１７】（Ａ）は大当たりオープニング演出の一例を示す図であり、（Ｂ）はラウンド演出の一例を示す図であり、（Ｃ）は大当たりエンディング演出の一例を示す図である。
【図１８】リーチ無しハズレの特図変動演出の一例を表す図である。
【図１９】特図変動演出が開始してからリーチになるまでの一例を表す図である。
【図２０】Ｎリーチの一例を表す図である。
【図２１】ＳＰリーチの一例を表す図である。
【図２２】ＳＰリーチの一例を表す図であり、図２１の続きである。
【図２３】ＳＰリーチの一例を表す図であり、図２２の続きである。
【図２４】可動体演出の一例を表す図である。
【図２５】操作演出の一例を表す図である。
【図２６】保留演出の一例を表す図である。
【図２７】保留変化予告の一例を表す図である。
【図２８】保留変化予告の一例を表す図である。
【図２９】遊技制御メイン処理のフローチャートである。
【図３０】遊技制御側タイマ割り込み処理のフローチャートである。
【図３１】センサ検出処理のフローチャートである。
【図３２】センサ検出処理のフローチャートであり、図３１の続きを表す図である。
【図３３】普通動作処理のフローチャートである。
【図３４】特別動作処理のフローチャートである。
【図３５】特別図柄待機処理のフローチャートである。
【図３６】特図１変動パターン判定処理のフローチャートである。
【図３７】特別図柄変動処理のフローチャートである。
【図３８】特別図柄確定処理のフローチャートである。
【図３９】演出制御メイン処理のフローチャートである。
【図４０】１ｍｓタイマ割り込み処理のフローチャートである。
【図４１】１０ｍｓタイマ割り込み処理のフローチャートである。
【図４２】特殊用背景画像の一例を表す図である。
【図４３】（Ａ）遊技フローを説明するブロック図であり、（Ｂ）は特殊モードに係る開始条件、および終了条件の詳細を表した表である。
【図４４】演出モード用の演出図柄である。
【図４５】第１通常演出ステージから第２通常演出ステージへの切り替えの一例を表す図である。
【図４６】第２通常演出ステージから第３通常演出ステージへの切り替えの一例を表す図である。
【図４７】第３通常演出ステージから第１通常演出ステージへの切り替えの一例を表す図である。
【図４８】第１開始条件が成立することによって特殊演出モードが設定される具体例を表す図である。
【図４９】第１開始条件の成立によって設定された特殊演出モードが第１終了条件の成立によって終了する具体例を表す図である。
【図５０】第２開始条件が成立することによって特殊演出モードが設定される具体例を表す図である。
【図５１】第２開始条件の成立によって設定された特殊演出モードが第２終了条件の成立によって終了する具体例を表す図である。
【図５２】予告演出実行判定において予告演出の「実行」が選択される確率と予告演出の「不実行」が選択される確率を表す表である。
【図５３】台詞予告の一例を表す図である。
【図５４】バット予告の一例を表す図である。
【図５５】カットイン予告の一例を表す図である。
【図５６】群予告の一例を表す図である。
【図５７】タイマー予告の一例を表す図である。
【図５８】予告演出態様判定において各演出態様が選択される確率を表す表である。
【図５９】予告演出態様判定において各演出態様が選択される確率を表す表である。
【図６０】一発告知演出実行判定において一発告知演出の「実行」が選択される確率と一発告知演出の「不実行」が選択される確率を表す表である。
【図６１】受信コマンド解析処理のフローチャートである。
【図６２】受信コマンド解析処理のフローチャートであり、図６１の続きを表す図である。
【発明を実施するための形態】
【０００９】
＜基本的な実施形態＞
最初に、本発明の遊技機の特徴部分の前提となる本発明の基本的な実施形態を、図面を参照して具体的に説明する。参照される各図において、同一の部分には同一の符号を付し、同一の部分に関する重複する説明を原則として省略する。なお、以下において、記述の簡略化上、情報、信号、物理量又は部材等を参照する記号又は符号を記すことによって、該記号又は符号に対する情報、信号、物理量又は部材等の名称を省略又は略記することがある。
【００１０】
１．遊技機の構造
本発明の遊技機の基本的な実施形態であるパチンコ遊技機ＰＹ１について説明する。最初に、パチンコ遊技機ＰＹ１の構造について図１〜図３を用いて説明する。なお、以下の説明において、パチンコ遊技機ＰＹ１の各部の左右上下方向は、そのパチンコ遊技機ＰＹ１に対面する遊技者にとっての（正面視の）左右上下方向のことである。また、「前方」とはパチンコ遊技機ＰＹ１から当該パチンコ遊技機ＰＹ１に対面する遊技者に近づく方向とし、「後方」をパチンコ遊技機ＰＹ１に対面する遊技者から当該パチンコ遊技機ＰＹ１に近づく方向として、説明する。
【００１１】
図１に示すように、パチンコ遊技機ＰＹ１は、遊技盤１を含む遊技盤ユニットＹＵと、遊技盤ユニットＹＵを内部に収納した遊技機枠２とを備えている。遊技機枠２は、遊技店に固定される枠状の外枠２１と、外枠２１に取り付けられ、遊技盤ユニットＹＵが取り付けられる内枠２２と、内枠２２に回転自在に支持される前扉２３と、を備える。
【００１２】
外枠２１、内枠、および前扉２３の正面視外周形状は大体同一である。そして、外枠２１の前面に内枠２２が取り付けられている。
【００１３】
前扉２３は内枠２２に対して開閉が可能である。前扉２３は、大体中央に略縦長矩形状の大きな開口部が形成された枠状の前枠２３ｍと、その開口部に嵌め込まれた透明板２３ｔと、を備える。前扉２３が閉じられているとき、遊技盤ユニットＹＵに含まれる遊技盤１と透明板２３ｔとが対面する。透明板２３ｔは、透明な合成樹脂板で略縦長矩形状に成形されている。よって、パチンコ遊技機ＰＹ１が遊技店に設置されると、当該パチンコ遊技機ＰＹ１の前方にいる遊技者は、透明板２３ｔを通して、遊技盤１に形成された遊技領域６を視認することができる。なお、透明板２３ｔとして、透明な合成樹脂板の代わりに透明なガラス板を用いてもよい。パチンコ遊技機ＰＹ１の前方から透明板２３ｔを通して遊技領域６を視認可能であればよい。
【００１４】
前枠２３ｍの前面の右下部には、遊技球を発射させるための回転操作が可能なハンドル７２ｋが設けられている。ハンドル７２ｋが操作された量（回転角度）が、遊技球を発射させるために遊技球に与えられる力の大きさ（発射強度）に対応付けられている。よって、遊技球は、ハンドル７２ｋの回転操作に応じた発射強度で発射される。
【００１５】
また、前枠２３ｍの前面の下部には、前方に大きく突出した上皿３４と、上皿３４の直下に配された下皿３５が設けられている。上皿３４の前方側中央には、下方に押下操作可能な第１演出ボタン４０ｋが設けられている。第１演出ボタン４０ｋの操作部分は半球形に成形されている。さらに、上皿３４の上面の後方側には、ハンドル７２ｋに供給される遊技球を貯留するための供給球貯留穴３４Ａが第１演出ボタン装置４０を避けるように形成されている。また、下皿３５の上面には、供給球貯留穴３４Ａに収容しきれない余剰の遊技球を貯留するための余剰球貯留穴３５Ａが設けられている。
【００１６】
さらに、前枠２３ｍの前面の透明板２３ｔの上側、右側、および左側には、前方に突出した上側装飾体３１、右側装飾体３２、および左側装飾体３３が設けられている。上側装飾体３１の底面には、音を出力可能な一対の２つのスピーカ５２、具体的には左側に配されたスピーカ５２Ｌと右側に配されたスピーカＲ、が下方を向いて左右方向に所定距離をおいて並設されている。また、右側装飾体３２の下部には、下方に押下操作可能な第２演出ボタン４１ｋが設けられている。第２演出ボタン４１ｋの操作部分は棒状に成形されている。さらに、右側装飾体３２から上皿３４の正面右部分にかけて、および左側装飾体３３から上皿３４の正面左部分にかけて、発光可能な枠ランプ５３が設けられている。
【００１７】
なお、遊技機枠２に設けられる部材や装置の位置や数は、遊技に支障をきたさない範囲で適宜に変更可能である。
【００１８】
次に、遊技盤ユニットＹＵについて、図１に加えて図２を用いて説明する。遊技盤ユニットＹＵは、遊技盤１と、遊技盤１の背面に取り付けられた盤用演出ユニットＥＵと、を有する。最初に、遊技盤１について説明する。遊技盤１は、透明な合成樹脂板で構成されている。遊技盤１の略中央には正面視略円形の開口部１Ａが形成されている。
【００１９】
遊技盤１の前面には、開口部１Ａに沿って、略リング状のセンター装飾体６１が前方に突出して形成されている。また、センター装飾体６１の外側には、センター装飾体６１を大きく取り囲むように略リング状に形成された外レール６２と、外レール６２の左側部分とセンター装飾体６１との間で、外レール６２およびセンター装飾体６１に沿った湾曲状の内レール６３と、が形成されている。
【００２０】
そして、遊技盤１の前面において、センター装飾体６１、外レール６２および内レール６３などで囲まれた領域が遊技領域６を形成している。すなわち、遊技盤１の前面が、センター装飾体６１、外レール６２および内レール６３によって、遊技領域６とそれ以外の領域とに区切られている。また、外レール６２と内レール６３とで囲まれた領域は、発射された遊技球が遊技領域６へ向かうために通過可能な発射領域７を形成している。
【００２１】
遊技領域６は、ハンドル７２ｋの操作によって発射された遊技球が流下可能な領域であり、パチンコ遊技機ＰＹ１で遊技を行うために設けられている。なお、遊技領域６には、多数の遊技用くぎ（図示なし）が突設されている。遊技用くぎは、遊技領域６に進入して遊技領域６を流下する遊技球を、一般入賞口１０、第１始動口１１、第２始動口１２、ゲート１３、および大入賞口１４などに適度に誘導する経路を構成している。
【００２２】
遊技領域６の所定位置に一般入賞装置１０Ｄが設けられている。一般入賞装置１０Ｄには、一般入賞口１０が遊技球の入球が可能に形成されている。遊技球が一般入賞口１０へ入球すると、所定個数（第１実施形態では、３個）の遊技球が賞球として払い出される。なお、一般入賞口１０に入球した遊技球はそのまま遊技領域６の外部へ排出される。
【００２３】
また、遊技領域６におけるセンター装飾体６１の中央直下には第１始動入賞装置１１Ｄが設けられている。第１始動入賞装置１１Ｄには、第１始動口１１が遊技球の入球が可能に形成されている。第１始動入賞装置１１Ｄは作動しない非作動構造からなる。そのため、第１始動口１１は、遊技球の入球のし易さが変化せずに一定（不変）である。遊技球が第１始動口１１へ入球すると、所定個数（第１実施形態では、４個）の遊技球が賞球として払い出される。なお、第１始動口１１に入球した遊技球はそのまま遊技領域６の外部へ排出される。
【００２４】
なお、センター装飾体６１の左側部から下端部にかけて、遊技球を内部に通すワープ部６１ｗが形成されている。ワープ部６１ｗへの入口はセンター装飾体６１の左側部に形成されている。ワープ部６１ｗに入った遊技球はワープ部６１ｗの内部を通って出口から出る。ワープ部６１ｗの出口付近であってセンター装飾体６１の下端部上面には、遊技球が転動可能なステージ６１ｓが設けられている。ステージ６１ｓの先端には、遊技球を下方に導く下方誘導部６１ｙが設けられている。この下方誘導部６１ｙの直下には第１始動口１１が設けられている。
【００２５】
遊技領域６における第１始動口１１の直下には、第２始動入賞装置（所謂「電チュー」）１２Ｄが設けられている。電チュー１２Ｄには、遊技球が入球不可能な閉態様と入球可能な開態様とに変化可能な第２始動口１２が形成されている。第２始動口１２は、電チュー１２Ｄが具備する電チュー開閉部材１２ｋによって閉態様と開態様とをとる。すなわち、電チュー開閉部材１２ｋの作動によって第２始動口１２が開閉する。
【００２６】
電チュー開閉部材１２ｋは正面視略Ｌ字状部材からなり、通常は第２始動口１２を閉鎖している。電チュー開閉部材１２ｋは、前方先端面が遊技領域６と面一状態になる退避状態から前方に突出することができる。電チュー開閉部材１２ｋが前方に突出すると、電チュー開閉部材１２ｋが遊技領域６に垂直に突出した状態になり、第２始動口１２が入球可能に開放する。具体的には、電チュー開閉部材１２ｋの水平部の左端に立設された垂直部分が遊技球を受けとめられ、水平部から第２始動口１２へと導かれる。このように、電チュー開閉部材１２ｋが開状態であるときだけ遊技球の第２始動口１２への入球が可能となる。遊技球が第２始動口１２へ入球すると、所定個数（第１実施形態では、４個）の遊技球が賞球として払い出される。なお、第２始動口１２に入球した遊技球はそのまま遊技領域６の外部へ排出される。
【００２７】
また、センター装飾体６１の右側にゲート１３が設けられている。ゲート１３は、遊技球が通過可能に構成されている。遊技球がゲート１３を通過しても賞球が払い出されない。なお、ゲート１３を通過した遊技球はそのまま遊技領域６を流下する。
【００２８】
遊技領域６における第１始動入賞装置１１Ｄの右側でゲート１３の下流側には、大入賞装置１４Ｄが設けられている。大入賞装置１４Ｄには、遊技球が入球不可能な閉態様と入球可能な開態様とに変化可能な大入賞口１４が形成されている。大入賞口１４は、大入賞装置１４Ｄが具備するＡＴ開閉部材１４ｋによって閉態様と開態様とをとる。すなわち、ＡＴ開閉部材１４ｋの作動によって大入賞口１４が開閉する。
【００２９】
ＡＴ開閉部材１４ｋは正面視略横長矩形状の平板からなる可動部材であり、通常は大入賞口１４を閉鎖している。ＡＴ開閉部材１４ｋの下端部には、水平な回転軸が設けられている。ＡＴ開閉部材１４ｋはその回転軸を中心に、上端が前方へ倒れるように略９０度回転することができる。ＡＴ開閉部材１４ｋが回転すると、ＡＴ開閉部材１４ｋが遊技領域６に垂直に突出した状態になり、大入賞口１４が入球可能に開放する。このように、ＡＴ開閉部材１４ｋが開状態であるときだけ遊技球の大入賞口１４への入球が可能となる。遊技球が大入賞口１４へ入球すると、所定個数（第１実施形態では、１４個）の遊技球が賞球として払い出される。なお、大入賞口１４に入球した遊技球はそのまま遊技領域６の外部へ排出される。
【００３０】
また、遊技領域６における大入賞装置１４Ｄの下方には、その上面が左斜め下方に形成され、遊技球を第２始動口１２へ誘導する誘導経路６４が遊技領域６（遊技盤１の前面）から前方に突出して設けられている。なお、誘導経路６４の上面を転動する遊技球は、第２始動口１２の方へ向かって流下可能であるが、基本的には第１始動口１１へ入球することはできない。
【００３１】
なお、第１始動口１１、第２始動口１２、大入賞口１４、および一般入賞口１０への遊技球の入球や、遊技球のゲート１３の通過をまとめて、第１始動口１１、第２始動口１２、大入賞口１４、一般入賞口１０、およびゲート１３への「入賞」と総称する。
【００３２】
ところで、遊技球が流下可能な遊技領域６は、左右方向の中央より左側の左遊技領域６Ａと、右側の右遊技領域６Ｂと、に分けることができる。遊技球が左遊技領域６Ａを流下するように遊技球を発射させるハンドル７２ｋの操作態様を「左打ち」という。一方、遊技球が右遊技領域６Ｂを流下するように遊技球を発射させるハンドル７２ｋの操作態様を「右打ち」という。遊技領域６において、左打ちにて遊技球を発射したときに遊技球が流下可能な流路を、第１流路Ｒ１といい、右打ちにて遊技球を発射したときに遊技球が流下可能な流路を、第２流路Ｒ２という。第１流路Ｒ１および第２流路Ｒ２には、不図示の多数の遊技用くぎなども構成されている。
【００３３】
第１流路Ｒ１上には、第１始動口１１と、２つの一般入賞口１０と、が設けられている。よって、遊技者は、左打ちにより第１流路Ｒ１を流下するように遊技球を発射させることで、第１始動口１１、または、一般入賞口１０への入賞を狙うことができる。一方、第２流路Ｒ２上には、第２始動口１２と、ゲート１３と、大入賞口１４と、が設けられている。よって、遊技者は、右打ちにより第２流路Ｒ２を流下するように遊技球を発射させることで、ゲート１３、第２始動口１２、または大入賞口１４への入賞を狙うことができる。
【００３４】
なお、遊技領域６の略最下部には、遊技領域６へ打ち込まれたもののいずれの入賞口にも入賞しなかった遊技球を遊技領域６の外部へ排出する２つのアウト口１９が設けられている。また、各入賞口への入賞による賞球数は、適宜に設定することが可能である。
【００３５】
次に、遊技盤１の背面に取り付けられた盤用演出ユニットＥＵについて説明する。盤用演出ユニットＥＵは、主に演出を行う複数の装置をユニット化したものである。盤用演出ユニットＥＵには、画像表示装置５０、および盤可動装置５５が取り付けられている。
【００３６】
画像表示装置５０は、２０インチの３Ｄ液晶ディスプレイで構成されており、３Ｄ画像を表示可能な表示部５０ａを具備する。
【００３７】
盤可動装置５５は、動作可能な盤可動体５５ｋを備える。盤可動体５５ｋは、水平状態を保持された横長で板状の昇降部材５５ｋ２と、昇降部材５５ｋ２の左右方向中央に設けられた略楕円形状の回転部材５５ｋ１と、を有する。盤可動体５５ｋは、初期位置に配されている待機状態では、遊技盤１と画像表示装置５０との間で隠れている。待機状態において、盤可動体５５ｋの下端部分、具体的に回転部材５５ｋ１の下端部分が、遊技盤１の開口部１Ａの上端から少しだけ下方に位置している。よって、回転部材５５ｋ１の下端部の一部のみが遊技者から視認できるよう配されている（図３（Ａ）参照）。そして、盤可動体５５ｋは、全体的に初期位置から所定の作動位置まで下降し、その作動位置から上昇して初期位置に戻ることができる（図３（Ｂ）参照）。所定の作動位置としては、正面視で盤可動体５５ｋが開口部１Ａの略中央につく位置である。ここで、所定の作業位置は適宜に設定可能であり、正面視で盤可動体５５ｋが開口部１Ａの略中央より上方側におかれる位置であっても下方側におかれる位置であってもよい。
【００３８】
また、回転部材５５ｋ１は、中心に設けられた回転軸を中心に回転運動することが可能である（図３（Ｃ）参照）。なお、回転部材５５ｋ１の回転運動は、盤可動体５５ｋが待機位置から作動位置に移動するとき、作動位置に保持されているとき、および作動位置から待機位置に移動するときに実行可能である。
【００３９】
なお、遊技盤ユニットＹＵに設けられる部材や装置の位置や数は、遊技に支障をきたさない範囲で適宜に変更可能である。
【００４０】
次に、遊技盤１の前面に形成された遊技領域６の上下方向略中央の右隣（遊技領域６以外の部分）に配置されている表示器類８について説明する。図４に示すように、表示器類には、第１特別図柄（以下、「特図１」という）を可変表示する特図１表示器８１ａ、第２特別図柄（以下、「特図２」という）を可変表示する特図２表示器８１ｂ、及び、普通図柄（以下、「普図」という）を可変表示する普図表示器８２が含まれている。また、表示器類には、後述する特図１保留数を表示する特図１保留表示器８３ａ、および後述する特図２保留数を表示する特図２保留表示器８３ｂが含まれている。
【００４１】
特図１の可変表示は、遊技球の第１始動口１１への入賞を契機とした特図１抽選が行われると実行される。また、特図２の可変表示は、遊技球の第２始動口１２への入賞を契機とした特図２抽選が行われると実行される。特図１抽選、および特図２抽選については後述する。なお、以下の説明では、特図１、および特図２を総称して「特図」といい、特図１抽選、および特図２抽選を総称して「特図抽選」という。また、特図１表示器８１ａ、および特図２表示器８１ｂを総称して「特図表示器８１」という。さらに、特図１保留表示器８３ａ、および特図２保留表示器８３ｂを総称して「特図保留表示器８３」という。
【００４２】
特図の可変表示は、特図抽選の結果を報知する。特図の可変表示では、特図が変動表示した後に停止表示する。停止表示された特図（停止特図）は、可変表示の表示結果として導出された特図抽選の結果を表す識別情報である。停止表示された特図が予め定めた特定の特図である場合には、大入賞口１４の開放を伴う大当たり遊技が行われる。
【００４３】
特図１表示器８１ａ、および特図２表示器８１ｂはそれぞれ、横並びに配された８個のＬＥＤから構成されている。特図１表示器８１ａ、および特図２表示器８１ｂの点灯態様は、特図抽選の結果に応じた特図、すなわち特図抽選の結果を表す。例えば特図抽選の結果が大当たりである場合には、最終的に「□□■■□□■■」（□：点灯、■：消灯）というように左から１，２，５，６番目にあるＬＥＤが点灯する。この点灯態様が大当たり図柄であり、大当たりを表す。また、特図抽選の結果がハズレである場合には、最終的に「■■■■■■■□」というように一番右にあるＬＥＤのみが点灯する。この点灯態様がハズレ図柄であり、ハズレを表す。なお、特図抽選の結果に対応するＬＥＤの点灯態様は限定されず、適宜に設定することができる。よって、例えば、ハズレ図柄として全てのＬＥＤを消灯させてもよい。
【００４４】
また、特図の可変表示において、特図が停止表示される前には所定の変動時間にわたって特図の変動表示がなされる。特図の変動表示の態様は、例えば左から右へ光が繰り返し流れるように各ＬＥＤが点灯する態様である。なお、変動表示の態様は、特に限定されず、各ＬＥＤが停止表示（特定の態様での点灯表示）されていなければ、全ＬＥＤが一斉に点滅するなど適宜に設定してよい。
【００４５】
ところで、パチンコ遊技機ＰＹ１では、遊技球が第１始動口１１または第２始動口１２へ入賞してもすぐに特図抽選および特図の可変表示が行われない場合がある。具体的には、特図の可変表示の実行中や大当たり遊技の実行中に遊技球の第１始動口１１または第２始動口１２への入賞があった場合である。この場合、所定個数を上限として、その入賞に基づいて特図抽選および特図の可変表示を実行する権利が留保される。この留保された権利のことを「特図保留」という。
【００４６】
特図保留には、第１始動口１１への入賞に基づいて留保された特図１抽選、および特図１の可変表示を実行する権利を表す「特図１保留」と、第２始動口１２への入賞に基づいて留保された特図２抽選、および特図２の可変表示を実行する権利を表す「特図２保留」と、がある。そして、特図１保留の数、すなわち留保されている特図１抽選および特図１の可変表示を実行する権利の数を特図１保留表示器８３ａが表示する。一方、特図２保留の数、すなわち留保されている特図２抽選、および特図２の可変表示を実行する権利の数を特図２保留表示器８３ｂが表示する。
【００４７】
特図１保留表示器８３ａおよび特図２保留表示器８３ｂのそれぞれは、４個のＬＥＤで構成されており、特図１保留および特図２保留の数の分だけＬＥＤを点灯させることにより特図１保留および特図２保留の数を表示する。なお、以下において、特図１保留の数を「特図１保留数（Ｕ１）」といい、特図２保留数の数を「特図２保留数（Ｕ２）」という。また、「特図１保留数」や「特図２保留数」を総称して「特図保留数」という。さらに、「特図１保留表示器８３ａ」と「特図２保留表示器８３ｂ」とを総称して「特図保留表示器８３」という。
【００４８】
また、普図の可変表示は、遊技球のゲート１３の通過を契機とした普図抽選が行われると実行される。そして、普図の可変表示は、普図抽選の結果を報知する。普図の可変表示では、普図が変動表示した後に停止表示する。停止表示された普図（停止普図）は、可変表示の表示結果として導出された普図抽選の結果を表す識別情報である。停止表示された普図が予め定めた特定の普図である場合には、第２始動口１２の開放を伴う補助遊技が行われる。
【００４９】
普図表示器８２は、例えば２個のＬＥＤから構成されている。普図表示器８２の点灯態様は、普図抽選の結果に応じた普図、すなわち普図抽選の結果を表す。普図抽選の結果が当たりである場合には、最終的には、「□□」（□：点灯、■：消灯）というように両ＬＥＤが点灯する。この点灯態様が当たり図柄であり、当たりを表す。また普図抽選の結果がハズレである場合には、最終的には、「■□」というように右のＬＥＤのみが点灯する。この点灯態様がハズレ図柄であり、ハズレを表す。なお、普図抽選の結果に対応するＬＥＤの点灯態様は限定されず、適宜に設定することができる。例えば、ハズレ図柄として全てのＬＥＤを消灯させる態様を採用してもよい。
【００５０】
また、普図が停止表示される前には所定の変動時間にわたって普図の変動表示が行われる。普図の変動表示の態様は、第１実施形態では、両ＬＥＤが交互に点灯するという態様である。なお、普図の変動表示の態様は、特に限定されず、各ＬＥＤが停止表示（特定の態様での点灯表示）されていなければ、全ＬＥＤが一斉に点滅するなど適宜に設定してもよい。
【００５１】
２．遊技機の電気的構成
次に、図５〜図６に基づいて、パチンコ遊技機ＰＹ１の電気的な構成を説明する。パチンコ遊技機ＰＹ１は、遊技利益を得ることが可能な遊技に関する制御（遊技の進行）を行う遊技制御基板１００、遊技制御基板１００による遊技の進行に応じた演出に関する制御を行う演出制御基板１２０、および、遊技球の払い出しに関する制御などを行う払出制御基板１７０等を備えている。遊技制御基板１００、演出制御基板１２０、および払出制御基板１７０等は、ユニット化されて盤用演出ユニットＥＵの背面側に設置されている。
【００５２】
なお、遊技制御基板１００の制御対象となる遊技利益を獲得可能な遊技には、特図抽選、特図の可変表示、大当たり遊技、後述する遊技状態の設定、普図抽選、普図の可変表示、補助遊技などが含まれる。また、演出制御基板１２０の制御対象となる演出には、遊技演出（特図変動演出、保留演出、大当たり遊技演出など）、客待ち演出、第１演出ボタン４０ｋや第２演出ボタン４１ｋの操作が有効な期間（操作有効期間）において操作を促す操作促進演出などが含まれている。
【００５３】
また、遊技制御基板１００は、遊技の制御を行う遊技制御部と位置づけることができる。一方、演出制御基板１２０は、後述する画像制御基板１４０、音声制御回路１６１、およびサブドライブ基板１６２と共に、演出の制御を行う演出制御部と位置づけることができる。なお、演出制御部は、少なくとも演出制御基板１２０を備え、演出装置（画像表示装置５０、スピーカ５２、枠ランプ５３、および盤可動体５５ｋ等）を用いた遊技演出、客待ち演出、および操作促進演出などを制御可能であればよい。
【００５４】
また、パチンコ遊技機ＰＹ１は、電源基板１９０を備えている。電源基板１９０は、遊技制御基板１００、演出制御基板１２０、及び払出制御基板１７０に対して電力を供給するとともに、これらの基板を介してその他の機器に対して必要な電力を供給する。電源基板１９０には、電源スイッチ１９１が接続されている。電源スイッチ１９１のＯＮＯＦＦ操作により、電源の投入／遮断が切り換えられる。
【００５５】
図５に示すように、遊技制御基板１００には、プログラムに従ってパチンコ遊技機ＰＹ１の遊技の進行を制御する遊技制御用ワンチップマイコン（以下「遊技制御用マイコン」）１０１が実装されている。遊技制御用マイコン１０１には、遊技の進行を制御するためのプログラムやテーブル等を記憶した遊技用ＲＯＭ（Ｒｅａｄ  Ｏｎｌｙ  Ｍｅｍｏｒｙ）１０１、ワークメモリとして使用される遊技用ＲＡＭ（Ｒａｎｄｏｍ  Ａｃｃｅｓｓ  Ｍｅｍｏｒｙ）１０３、遊技用ＲＯＭ１０３に記憶されたプログラムを実行する遊技用ＣＰＵ（Ｃｅｎｔｒａｌ  Ｐｒｏｃｅｓｓｉｎｇ  Ｕｎｉｔ）１０２が含まれている。
【００５６】
遊技用ＲＯＭ１０３には、後述する遊技制御メイン処理や遊技制御側タイマ割り込み処理などを行うためのプログラムが格納されている。また、遊技用ＲＯＭ１０３には、後述する大当たり判定テーブル、大当たり図柄種別判定テーブル、リーチ判定テーブル、特図変動パターン判定テーブル、先読み判定テーブル、大当たり遊技制御テーブル、遊技状態設定テーブル、小当たり遊技制御テーブル、当たり判定テーブル、補助遊技制御テーブルなどが格納されている。なお、遊技用ＲＯＭ１０３は外付けであってもよい。
【００５７】
また、遊技用ＲＡＭ１０４には、特図保留記憶部１０５が設けられている。ここで、特図保留記憶部１０５について説明する。前述の通り、遊技球の第１始動口１１または第２始動口１２への入賞があると、特図保留が発生可能であるが、特図保留が可能な場合、すなわち、特図保留数が上限値に達していないときには、この入賞に基づいて、特図抽選などを行うための各種乱数からなる判定情報が取得される。そして、この判定情報は、特図保留として特図保留記憶部１０５に一旦記憶される。なお、以下において、遊技球の第１始動口１１への入賞により取得される判定情報のことを「特図１関連判定情報」といい、遊技球の第２始動口１２への入賞により取得される判定情報のことを「特図２関連判定情報」という。また、特図１関連判定情報と特図２関連判定情報とを総称して「特図関連判定情報」という。
【００５８】
そして、特図１関連判定情報は、特図１保留として、特図保留記憶部１０５の中の特図１保留記憶部１０５ａに記憶される。一方、特図２関連判定情報は、特図２保留として、特図保留記憶部１０５の中の特図２保留記憶部１０５ｂに記憶される。特図１保留記憶部１０５ａに記憶可能な特図１関連判定情報の数、すなわち、特図１保留数の上限数は「４」に設定されている。また、特図２保留記憶部１０５ｂに記憶可能な特図２関連判定情報の数、すなわち、特図２保留数の上限数は「４」に設定されている。なお、特図１保留数の上限数および特図２保留数の上限数は適宜に設定しても良い。また特図１保留数の上限数および特図２保留数の上限数を設けなくても良い。
【００５９】
また、遊技制御基板１００には、所定の中継基板（図示なし）を介して各種センサ類やソレノイド類が接続されている。そのため、遊技制御基板１００には、各種センサ類が出力した信号が入力する。また、遊技制御基板１００は、各種アクチュエータ類に信号を出力する。
【００６０】
遊技制御基板１００に接続されている各種センサ類には、一般入賞口センサ１０ａ、第１始動口センサ１１ａ、第２始動口センサ１２ａ、ゲートセンサ１３ａ、および大入賞口センサ１４ａが含まれている。
【００６１】
一般入賞口センサ１０ａは、一般入賞口１０に入賞した遊技球を検知する。第１始動口センサ１１ａは、第１始動口１１に入賞した遊技球を検知する。第２始動口センサ１２ａは、第２始動口１２に入賞した遊技球を検知する。ゲートセンサ１３ａは、ゲート１３を通過した遊技球を検知する。大入賞口センサ１４ａは、大入賞口１４に入賞した遊技球を検知する。
【００６２】
また、遊技制御基板１００に接続されている各種アクチュエータ類には、電チューソレノイド１２ｓ、およびＡＴソレノイド１４ｓが含まれている。電チューソレノイド１２ｓは、電チュー１２Ｄの電チュー開閉部材１２ｋを駆動する。ＡＴソレノイド１４ｓは、大入賞装置１４ＤのＡＴ開閉部材１４ｋを駆動する。
【００６３】
なお、遊技制御基板１００に接続されるセンサの種類や数は、遊技に支障をきたさない範囲で適宜に変更可能である。また、遊技制御基板１００に接続されるアクチュエータの種類や数は、遊技に支障をきたさない範囲で適宜に変更可能である。
【００６４】
さらに遊技制御基板１００には、表示器類８（特図表示器８１、普図表示器８２、および、特図保留表示器８３）が接続されている。これらの表示器類８の表示制御は、遊技制御用マイコン１０１によりなされる。
【００６５】
また遊技制御基板１００は、払出制御基板１７０に各種コマンドを送信するとともに、払い出し監視のために払出制御基板１７０から信号を受信する。払出制御基板１７０には、カードユニットＣＵ、および払出装置７３が接続されているとともに、発射装置７２が接続されている。また、カードユニットＣＵは、パチンコ遊技機ＰＹ１に隣接して設置され、挿入されているプリペイドカード等の情報に基づいて球貸しを可能にする装置である。
【００６６】
払出制御基板１７０は、遊技制御用マイコン１０１からの信号や、接続されたカードユニットＣＵからの信号に基づいて、払出装置７３の払出モータ７３ｍを駆動して賞球や貸球の払い出しを行う。払い出される賞球や貸球は、その計数のための払出センサ７３ａにより検知される。
【００６７】
また、発射装置７２は遊技球を発射する装置である。ハンドル７２ｋが、発射装置７２に遊技球を発射させるための操作を受け付ける操作部または入力部を構成しており、発射装置７２に含まれる。ハンドル７２ｋには、遊技者などの人のハンドル７２ｋへの接触を検知可能なタッチスイッチ７２ａが設けられている。遊技者によるハンドル７２ｋの操作があった場合には、タッチスイッチ７２ａが遊技者のハンドル７２ｋへの接触を検知し、発射制御回路１７５を介して検知信号を払出制御基板１７０に出力する。
【００６８】
さらに、ハンドル７２ｋには、ハンドル７２ｋの回転角度（操作量）を検出可能な発射ボリュームのつまみ７２ｂが接続されている。発射装置７２は、発射ボリュームのつまみ７２ｂが検出したハンドル７２ｋの回転角度に応じた強さで遊技球が発射されるよう発射モータ７２ｍを駆動させる。なお、パチンコ遊技機ＰＹ１においては、ハンドル７２ｋへの回転操作が維持されている状態では、約０．６秒毎に１球の遊技球が発射されるようになっている。
【００６９】
また遊技制御基板１００は、遊技の進行に応じて、演出制御基板１２０に対し、遊技に関する情報を含んだ各種コマンドを送信する。演出制御基板１２０は、遊技制御基板１００から送られてきた各種コマンドに基づいて、遊技制御基板１００による遊技の進行状況（遊技の制御内容）を把握することができる。なお、遊技制御基板１００と演出制御基板１２０との接続は、遊技制御基板１００から演出制御基板１２０への信号の送信のみが可能な単方向通信接続となっている。すなわち、遊技制御基板１００と演出制御基板１２０との間には、通信方向規制手段としての図示しない単方向性回路（例えばダイオードを用いた回路）が介在している。
【００７０】
図６に示すように、演出制御基板１２０には、プログラムに従ってパチンコ遊技機ＰＹ１の演出を制御する演出制御用ワンチップマイコン（以下「演出制御用マイコン」）１２１が実装されている。演出制御用マイコン１２１には、遊技制御基板１００による遊技の進行に伴って演出を制御するためのプログラム等を記憶した演出用ＲＯＭ１２３、ワークメモリとして使用される演出用ＲＡＭ１２４、演出用ＲＯＭ１２３に記憶されたプログラムを実行する演出用ＣＰＵ１２２が含まれている。
【００７１】
また、演出用ＲＯＭ１２３には、後述する演出制御メイン処理、受信割り込み処理、１ｍｓタイマ割り込み処理、および、１０ｍｓタイマ割り込み処理などを行うためのプログラムが格納されている。なお、演出用ＲＯＭ１２３は外付けであってもよい。また、演出用ＲＡＭ１２４には、始動入賞コマンドを記憶する始動入賞コマンド保留記憶部１２５が設けられている。
【００７２】
演出制御基板１２０には、画像制御基板１４０が接続されている。演出制御基板１２０の演出制御用マイコン１２１は、遊技制御基板１００から受信したコマンドに基づいて、すなわち、遊技制御基板１００による遊技の進行に応じて、画像制御基板１４０の画像用ＣＰＵ１４１に画像表示装置５０の表示制御を行わせる。なお、演出制御基板１２０と画像制御基板１４０との接続は、演出制御基板１２０から画像制御基板１４０への信号の送信と、画像制御基板１４０から演出制御基板１２０への信号の送信の双方が可能な双方向通信接続となっている。
【００７３】
画像制御基板１４０は、画像制御のためのプログラム等を記憶した画像用ＲＯＭ１４２、ワークメモリとして使用される画像用ＲＡＭ１４３、及び、画像用ＲＯＭ１４２に記憶されたプログラムを実行する画像用ＣＰＵ１４１を備えている。また、画像制御基板１４０は、画像表示装置５０に表示される画像のデータを記憶したＣＧＲＯＭ（Ｃｈａｒａｃｔｅｒ  Ｇｅｎｅｒａｔｏｒ  Ｒｅａｄ  Ｏｎｌｙ  Ｍｅｍｏｒｙ）１４５、ＣＧＲＯＭ１４５に記憶されている画像データの展開等に使用されるＶＲＡＭ（Ｖｉｄｅｏ  Ｒａｎｄｏｍ  Ａｃｃｅｓｓ  Ｍｅｍｏｒｙ）１４６、及び、ＶＤＰ（Ｖｉｄｅｏ  Ｄｉｓｐｌａｙ  Ｐｒｏｃｅｓｓｏｒ）１４４を備えている。勿論、これらの電子部品の全部又は一部がワンチップで構成されていてもよい。ＣＧＲＯＭ１４５には、例えば、画像表示装置５０に表示される画像を表示するための画像データ（静止画データや動画データ、具体的にはキャラクタ、アイテム、図柄、図形、文字、数字および記号等（演出図柄を含む）や背景画像等の画像データ）が格納されている。
【００７４】
ＶＤＰ１４４は、演出制御用マイコン１２１からの指令に基づき画像用ＣＰＵ１４１によって作成されるディスプレイリストに従って、ＣＧＲＯＭ１４５から画像データを読み出してＶＲＡＭ１４６内の展開領域に展開する。そして、展開した画像データを適宜合成してＶＲＡＭ１４６内のフレームバッファに画像を描画する。そしてフレームバッファに描画した画像をＲＧＢ信号として画像表示装置５０に出力する。これにより、種々の演出画像が表示部５０ａに表示される。
【００７５】
なお、ディスプレイリストは、フレーム単位で描画の実行を指示するためのコマンド群で構成されている。ディスプレイリストには、描画する画像の種類、画像を描画する位置、表示の優先順位、表示倍率、画像の透過率等の種々のパラメータの情報が含まれている。
【００７６】
演出制御用マイコン１２１は、遊技制御基板１００から受信したコマンドに基づいて、すなわち、遊技制御基板１００による遊技の進行に応じて、音声制御回路１６１を介してスピーカ５２から音声、楽曲、効果音等を出力する。
【００７７】
スピーカ５２から出力する音声等の音声データは、演出制御基板１２０の演出用ＲＯＭ１２３に格納されている。なお、音声制御回路１６１を、基板にしてＣＰＵを実装してもよい。この場合、そのＣＰＵに音声制御を実行させてもよい。さらにこの場合、基板にＲＯＭを実装し、そのＲＯＭに音声データを格納してもよい。また、スピーカ５２を画像制御基板１４０に接続し、画像制御基板１４０の画像用ＣＰＵ１４１に音声制御を実行させてもよい。さらにこの場合、画像制御基板１４０の画像用ＲＯＭ１４２に音声データを格納してもよい。
【００７８】
また、演出制御基板１２０には、所定の中継基板（図示なし）を介して、入力部となる各種センサ類や駆動源となる各種アクチュエータ類が接続されている。演出制御基板１２０には、各種センサ類が出力した信号が入力する。また、演出制御基板１２０は、各種アクチュエータ類に信号を出力する。
【００７９】
演出制御基板１２０に接続されている各種スイッチ類には、第１演出ボタン検知センサ４０ａ、および第２演出ボタン検知センサ４１ａが含まれている。第１演出ボタン検知センサ４０ａは、第１演出ボタン４０ｋが押下操作されたことを検出する。第２演出ボタン検知センサ４１ａは、第２演出ボタン４１ｋが押下操作されたことを検出する。第１演出ボタン検知センサ４０ａ、および第２演出ボタン検知センサ４１ａは、それぞれが操作されたことを検知すると、その検出内容に応じた信号を演出制御基板１２０に出力する。
【００８０】
なお、演出制御基板１２０に接続されるスイッチの種類や数は、遊技に支障をきたさない範囲で適宜に変更可能である。また、演出制御基板１２０に接続されるアクチュエータの種類や数は、遊技に支障をきたさない範囲で適宜に変更可能である。
【００８１】
演出制御基板１２０に接続された各種アクチュエータ類には、回転部材用モータ５５ｍ１、および昇降部材用モータ５５ｍ２が含まれている。回転部材用モータ５５ｍ１は、回転部材５５ｋ１を駆動して、回転部材５５ｋ１を回転させることが可能である。昇降部材用モータ５５ｍ２は、昇降部材５５ｋ２を上昇または下降させることが可能である。詳細には、演出制御用マイコン１２１は、回転部材５５ｋ１や昇降部材５５ｋ２の動作態様を決める動作パターンデータを作成し、サブドライブ基板１６２を介して、回転部材５５ｋ１や昇降部材５５ｋ２の動作を制御する。なお、以下において、「回転部材５５ｋ１や昇降部材５５ｋ２」の動作を「盤可動体５５ｋの動作」を総称することもある。また、回転部材５５ｋ１を回転させることや昇降部材５５ｋ２を下降または上昇させることについて「盤可動体５５ｋを回転させる、または下降もしくは上昇させる」ともいう。
【００８２】
また、演出制御用マイコン１２１は、遊技制御基板１００から受信したコマンドなどに基づいて、サブドライブ基板１６２を介して枠ランプ５３などの点灯制御を行う。詳細には演出制御用マイコン１２１は、枠ランプ５３の発光態様を決める発光パターンデータ（点灯/消灯や発光色等を決めるデータ、ランプデータともいう）を作成し、発光パターンデータに従って枠ランプ５３の発光を制御する。なお、発光パターンデータの作成には演出制御基板１２０の演出用ＲＯＭ１２３に格納されているデータを用いる。
【００８３】
なお、サブドライブ基板１６２を基板にしてＣＰＵを実装してもよい。この場合、そのＣＰＵに、枠ランプ５３等の点灯制御、および、盤可動体５５ｋの動作制御を実行させてもよい。さらにこの場合、基板にＲＯＭを実装して、そのＲＯＭに発光パターンや動作パターンに関するデータを格納してもよい。
【００８４】
３．遊技機による主な遊技
次に、パチンコ遊技機ＰＹ１により行われる主な遊技について、図７〜図１４を用いて説明する。
【００８５】
３−１．普図に関わる遊技
最初に、普図に関わる遊技について説明する。パチンコ遊技機ＰＹ１は、発射された遊技球がゲート１３を通過すると、普図抽選を実行することができる。普図抽選を行うと、普図表示器８２において、普図の可変表示（変動表示を行った後に停止表示）を行う。ここで、停止表示される普図には、当たり図柄とハズレ図柄とがある。なお、普図のハズレ図柄については、後述する特図のハズレ図柄と区別をするために「ハズレ普図」ともいう。当たり図柄が停止表示されると補助遊技が実行されて、当該ゲート１３の通過に係る遊技が終了する。一方、ハズレ普図が停止表示されると、補助遊技は行われず、当該ゲート１３の通過に係る遊技が終了する。また、以下において、普図の可変表示または補助遊技が行われていないときに遊技球がゲート１３を通過することを「普図変動始動条件の成立」という。
【００８６】
パチンコ遊技機ＰＹ１は、このような一連の遊技（普図抽選、普図の可変表示、補助遊技）を行うにあたり、普図変動始動条件の成立により、普図関連判定情報を取得する。取得する普図関連判定情報には、図７（Ａ）に示すように、普通図柄乱数がある。普通図柄乱数は当たり判定を行うための乱数（判定情報）である。各乱数には、適宜に範囲が設けられている。
【００８７】
３−１−１．当たり判定
当たり判定は、例えば図８（Ａ）に示すような当たり判定テーブルを用いて、当たりか否か（補助遊技を実行するか否か）を決定するための判定である。当たり判定テーブルは、後述する遊技状態に関連付けることが可能である。すなわち、当たり判定テーブルには、非時短状態で用いる当たり判定テーブル（非時短用当たり判定テーブル）と、時短状態で用いる当たり判定テーブル（時短用当たり判定テーブル）と、がある。各当たり判定テーブルでは、当たり判定の結果である当たりとハズレに、普通図柄乱数の判定値（普通図柄乱数判定値）が振り分けられている。よって、パチンコ遊技機ＰＹ１は、取得した普通図柄乱数を当たり判定テーブルに照合して、当たりかハズレかの当たり判定を行う。当たり判定の結果が当たりであると、基本的には、普図の可変表示で当たり図柄が停止表示される。一方、当たり判定の結果がハズレであると、基本的には、普図の可変表示でハズレ普図が停止表示される。なお、当たりの当選確率については、適宜に変更することが可能である。
【００８８】
３−１−２．普図変動パターン判定・普図可変表示
普図変動パターン判定は、例えば図８（Ｂ）に示すような普図変動パターン判定テーブルを用いて、普図変動パターンを決定するための判定である。普図変動パターンとは、普図変動時間などの普図の可変表示に関する所定事項に関する識別情報である。
【００８９】
普図変動パターン判定テーブルは、遊技状態（非時短状態／時短状態）に関連付けることが可能である。すなわち、普図変動パターン判定テーブルには、非時短状態のときに用いられる普図変動パターン判定テーブル（非時短普図変動パターン判定テーブル）と時短状態のときに用いられる普図変動パターン判定テーブル（時短普図変動パターン判定テーブル）とがある。
【００９０】
各普図変動パターン判定テーブルには、普図変動パターン判定の結果である普図変動パターンが、停止される普図毎に１つ格納されている。すなわち、パチンコ遊技機ＰＹ１は、非時短状態と時短状態とで、普図変動時間を異ならせることが可能である。例えば、非時短状態においては、ハズレの普図（ハズレ普図）を停止表示する場合の普図の可変表示については普図変動時間が例えば３０秒となる普図変動パターンに決定し、当たり図柄を停止表示する場合の普図の可変表示については普図変動時間が例えば３０秒となる普図変動パターンに決定する。また、時短状態においては、ハズレ普図を停止表示する場合の普図の可変表示については普図変動時間が例えば５秒となる普図変動パターンに決定し、当たり図柄を停止表示する場合の普図の可変表示については普図変動時間が例えば５秒となる普図変動パターンに決定する。なお、これら普図変動時間については、適宜に変更することが可能である。
【００９１】
そして、普図変動パターン判定で決定された普図変動パターンに対応付けられた普図変動時間の普図の可変表示が、普図表示器８２で行われる。このように、当たり判定、および、普図変動パターン判定が行われることによって、普図表示器８２において普図の可変表示が行われる。
【００９２】
３−１−３．補助遊技
補助遊技は、普図の可変表示で、表示結果（普図抽選の結果）として、当たり図柄が停止表示（導出）されると実行される。
【００９３】
補助遊技を構成する要素（補助遊技構成要素）、すなわち、電チュー１２Ｄが開放する回数、および各開放についての開放時間などの様々な要素が含まれている。そして、これらの各要素は、遊技状態（非時短状態／時短状態）に対応付けることが可能である。パチンコ遊技機ＰＹ１は、遊技状態（非時短状態／時短状態）に基づいて、例えば図８（Ｃ）に示すような補助遊技制御テーブルを用いて補助遊技を制御する。補助遊技制御テーブルは、遊技状態（非時短状態／時短状態）に対応付けられている。各補助遊技制御テーブルには、補助遊技構成要素が格納されている。なお、開放回数や開放時間などの各要素については、適宜に変更することが可能である。
【００９４】
パチンコ遊技機ＰＹ１は、非時短状態における補助遊技と時短状態における補助遊技とで、電チュー１２Ｄの開放時間を異ならせることが可能である。例えば、非時短状態における補助遊技では、０．２秒などの遊技球を電チュー１２Ｄに入賞させるのが困難な第１の開放時間だけ電チュー１２Ｄが開放する。一方、時短状態における補助遊技では、例えば、１．０秒のインターバル（閉鎖）を挟んだ２．５秒の２回開放などの第１の開放時間よりも長く、遊技球を電チュー１２Ｄに入賞させるのが容易な第２の開放時間だけ電チュー１２Ｄが開放する。
【００９５】
なお、以下において、非時短状態における補助遊技のことを「ショート開放補助遊技」ともいう。一方、時短状態における補助遊技のことを「ロング開放補助遊技」ともいう。また、各補助遊技における開放時間は、その補助遊技での合計時間であり、例えば、一度開放した後に一旦閉鎖するインターバルを挟んで再度開放するなど、１回の補助遊技の中で複数回開放するように構成しても良い。
【００９６】
３−２．特図に関わる遊技
次に、特図に関わる遊技について説明する。パチンコ遊技機ＰＹ１は、発射された遊技球が第１始動口１１に入賞すると、特図１抽選を実行することができる。特図１抽選が行われると、特図１表示器８１ａにおいて、特図１の可変表示（変動表示を行った後に停止表示）を行って、特図１抽選の結果を報知する。ここで、停止表示される特図１には、大当たり図柄、小当たり図柄、およびハズレ図柄がある。すなわち、特図１抽選の結果には大当たり、小当たり、およびハズレがある。
【００９７】
大当たり図柄が停止表示されると大当たり遊技が実行され、新たな遊技状態が設定されて、当該入賞に基づく遊技が終了する。また、小当たり図柄が停止表示されると小当たり遊技が実行されて、当該入賞に基づく遊技が終了する。さらに、ハズレ図柄が停止表示されると、大当たり遊技や小当たり遊技が行われず、当該入賞に基づく遊技が終了する。
【００９８】
同様に、パチンコ遊技機ＰＹ１は、発射された遊技球が第２始動口１２に入賞すると、特図２抽選を実行することができる。特図２抽選が行われると、特図２表示器８１ｂにおいて、特図２の可変表示（変動表示を行った後に停止表示）を行って、特図２抽選の結果を報知する。ここで、停止表示される特図２には、大当たり図柄、およびハズレ図柄がある。すなわち、特図２抽選の結果には、大当たり、およびハズレがある。
【００９９】
大当たり図柄が停止表示されると大当たり遊技が実行され、新たな遊技状態が設定されて、当該入賞に基づく遊技が終了する。さらに、ハズレ図柄が停止表示されると大当たり遊技や小当たり遊技が行われず、当該入賞に基づく遊技が終了する。
【０１００】
なお、特図２抽選にも小当たり図柄を含ませ、特図２表示器８１ｂに小当たり図柄の停止表示が行われると小当たり遊技が実行されるようにしても良い。反対に、特図１抽選から小当たり図柄を省き、特図１表示器８１ａで小当たり図柄の停止表示が行わないようにしても良い。
【０１０１】
また、以下において、第１始動口１１に遊技球が入賞することを「第１始動条件の成立」といい、第２始動口１２に遊技球が入賞することを「第２始動条件の成立」という。また、「第１始動条件の成立」と「第２始動条件の成立」をまとめて「始動条件の成立」と総称する。また、特別図柄のハズレ図柄については、前述の普図のハズレ図柄と区別するために「ハズレ特図」ともいう。
【０１０２】
パチンコ遊技機ＰＹ１は、このような一連の遊技（特図抽選、特図の可変表示、大当たり遊技、遊技状態の設定、および小当たり遊技）を行うために、始動条件の成立により、特図関連判定情報を取得し、当該特図関連判定情報について種々の判定を行う。取得する特図関連判定情報には、図７（Ｂ）に示すように、特別図柄乱数、大当たり図柄種別乱数、リーチ乱数および特図変動パターン乱数がある。特別図柄乱数は大当たり判定を行うための乱数（判定情報）である。大当たり図柄種別乱数は大当たり図柄種別判定を行うための乱数（判定情報）である。リーチ乱数はリーチ判定を行うための乱数（判定情報）である。特図変動パターン乱数は特別図柄の変動パターン判定を行うための乱数（判定情報）である。各乱数には、適宜に範囲が設けられている。次に、特図関連判定情報を用いて行われる各判定について説明する。
【０１０３】
３−２−１．大当たり判定
大当たり判定は、例えば図９（Ａ）、図９（Ｂ）に示すような大当たり判定テーブルを用いて、大当たりか否か（大当たり遊技を実行するか否か）、言い換えると、大当たり、小当たり、またはハズレの何れかを決定することである。大当たり判定テーブルは、第１始動口１１への入賞に基づく大当たり判定で用いる大当たり判定テーブル（以下、「第１大当たり判定テーブル」という）と、第２始動口１２への入賞に基づく大当たり判定で用いる大当たり判定テーブル（以下、「第２大当たり判定テーブル」という）と、がある。そして、始動口の種別に関連付けられた大当たり判定テーブルのそれぞれには、さらに通常確率状態で用いる大当たり判定テーブル（通常確率用第１大当たり判定テーブル、通常確率用第２大当たり判定テーブル）と、高確率状態で用いる大当たり判定テーブル（高確率用第１大当たり判定テーブル、高確率用第２大当たり判定テーブル）と、がある。
【０１０４】
なお、パチンコ遊技機ＰＹ１では、第１始動口１１に入賞すると特図１の可変表示が実行され、第２始動口１２に入賞すると特図２の可変表示が実行される。よって、第１大当たり判定テーブルは特図１用の大当たり判定テーブル、第２大当たり判定テーブルは特図２用の大当たり判定テーブルということができる。
【０１０５】
遊技状態に関連付けられた各第１大当たり判定テーブルでは、大当たり判定の結果である大当たり、小当たり、およびハズレに、特別図柄乱数の判定値（特別図柄乱数判定値）が振り分けられている。パチンコ遊技機ＰＹ１は、取得した特別図柄乱数を第１大当たり判定テーブルに照合して、大当たり、小当たり、またはハズレの何れであるかを判定する。図９（Ａ）に示すように、高確率用第１大当たり判定テーブルの方が、通常確率用第１大当たり判定テーブルよりも、大当たりと判定される特別図柄乱数判定値が多く設定されている。また、高確率用第１大当たり判定テーブルと、通常確率用第１大当たり判定テーブルとで、小当たりと判定される特別図柄乱数判定値が同一に設定されている。
【０１０６】
また、遊技状態に関連付けられた各第２大当たり判定テーブルでは、大当たり判定の結果である大当たり、およびハズレに、特別図柄乱数の判定値（特別図柄乱数判定値）が振り分けられている。パチンコ遊技機ＰＹ１は、取得した特別図柄乱数を第２大当たり判定テーブルに照合して、大当たり、またはハズレの何れであるかを判定する。図９（Ｂ）に示すように、高確率用第２大当たり判定テーブルの方が、通常確率用第２大当たり判定テーブルよりも、大当たりと判定される特別図柄乱数判定値が多く設定されている。
【０１０７】
なお、大当たりや小当たりの当選確率や各種大当たり判定の判定結果に対する特別図柄乱数判定値の振り分け方については、適宜に変更することが可能である。また、第２大当たり判定テーブルにも小当たりを設けても良い。すなわち、特図として、大当たり図柄、小当たり図柄、およびハズレ図柄が設けられているようにしても良い。
【０１０８】
３−２−２．大当たり図柄種別判定
大当たり図柄種別判定は、大当たり判定の結果が大当たりである場合に、例えば図９（Ｃ）に示すような大当たり図柄種別判定テーブルを用いて大当たり図柄の種別（大当たり図柄種別）を決定することである。大当たり図柄の種別に、大当たりの内容、換言すれば、遊技者に付与される遊技特典などで構成される大当たりの構成要素（遊技者に有利な内容）を対応付けることが可能である。
【０１０９】
大当たり図柄種別判定テーブルは、可変表示される特別図柄の種別（特図１／特図２）、言い換えれば、当該大当たり図柄種別判定が起因する（当該大当たり図柄種別判定を発生させた）入賞が行われた始動口の種別（第１始動口１１／第２始動口１２）に関連付けられている。すなわち、大当たり図柄種別判定テーブルには、特図１の可変表示を行うときに用いられる大当たり図柄種別判定テーブル（第１大当たり図柄種別判定テーブル）と特図２の可変表示を行うときに用いられる大当たり図柄種別判定テーブル（第２大当たり図柄種別判定テーブル）とがある。
【０１１０】
大当たり図柄は複数種類設定可能である。各大当たり図柄種別判定テーブルでは、大当たり図柄種別判定の結果である大当たり図柄種別に、大当たり図柄種別乱数の判定値（大当たり図柄種別乱数判定値）が振り分けられている。よって、パチンコ遊技機ＰＹ１は、取得した大当たり図柄種別乱数を大当たり図柄種別判定テーブルに照合して、大当たり図柄の種別を判定する。そして、第１大当たり図柄種別判定テーブルおよび第２大当たり図柄種別判定テーブルでは、大当たり図柄種別乱数判定値が各種大当たり図柄に適宜に振り分けられている。
【０１１１】
特図１の大当たり図柄、および特図２の大当たり図柄の種類は適宜に設定することができるが、例えば、図９（Ｃ）に示す大当たり図柄種別判定テーブルのように、特図１の大当たり図柄として、大当たり図柄Ａ、大当たり図柄Ｂ、および大当たり図柄Ｃの３種類の大当たり図柄を設け、特図２の大当たり図柄として、大当たり図柄Ｄ、大当たり図柄Ｅ、および大当たり図柄Ｆの３種類の大当たり図柄を設けることができる。そして、図９（Ｃ）に示す大当たり図柄種別判定テーブルのように、第１大当たり図柄種別判定テーブルおよび第２大当たり図柄種別判定テーブルでは、大当たり図柄種別乱数判定値が各種大当たり図柄に適宜に振り分けられている。なお、大当たり図柄種別の振分率については、適宜に変更することが可能である。また、大当たり図柄の種別については、適宜に増加したり減少したりすることが可能である。
【０１１２】
３−２−３．リーチ判定
リーチ判定は、大当たり判定の結果がハズレである場合に、例えば図９（Ｄ）に示すようなリーチ判定テーブルを用いて、後述する特図変動演出でリーチを発生させるか否かを決定することである。
【０１１３】
リーチ判定テーブルは、遊技状態（非時短状態／時短状態）に関連付けることが可能である。すなわち、リーチ判定テーブルには、非時短状態のときに用いられるリーチ判定テーブル（非時短用リーチ判定テーブル）と時短状態のときに用いられるリーチ判定テーブル（時短用リーチ判定テーブル）とがある。
【０１１４】
各リーチ判定テーブルでは、リーチ判定の結果である「リーチ有り（リーチを発生させる）」と「リーチ無し（リーチを発生させない）」に、リーチ乱数の判定値（リーチ乱数判定値）が振り分けられている。よって、パチンコ遊技機ＰＹ１は、取得したリーチ乱数をリーチ判定テーブルに照合して、リーチ有りかリーチ無しか（リーチを発生させる否か）を判定する。
【０１１５】
図９（Ｄ）に示すように、非時短用リーチ判定テーブルと時短用リーチ判定テーブルとで、「リーチ有り（リーチを発生させる）」と判定されるリーチ乱数判定値の数を異ならせることが可能である。なお、以下において、大当たり判定の結果が「ハズレ」であることを前提に行われるリーチ判定の結果「リーチ有り（リーチを発生させる）」のことを「リーチ有りハズレ」といい、「リーチ無し（リーチを発生させない）」のことを「リーチ無しハズレ」ということもある。
【０１１６】
３−２−４．特図変動パターン判定・特図可変表示
特図変動パターン判定は、大当たり判定の結果が大当たり、小当たり、およびハズレの何れの場合にも、例えば図１０〜図１１に示すような特別図柄の変動パターン判定テーブル（特図変動パターン判定テーブル）を用いて、特図の可変表示の変動パターン（特図変動パターン）を決定することである。
【０１１７】
特図変動パターンとは、特図変動時間や後述する特図変動演出の演出フロー（演出内容）などに関する所定事項を識別するための識別情報である。なお、特図変動パターンには、特図変動時間や特図変動演出の演出フロー（演出内容）の他、大当たり判定の結果とリーチ判定の結果に関する識別情報を含ませることが可能である。特図変動パターンとして、それぞれ識別情報が異なる複数種類の特図変動パターンを用いることが可能であり、その数は適宜に変更することが可能である。
【０１１８】
特図変動パターン判定テーブルは、判定対象となる可変表示を行う特別図柄の種別（特図１／特図２）、言い換えれば、当該特図変動パターン判定が起因する入賞が行われた始動口の種別（第１始動口１１／第２始動口１２）に関連付けることが可能である。すなわち、特図変動パターン判定テーブルには、特図１の可変表示を行うときに用いられる特図変動パターン判定テーブル（特図１変動パターン判定テーブル：図１０）と、特図２の可変表示を行うときに用いられる特図変動パターン判定テーブル（特図２変動パターン判定テーブル：図１１）とがある。
【０１１９】
そして、各特図変動パターン判定テーブルは、遊技状態（非時短状態／時短状態）に関連付けることが可能である。すなわち、特図１変動パターン判定テーブルには、非時短状態のときに用いられる特図１変動パターン判定テーブル（非時短用特図１変動パターン判定テーブル）と時短状態のときに用いられる特図１変動パターン判定テーブル（時短用特図１変動パターン判定テーブル）とがある。一方、特図２変動パターン判定テーブルについても同様に、非時短状態のときに用いられる特図２変動パターン判定テーブル（非時短用特図２変動パターン判定テーブル）と、時短状態のときに用いられる特図２変動パターン判定テーブル（時短用特図２変動パターン判定テーブル）と、がある。
【０１２０】
また、遊技状態（非時短状態／時短状態）に関連付けられた各特図変動パターン判定テーブルは、さらに、大当たり判定結果、大当たり種別判定結果、およびリーチ判定結果にも関連付けることが可能である。すなわち、非時短用特図１変動パターン判定テーブルおよび時短用特図１変動パターン判定テーブルにはそれぞれ、大当たり図柄Ａ用、大当たり図柄Ｂ，Ｃ用、小当たり用、リーチ有りハズレ用、およびリーチ無しハズレ用がある。同様に、非時短用特図２変動パターン判定テーブルおよび時短用特図２変動パターン判定テーブルにもそれぞれ、大当たり図柄Ｄ用、大当たり図柄Ｅ，Ｆ用、リーチ有りハズレ用、およびリーチ無しハズレ用がある。
【０１２１】
さらに、遊技状態に関連付けられた各リーチ無しハズレ用の特図１変動パターン判定テーブルは、特図１保留数にも関連付けることが可能である。例えば、特図１保留数（Ｕ１）が０〜２のときに用いられるリーチ無しハズレ用の特図１変動パターン判定テーブルと、特図１保留数（Ｕ１）が３〜４のときに用いられるリーチ無しハズレ用の特図１変動パターン判定テーブルと、がある。また、同様に、遊技状態に関連付けられた各リーチ無しハズレ用の特図２変動パターン判定テーブルも、特図２保留数にも関連付けることが可能である。具体的には、特図２保留数（Ｕ２）が０〜２のときに用いられるリーチ無しハズレ用の特図２変動パターン判定テーブルと、特図２保留数（Ｕ２）が３〜４のときに用いられるリーチ無しハズレ用の特図２変動パターン判定テーブルと、がある。
【０１２２】
そして、各特図変動パターン判定で決定された特図変動パターンに応じた特図変動時間の特図の可変表示が、特図表示器８１で行われる。そして、特図の可変表示で、表示結果（特別図柄抽選の結果）として、大当たり図柄が停止表示されると、即座に次の特図の可変表示が行われず、引き続いて、大当たり遊技が実行される。また、特図の可変表示で、表示結果（特別図柄抽選の結果）として、小当たり図柄が停止表示されると、即座に次の特図の可変表示が行われず、引き続いて、小当たり遊技が実行される。
【０１２３】
また、各特図変動パターンに、図１０〜図１１の表の右から３番目の欄に示すような特図変動演出の演出フローを関連付けることが可能である。ここで、特図変動パターンに関連づけられた特図変動演出の演出フローを構成する代表的な演出について説明する。
【０１２４】
特図変動演出の演出フローを構成する演出として、通常変動、リーチ、ノーマルリーチ（Ｎリーチ）、ロングリーチ（Ｌリーチ）、スペシャルリーチ（ＳＰリーチ）、バトル演出、がある。
【０１２５】
通常変動は、停止表示していた演出図柄が変動を開始し、各演出図柄を構成する１つ１つが認識困難な程度に高速で変動表示して特図の可変表示が開始されたことを示唆する演出である。そして、リーチ無しハズレ変動に係る特図変動演出（演出図柄の変動開始から変動停止までの部分）、および、リーチが発生する特図変動演出におけるリーチが成立（確定）するまでの部分が通常変動で構成されることがある。
【０１２６】
Ｎリーチは、通常変動を経てリーチが成立（確定）した直後に、例えば当該リーチを構成する演出図柄が仮停止したその位置で所定時間（例えば、１０秒）維持された状態で、残り１つの演出図柄が減速していき、通常変動より低速で変動する演出である。Ｎリーチが示唆する大当たりの期待度は、通常変動より高く、後述するＬリーチおよびＳＰリーチよりも低い。Ｎリーチで特図変動演出が終了する場合、その低速で変動する残りの１つの演出図柄が停止する。ハズレの場合、残りの１つの演出図柄は、リーチを構成する演出図柄とは異なる演出図柄で停止する。Ｎリーチで特図変動演出が終了しない場合、残りの１つの演出図柄が再び高速で変動し、リーチが維持されたままＮリーチからＬリーチまたはＳＰリーチに発展する（切り替わる）。
【０１２７】
Ｌリーチは、Ｎリーチの後に実行可能な演出であり、Ｎリーチよりも長時間行われ、Ｎリーチよりも大当たり期待度が高いことを示唆する。Ｌリーチでも、成立したリーチが維持されるが、当該リーチを構成する演出図柄が縮小されると共に所定位置（例えば、後述する左演出図柄ＥＺ１が表示部５０ａの左上で、右演出図柄ＥＺ３が表示部５０ａの右上）に移動した状態で、Ｌリーチ専用の背景画像に切り替わる（Ｌリーチ専用の映像が流さる）。なお、Ｌリーチでは、主に表示部５０ａにおいて２ＤＣＧによるアニメーション画像が表示される。Ｌリーチの演出内容としては、主人公キャラクタが必殺技を習得するために特訓を行うシーンが表示される（特訓する映像が表示部５０ａで流れる）。
【０１２８】
ＳＰリーチは、Ｎリーチの後に実行可能な演出であり、Ｌリーチよりも長時間行われ、Ｌリーチよりも大当たり期待度が高いことを示唆する。ＳＰリーチでも、成立したリーチが維持されるが、当該リーチを構成する演出図柄が縮小されると共に所定位置（例えば、後述する左演出図柄ＥＺ１が表示部５０ａの左上で、右演出図柄ＥＺ３が表示部５０ａの右上）に移動した状態で、ＳＰリーチ専用の背景画像に切り替わる（ＳＰリーチ専用の映像が流れる）。なお、ＳＰリーチはＬリーチよりも長い時間行われる。なお、ＳＰリーチでは、主に表示部５０ａにおいて３ＤＣＧ画像が表示される。そして、ＳＰリーチの演出内容としては、主人公キャラクタが所属するＡチームと、主人公キャラクタのライバルが所属するＢチームとが試合を行うシーンが表示される（試合する映像が表示部５０ａで流れる）。
【０１２９】
バトル演出は、時短状態においてリーチ後に実行可能な演出であり、通常変動よりも大当たり期待度が高いことを示唆する演出である。バトル演出でも、成立したリーチが維持されるが、当該リーチを構成する演出図柄が縮小されると共に所定位置（例えば、左演出図柄ＥＺ１が表示部５０ａの左上で、右演出図柄ＥＺ３が表示部５０ａの右上）に移動した状態で、バトル演出専用の背景画像に切り替わる（バトル演出専用の映像が流れる）。また、バトル演出では、主に表示部５０ａにおいて３ＤＣＧ画像が表示される。そして、ＳＰリーチの演出内容としては、主人公キャラクタが所属するＡチームと、主人公キャラクタのライバルが所属するＢチームとが試合を行うシーンが表示される（試合する映像が表示部５０ａで流れる）。
【０１３０】
なお、Ｎリーチ、Ｌリーチ、ＳＰリーチ、およびバトル演出における「リーチが維持された状態」には、当該Ｎリーチ、Ｌリーチ、ＳＰリーチ、およびバトル演出においてリーチを構成する演出図柄が表示部５０ａで視認可能である状態だけではなく、例えば、専用の背景画像との関係で所定期間、当該リーチを構成する演出図柄が表示部５０ａから視認困難または視認不可能な状態も含むものとする。また、通常変動、Ｎリーチ、Ｌリーチ、ＳＰリーチ、およびバトル演出の演出内容は適宜に変更可能である。さらに、特図変動演出を構成する演出は、これらに限られず、適宜に加え、あるいは減らすことが可能である。
【０１３１】
また、図１０〜図１１の表の右から２番目の欄に示すように、特図変動パターンについて、特図（大当たり判定結果）および特図変動演出の演出内容などに関連付けて名称を付すことがある。そして、大当たりに係る特図変動パターンのことを「大当たり変動」、小当たりに係る特図変動パターンのことを「小当たり変動」、ハズレに係る特図変動パターンのことを「ハズレ変動」と総称することもある。
【０１３２】
さらに、大当たり判定結果に関わらずＳＰリーチが行われる特図変動パターンのことを「ＳＰリーチ変動」、Ｌリーチが行われる特図変動パターンのことを「Ｌリーチ変動」、Ｎリーチで特図変動演出が終わる特図変動パターンのことを「Ｎリーチ変動」と総称することもある。また、リーチ有りのハズレ変動のことを「リーチ有りハズレ変動」といい、リーチ無しのハズレ変動のことを「通常ハズレ変動」と総称することもある。
【０１３３】
３−２−５．先読み判定
パチンコ遊技機ＰＹ１は、大当たり判定を行う前に、取得した特図関連判定情報に基づいて、例えば図１２、図１３に示すような先読み判定テーブルを用いて先読み判定を行う。先読み判定テーブルは、その始動入賞に係る始動口の種別（第１始動口１１／第２始動口１２）、言い換えると、その始動入賞によって可変表示される特図の種類（特図１／特図２）に関連付けることが可能である。すなわち、先読み判定テーブルには、第１始動口１１に入賞し、特図１の可変表示が行われる場合の先読み判定テーブル（第１先読み判定テーブル：図１２）と、第２始動口１２に入賞し、特図２の可変表示が行われる場合の先読み判定テーブル（第２先読み判定テーブル：図１３）と、がある。なお、第１先読み判定テーブルに基づいて行う先読み判定を「第１先読み判定」、第２先読み判定テーブルに基づいて行う先読み判定を「第２先読み判定」ともいう。
【０１３４】
また、先読み判定テーブルは、遊技状態にも関連付けることが可能である。例えば、先読み判定テーブルを、後述する通常遊技状態、高確率高ベース遊技状態、および低確率高ベース遊技状態などに関連付けることができる。すなわち、先読み判定テーブルとして、通常遊技状態のときに用いられる先読み判定テーブル（通常遊技状態用先読み判定テーブル）と、高確率高ベース遊技状態のときに用いられる先読み判定テーブル（高確率高ベース遊技状態用先読み判定テーブル）と、低確率高ベース遊技状態のときに用いられる先読み判定テーブル（低確率高ベース遊技状態用先読み判定テーブル）と、を設けることができる。
【０１３５】
よって、詳細には、先読み判定テーブルを始動口と遊技状態に関連付けると、先読み判定テーブルには、通常遊技状態のときに用いられる第１先読み判定テーブルと、高確率高ベース遊技状態のときに用いられる第１先読み判定テーブルと、低確率高ベース遊技状態のときに用いられる第１先読み判定テーブルと、通常遊技状態のときに用いられる第２先読み判定テーブルと、高確率高ベース遊技状態のときに用いられる第２先読み判定テーブルと、低確率高ベース遊技状態のときに用いられる第２先読み判定テーブルと、があるようにすることができる。なお、先読み判定テーブルを何れの要素に関連付けるか、すなわち先読み判定テーブルをどうのように構成するかは適宜に設定できる。
【０１３６】
なお、図１２〜図１３に示す先読み判定テーブルを用いる先読み判定によって、当該始動入賞によって行われる特図の可変表示に係る特図変動パターンが特定される。すなわち、当該入賞に基づく特図の可変表示が行われるよりも前にその特図の可変表示に係る特図変動パターンが先読み判定結果として特定される。そして、その特図変動パターンに関する情報が含まれる先読み判定結果は始動入賞コマンドに対応付けられている。なお、先読み判定結果としてどのような情報を特定させるかは適宜に変更可能である。
【０１３７】
以上のように、大当たり判定、大当たり図柄種別判定、リーチ判定、および特図変動パターン判定が行われることによって、特図表示器８１において特図の可変表示が行われる。そして、特図の可変表示で、表示結果（特別図柄抽選の結果）として、大当たり図柄が停止表示されると、次の特図の可変表示が行われず、引き続いて、大当たり遊技が実行される。また、特図の可変表示で、表示結果（特別図柄抽選の結果）として、小当たり図柄が停止表示されると、次の特図の可変表示が行われず、引き続いて、小当たり遊技が実行される。次に、大当たり遊技について説明する。
【０１３８】
３−３．大当たり遊技
【０１３９】
大当たり遊技は、大入賞口１４の開閉を伴う複数回のラウンド遊技と、大当たり遊技が開始してから初回のラウンド遊技が開始されるまでのオープニング（ＯＰとも表記する）と、最終回のラウンド遊技が終了してから大当たり遊技が終了するまでのエンディング（ＥＤとも表記する）とを含んでいる。各ラウンド遊技は、オープニングの終了又は前のラウンド遊技の終了によって開始し、次のラウンド遊技の開始又はエンディングの開始によって終了する。
【０１４０】
なお、ＯＰやＥＤを設けないようすることが可能である。また、以下において、所定回数目（所定の順番）のラウンド遊技を、単に「ラウンド」という。例えば、初回（１回目）のラウンド遊技のことを「１ラウンド（１Ｒ）」ともいい、１０回目のラウンド遊技のことを「１０ラウンド（１０Ｒ）」ともいう。
【０１４１】
そして、パチンコ遊技機ＰＹ１は、大当たり遊技制御テーブルを用いて大当たり遊技を制御する。大当たり遊技は１種類、または複数種類設定可能であり、大当たり遊技の種別毎に大当たり遊技制御テーブルが設定されている。
【０１４２】
大当たり遊技制御テーブルには、大当たり遊技を構成する要素（大当たり遊技構成要素）が格納されている。大当たり遊技構成要素には、ラウンド遊技の回数、各回のラウンド遊技における大入賞口１４の開放回数、各開放が行われる大入賞口の種別および開放時間（開放パターン）、次回の開放まで閉鎖させる時間（閉鎖時間）、オープニングの時間（オープニング時間）、およびエンディングの時間（エンディング時間）などが含まれている。
【０１４３】
なお、大当たり遊技の種別、および各種大当たり遊技の大当たり遊技構成要素は適宜に設定することができる。また、以下において、ラウンド遊技の回数を「ラウンド数」、大当たり遊技のオープニングの時間を「大当たりオープニング時間」、大当たり遊技のエンディングの時間を「大当たりエンディング時間」ともいう。
【０１４４】
パチンコ遊技機ＰＹ１は、例えば図１４（Ａ）に示すような大当たり遊技制御テーブルを用いて大当たり遊技を制御することが可能である。すなわち、図１４（Ａ）に示すような大当たり遊技の種別および各大当たり遊技に対する大当たり遊技構成要素を設定することが可能である。ここで、図１４（Ａ）で設定されている大当たり遊技について説明する。
【０１４５】
第１大当たり遊技のラウンド遊技の回数は１０回である。そして、１Ｒから１０Ｒまでの各ラウンド遊技では、１回のラウンド遊技あたり最大で２９．５秒にわたって大入賞口１４が１回開放する。また、第１大当たり遊技が開始されてから最初のラウンド遊技が開始されるまでの間、１０．０秒間にわたり大入賞口１４の閉鎖状態が保持されたオープニングがある。さらに、最後のラウンド遊技が終了してから第１大当たり遊技が終了するまでの間、１５．０秒間にわたり大入賞口１４の閉鎖状態が保持されたエンディングがある。また、第１大当たり遊技における各ラウンド遊技間の閉鎖時間は２．０秒に設定されている。
【０１４６】
第２大当たり遊技のラウンド遊技の回数は５回である。そして、１Ｒから５Ｒまでの各ラウンド遊技では、１回のラウンド遊技あたり最大で２９．５秒にわたって大入賞口１４が１回開放する。また、第２大当たり遊技が開始されてから最初のラウンド遊技が開始されるまでの間、１０．０秒間にわたり大入賞口１４の閉鎖状態が保持されたオープニングがある。さらに、最後のラウンド遊技が終了してから第２大当たり遊技が終了するまでの間、１５．０秒間にわたり大入賞口１４の閉鎖状態が保持されたエンディングがある。また、第２大当たり遊技における各ラウンド遊技間の閉鎖時間は２．０秒に設定されている。
【０１４７】
第３大当たり遊技のラウンド遊技の回数は１６回である。そして、１Ｒから１６Ｒまでの各ラウンド遊技では、１回のラウンド遊技あたり最大で２９．５秒にわたって大入賞口１４が１回開放する。また、第３大当たり遊技が開始されてから最初のラウンド遊技が開始されるまでの間、１０．０秒間にわたり大入賞口１４の閉鎖状態が保持されたオープニングがある。さらに、最後のラウンド遊技が終了してから第３大当たり遊技が終了するまでの間、１５．０秒間にわたり大入賞口１４の閉鎖状態が保持されたエンディングがある。また、第３大当たり遊技における各ラウンド遊技間の閉鎖時間は２．０秒に設定されている。
【０１４８】
第４大当たり遊技のラウンド遊技の回数は４回である。そして、１Ｒから４Ｒまでの各ラウンド遊技では、１回のラウンド遊技あたり最大で２９．５秒にわたって大入賞口１４が１回開放する。また、第１大当たり遊技が開始されてから最初のラウンド遊技が開始されるまでの間、１０．０秒間にわたり大入賞口１４の閉鎖状態が保持されたオープニングがある。さらに、最後のラウンド遊技が終了してから第４大当たり遊技が終了するまでの間、１５．０秒間にわたり大入賞口１４の閉鎖状態が保持されたエンディングがある。また、第４大当たり遊技における各ラウンド遊技間の閉鎖時間は２．０秒に設定されている。
【０１４９】
なお、各ラウンド遊技では、予め定めた所定個数（例えば１０個）の遊技球が大入賞口センサ１４ａによって検出されると、大入賞口１４の最大開放時間が経過する前であっても、大入賞口１４を閉鎖してラウンド遊技が終了する。また、大当たり遊技構成要素の種類や具体的な内容については、適宜に変更することが可能である。
【０１５０】
ここで、何れの種類の大当たり遊技が実行されるかは、例えば大当たり図柄の種類によって決定されるようにしても良い。上述の例でいえば、例えば、図１４（Ａ）に示すように、第１大当たり遊技は大当たり図柄Ａに対応付けられ、第２大当たり遊技は大当たり図柄Ｂ，Ｃに対応付けられ、第３大当たり遊技は大当たり図柄Ｄに対応付けられ、第４大当たり遊技は大当たり図柄Ｅ，Ｆに対応付けられるようにしても良い。
【０１５１】
また、例えば、遊技領域６に２つの入賞口に振分け可能な装置を設け、一方の入賞口に入賞すると所定数のラウンド遊技からなる大当たり遊技のみが実行される一方、他方の入賞口に入賞すると、所定数より多いラウンド遊技からなる大当たり遊技と所定数より少ないラウンド遊技からなる大当たり遊技の何れかが抽選などによって所定の確率で実行されるようにしても良い。
【０１５２】
３−４．遊技状態
次に、パチンコ遊技機ＰＹ１が制御可能な遊技状態について説明する。パチンコ遊技機ＰＹ１は、大入賞口１４の開放を伴う大当たり遊技が実行されている状態である大当たり遊技状態と、大当たり遊技が実行されていない非大当たり遊技状態がある。非大当たり遊技状態には、基本的なベースとなる遊技状態である通常遊技状態と、通常遊技状態よりも遊技者に有利な特定遊技状態と、がある。この特定遊技状態に係る「遊技者に有利」となる要素には大当たり当選確率と、第２始動口１２の開放の容易性とがある。すなわち、特定遊技状態に大当たり当選確率と、第２始動口１２の開放の容易性を関連付けることができる。
【０１５３】
大当たり当選確率について遊技者に有利とは、通常遊技状態よりも大当たり当選確率が高くなり、大当たり当選し易くなるということである。また、第２始動口１２の開放の容易性について遊技者に有利とは、通常遊技状態よりも第２始動口１２の開放の容易性が高くなり、単位時間あたりの第２始動口１２の開放時間が長くなるということである。
【０１５４】
そして、特定遊技状態としては、大当たり当選確率および第２始動口１２の単位時間あたりの開放時間の何れもが遊技者に有利な第１特定遊技状態と、大当たり当選確率のみが遊技者に有利な第２特定遊技状態と、第２始動口１２の単位時間あたりの開放時間のみが遊技者に有利な第３特定遊技状態の３種類を設定可能である。なお、これらの３種類の特定遊技状態の全てをパチンコ遊技機ＰＹ１に搭載せずに、３種類の特定遊技状態の中の一部を搭載することができる。
【０１５５】
ここで、大当たり当選確率に注目した局所的な遊技状態として、大当たり当選確率が通常遊技状態よりも高くなり、大当たり当選確率について遊技者に有利な状態を「高確率状態」という。これに対して、大当たり当選確率が通常遊技状態での通常確率であり、大当たり当選確率について遊技者に有利ではない状態を「通常確率状態」という。
【０１５６】
また、単位時間あたりの第２始動口１２の開放時間に注目した局所的な遊技状態として、単位時間あたりの第２始動口１２の開放時間が通常遊技状態よりも長く、第２始動口１２の開放の容易性が遊技者に有利な状態を「時短状態」という。これに対して、単位時間あたりの第２始動口１２の開放時間が通常遊技状態での開放時間であり、第２始動口１２の開放の容易性が遊技者に有利ではない状態を「非時短状態」という。
【０１５７】
ここで、非時短状態と時短状態について詳細に説明する。前述のように、時短状態は、非時短状態に比べて、単位時間当たりの電チュー１２Ｄの開放時間が長くなる。すなわち、時短状態は非時短状態よりも第２始動口１２に入賞させ易い状態である。ここで、非時短状態よりも時短状態で第２始動口１２に入賞させ易くするための具体的な方法について説明する。
【０１５８】
例えば、時短状態を、非時短状態に比べて普図変動時間が短くなり易い状態にすることで、時短状態では第２始動口１２に入賞させ易くすることができる。例えば、前述の通り、当たり判定の結果に関わらず、時短状態においては、非時短状態において決定される普図変動時間（５．０秒）よりも短い普図変動時間（３０．０秒）が決定されるようにする。その結果、時短状態の方が、単位時間当たりにおける普図抽選の実行回数が多くなる。この場合、非時短状態と時短状態の違いに関わらず、当たり判定で当たりに当選する確率と１回の補助遊技における電チュー１２Ｄの開放時間が同一であると、単位時間あたりにおける普図抽選の実行回数が多い分、単位時間あたりの電チュー１２Ｄの開放時間が長くなる。
【０１５９】
また、時短状態を、非時短状態に比べて１回の補助遊技における電チュー１２Ｄの開放時間が長くなり易い状態にすることで、時短状態では第２始動口１２に入賞させ易くすることができる。例えば、前述の通り、非時短状態では、１回の補助遊技で電チュー１２Ｄが０．２秒開放するのに対し、時短状態では、１回の補助遊技で電チュー１２Ｄが合計で５．０秒開放するようにする。この場合、非時短状態と時短状態の違いに関わらず、当たり判定で当たりに当選する確率と普図変動時間が同一であると、単位時間あたりの補助遊技の実行回数が等しくなるため、１回の補助遊技での電チュー１２Ｄの開放時間が長い分、単位時間あたりの電チュー１２Ｄの開放時間が長くなる。
【０１６０】
さらに、時短状態を、非時短状態に比べて当たり判定で当たりと判定され易い状態にすることで、時短状態では第２始動口１２に入賞させ易くすることができる。例えば、前述の通り、非時短状態では、当たり判定において６６００／６５５３６の確率で当たりと判定されるのに対し、時短状態では、当たり判定において５９９３６／６５５３６の確率で当たりと判定されるようにする。この場合、非時短状態と時短状態の違いに関わらず、１回の補助遊技における電チュー１２Ｄの開放時間と普図変動時間が同一であると、当たり判定で当たりと判定される確率が高い分、単位時間あたりの当たり判定の回数が多くなるため、単位時間あたりの電チュー１２Ｄの開放時間が長くなる。
【０１６１】
このように、時短状態においては非時短状態よりも当たりに当選し易いこと、普図変動時間が短くなり易いこと、および１回の補助遊技における電チュー１２Ｄの開放時間が長くなり易いことからなる３つの条件が成立することによって、時短状態では、非時短状態に比べて、単位時間あたりの電チュー１２Ｄの開放時間が長くなり、第２始動口１２への入賞を容易にすることができる。この結果、発射球数に対する賞球数の割合である所謂「ベース」が高くなる。そのため、ベースの高い時短状態では、通常遊技状態に比べて所持する遊技球を大きく減らすことなく大当たり当選を狙うことができる。すなわち、時短状態の方が非時短状態よりも遊技者にとって有利であるといえる。
【０１６２】
なお、時短状態においては、第２始動口１２の単位時間あたりの開放時間が長くなるための３つの条件が全て揃わずに一部の条件のみが揃うようにしても良い。最終的に、時短状態では、非時短状態に比べて、単位時間当たりの電チュー１２Ｄの開放時間が長くなり、第２始動口１２への入賞が容易になればよい。
【０１６３】
また、時短状態では、非時短状態に比べて特図変動時間の短い特図変動パターンが選択され易くなるようにするなどして、単位時間あたりにおける特図可変表示の実行回数が少ない、または特図変動時間の平均が低くなるようにしても良い。その結果、時短状態では、特図保留が消化されるペースが速くなり、始動口への有効な入賞（特図保留として記憶され得る入賞）が発生しやすくなる。そのため、スムーズな遊技の進行のもとで大当たりを狙うことができる。
【０１６４】
なお、以下において、各特定遊技状態について遊技者に対する有利性の内容に関連付けて、第１特定遊技状態のことを「高確率高ベース遊技状態」、第２特定遊技状態のことを「高確率低ベース遊技状態」、および第３特定遊技状態のことを「低確率高ベース遊技状態」ともいう。さらに、通常遊技状態のことを「低確率低ベース遊技状態」ともいう。
【０１６５】
よって、低確率低ベース遊技状態は、通常確率状態且つ非時短状態で制御されている遊技状態といえる。同様に、低確率高ベース遊技状態は通常確率状態且つ時短状態、高確率低ベース遊技状態は高確率状態且つ非時短状態、および高確率高ベース遊技状態は高確率状態且つ時短状態で制御されている遊技状態といえる。
【０１６６】
このように、パチンコ遊技機ＰＹ１は、低確率低ベース遊技状態、低確率高ベース遊技状態、高確率低ベース遊技状態、高確率高ベース遊技状態、および大当たり遊技状態で制御可能である。なお、大当たり遊技状態では、大入賞口１４が長時間開放し、遊技球を多量に獲得することができるので、大当たり遊技状態も遊技者に有利な遊技状態ということができる。よって、大当たり遊技状態と、特定遊技状態は、通常遊技状態よりも遊技者に有利な「有利遊技状態」ということもできる。また、小当たり遊技が実行されているときは一応、大入賞口１４が開放し、遊技球を獲得することができるので、小当たり遊技が実行されている状態も有利遊技状態に含めることもできる。
【０１６７】
なお、高確率高ベース遊技状態、および高確率低ベース遊技状態は、大当たり当選確率が通常確率状態よりも高確率となっている点で低確率低ベース遊技状態よりも遊技者に有利な遊技状態である。また、高確率高ベース遊技状態、および低確率高ベース遊技状態は、第２始動口１２への入賞容易性が非時短状態よりも高い点で低確率低ベース遊技状態よりも遊技者に有利な遊技状態である。さらには、大当たり遊技状態、および小当たり遊技状態では、１回の入賞による賞球数が第１始動口１１、および第２始動口１２よりも多い大入賞口１４が開放するので、大当たり遊技状態、および小当たり遊技状態は低確率低ベース遊技状態よりも遊技者に有利な遊技状態である。
【０１６８】
また、パチンコ遊技機ＰＹ１の電源が投入されると最初に通常遊技状態が設定される。また、大当たり遊技状態は、大当たり図柄の停止表示が行われることによって設定される。さらに、小当たり遊技状態は、小当たり図柄の停止表示が行われることによって設定される。一方、特定遊技状態は、大当たり当選して大当たり遊技が実行されることによって設定される。
【０１６９】
３−５．特定遊技状態の設定
次に、特定遊技状態の設定について説明する。パチンコ遊技機ＰＹ１は、大当たり遊技の終了に伴って、新たに特定遊技状態を設定することができる。すなわち、大当たり遊技の後に、特定遊技状態にて遊技を制御・進行させることができる。この特定遊技状態の継続期間は適宜に設定可能である。例えば、特定遊技状態を次回大当たり当選するまで継続させることができる。また、特定遊技状態が継続できる期間を制限することもできる。
【０１７０】
特定遊技状態の継続期間を制限させる場合は、継続期間に対する終了条件が成立することを契機に特定遊技状態を終了させることができる。そして、特定遊技状態が終了すると通常遊技状態が設定されるようにすることができる。また、高確率高ベース遊技状態については、終了条件が成立すると、低確率高ベース遊技状態または高確率低ベース遊技状態が設定されるようにすることもできる。この場合、新たに設定された低確率高ベース遊技状態または高確率低ベース遊技状態は次回大当たり当選するまで継続するようにしても良い。また、新たに設定された低確率高ベース遊技状態または高確率低ベース遊技状態についても同一または異なる終了条件を設け、当該終了条件が成立すると通常遊技状態が設定されるようにしても良い。
【０１７１】
また、特定遊技状態の継続期間に対する終了条件は適宜に設定することができる。終了条件として、例えば特図可変表示の実行回数を設定することができる。また、特図可変表示の実行回数に限られず、大当たり遊技後の経過時間、大当たり遊技後の遊技球の発射球数、大当たり遊技後のゲート１３への通過回数、または特定遊技状態を終了させるか否かの抽選において終了させるという結果の導出などを終了条件に設定することができる。さらには、これらの要素を単独で終了条件に設定しても良く、また複合的に設定しても良い。
【０１７２】
なお、これらの終了条件は、大当たり遊技後に設定可能な全ての特定遊技状態に対して同一に設定しても良く、また設定可能な特定遊技状態の中の一部の特定遊技状態に対して設定しても良い。さらに、特定遊技状態毎に終了条件を異ならせても良い。
【０１７３】
また、大当たり遊技の後に制御される特定遊技状態、終了条件の有無、および終了条件の内容は、その大当たり遊技に係る大当たり図柄種別に対応付けることができる。例えば、前述のように大当たり図柄種別が設定されている場合、図１４（Ｂ）に示すように、大当たり図柄Ａ、大当たり図柄Ｂ、大当たり図柄Ｄ、または大当たり図柄Ｅに係る大当たり遊技の終了後に高確率高ベース遊技状態で遊技が制御されるようにしても良い。ここで、この高確率高ベース遊技状態については終了条件を設けずに、大当たり当選するまで継続可能にすることができる。さらに、大当たり図柄Ｃ、および大当たり図柄Ｆに係る大当たり遊技の終了後に低確率高ベース遊技状態で遊技が制御されるようにしても良い。ここで、この低確率高ベース遊技状態については終了条件を設け、終了条件として１００回の特図可変表示に設定することができる。なお、この大当たり種別図柄と大当たり遊技の後に制御される特定遊技状態、終了条件の有無、および終了条件の内容との関係は一例であって、これに限られない。
【０１７４】
なお、大当たりの遊技利益に着目し、大当たり遊技後に高確率状態で遊技が進行する大当たりのことを「高確率大当たり」ともいう。さらに、大当たり遊技後に高確率状態且つ時短状態で遊技が進行する大当たりのことを「確変大当たり」ともいう。加えて、大当たり遊技後に通常確率状態且つ時短状態で遊技が進行させる大当たりのことを「時短大当たり」ともいう。
【０１７５】
３−６．小当たり遊技
次に、小当たり遊技について説明する。小当たり遊技は、大入賞口１４の開閉を伴う開放遊技と、小当たり遊技が開始してから初回の開放遊技が開始されるまでのオープニング（ＯＰとも表記する）と、最終回の開放遊技が終了してから小当たり遊技が終了するまでのエンディング（ＥＤとも表記する）とを含んでいる。各開放遊技は、オープニングの終了又は前の開放遊技の終了によって開始し、次の開放遊技の開始又はエンディングの開始によって終了する。なお、ＯＰやＥＤについては、設けないようすることが可能である。
【０１７６】
そして、パチンコ遊技機ＰＹ１は、小当たり遊技制御テーブルを用いて小当たり遊技を制御する。小当たり遊技は１種類、または複数種類設定可能であり、小当たり遊技の種別毎に小当たり遊技制御テーブルが設定されている。
【０１７７】
小当たり遊技制御テーブルには、小当たり遊技を構成する要素（小当たり遊技構成要素）が格納されている。小当たり遊技構成要素には、開放遊技の回数、各開放遊技が行われる大入賞口の種別および開放時間（開放パターン）、次回の開放まで閉鎖させる時間（閉鎖時間）、オープニングの時間（オープニング時間）、およびエンディングの時間（エンディング時間）などが含まれている。そして、パチンコ遊技機ＰＹ１は、例えば図１４（Ａ）に示すような小当たり遊技制御テーブルを用いて小当たり遊技を制御することが可能である。すなわち、図１４（Ｃ）に示すように小当たり遊技の種別および小当たり遊技に対する小当たり遊技構成要素を設定することが可能である。
【０１７８】
図１４に示す小当たり遊技では、開放遊技が２回行われる。そして、各開放遊技では、０．２秒にわたって大入賞口１４が開放する。なお、各開放遊技間の大入賞口１４の閉鎖時間は２．０秒である。また、小当たり遊技が開始されてから最初の開放遊技が開始されるまでの間、１．０秒間にわたり大入賞口１４の閉鎖状態が保持されたオープニングがある。さらに、最後の開放遊技が終了してから小当たり遊技が終了するまでの間、１．０秒間にわたり大入賞口１４の閉鎖状態が保持されたエンディングがある。
【０１７９】
４．遊技機による主な演出
次に、パチンコ遊技機ＰＹ１により行われる主な演出について、図１５〜図２８を用いて説明する。
【０１８０】
４−１．演出モード
最初に、演出モードについて説明する。演出モードは、演出の区分（あるいは、上位概念的な属性）のことである。パチンコ遊技機ＰＹ１は、演出モードとして、客待ち演出モード、通常演出モードと、確変演出モード、時短演出モードおよび大当たり演出モードを設定することが可能である。
【０１８１】
客待ち演出モードは、「低確率低ベース遊技状態」、「低確率高ベース遊技状態」、「高確率低ベース遊技状態」および「高確率高ベース遊技状態」において特図可変表示が行われていないときに設定可能であり、特図可変表示が行われていない待機状態であることを示す演出モードである。客待ち演出モードが設定されているときに客待ち演出が行われる。客待ち演出では、例えば、図１５（Ａ）に示すように、表示部５０ａにおいてパチンコ遊技機ＰＹ１を紹介する客待ちデモ動画Ｇ１００が表示する。また、客待ちデモ動画Ｇ１００が表示されているときに第１演出ボタン４０ｋが操作されると、図１５（Ｂ）に示すように、パチンコ遊技機ＰＹ１の演出に関する設定を行うための設定画面Ｇ１０１が表示される。演出に関する設定には、スピーカ５２から出力される音の音量設定、表示部５０ａの輝度設定、および実行される演出の頻度設定などがある。なお、演出に関する設定の項目は適宜に設定することができる。また、客待ちデモ動画Ｇ１００から遊技者の操作によって設定画面Ｇ１０１が表示されないようにすることもできる。
【０１８２】
通常演出モードは、「低確率低ベース遊技状態」において設定可能であり、通常遊技状態であることを示す演出モードである。そして、さらに通常演出モードに属する下位の演出モードを複数設けることができる。例えば、通常演出モードに属する下位の階層の演出モードとして、表示部５０ａにおいて街の景色を表す背景画像（図１６（Ａ）：第１通常用背景画像Ｇ１１１）が表示される第１通常演出モード、表示部５０ａにおいて野球場のグラウンドを表す背景画像（図１６（Ｂ）：第２通常用背景画像Ｇ１１２）が表示される第２通常演出モード、および表示部５０ａにおいて飲食店内を表す背景画像（図１６（Ｃ）：第３通常用背景画像Ｇ１１３）が表示される第３通常演出モードなどを設けることができる。なお、以下において、演出モードに属する下位の階層の演出モードを「演出ステージ」ともいう。
【０１８３】
このように通常演出モードに属する複数の演出ステージを設けた場合、所定の切替条件が成立すると演出ステージを順番に繰り返して切り替えていくことができる。切替条件は適宜に設定可能であるが、例えば、切替条件として、大当たりに当選することなく１回または複数回の特図可変演出が行われることを設定することができる。さらに、切替条件として、ＳＰリーチ変動に基づく特図変動演出など、特定の演出が実行されることを設定することもできる。
【０１８４】
また、後述するように特図変動演出においてリーチが発生することがあるが、特図変動演出を、リーチが発生しない場合の特図変動演出の全区間、およびリーチが発生する場合のリーチが成立する前の前段部分と、リーチが発生する場合のリーチが成立した後の後段部分と、に分けることができる。なお、前段部分は、前述の「通常変動」で構成される。
【０１８５】
そして、通常演出モードが設定されているとき、第１通常用背景画像Ｇ１１１、第２通常用背景画像Ｇ１１２、および第３通常用背景画像Ｇ１１３は前段部分において表示される。一方、後段部分においては、第１通常用背景画像Ｇ１１１、第２通常用背景画像Ｇ１１２および第３通常用背景画像Ｇ１１３が表示されず、通常演出モードにおけるリーチの種類に応じた専用の背景画像が表示される。
【０１８６】
なお、通常演出モードにおけるリーチの種類に応じた専用の背景画像は、演出ステージの種別に関係なく通常演出モードに共通の背景画像としても良く、また、演出ステージ毎に異なる背景画像としても良い。
【０１８７】
また、「高確率低ベース遊技状態」においても通常演出モードを設定可能にし、通常演出モードは非時短状態であることを示す演出モードにしても良い。あるいは「高確率低ベース遊技状態」においてのみ設定され、通常演出モードとは異なる特定演出モードを設けても良い。さらに、ある条件で発生した低確率低ベース遊技状態、および高確率低ベース遊技状態において、通常演出モードと異なる特定演出モードを設定しても良い。
【０１８８】
確変演出モードは、「高確率高ベース遊技状態」において設定可能であり、高確率高ベース遊技状態であることを示す演出モードである。確変演出モードでは、例えば、図１６（Ｄ）に示すように、表示部５０ａにおいて宇宙を表す背景画像（確変用背景画像Ｇ１２０）が表示され、確変用ＢＧＭがスピーカ５２から出力される。さらに、確変演出モードも通常演出モードと同様に、確変用背景画像Ｇ１２０は特図変動演出の前段部分において表示される。そして、特図変動演出の後段部分では、確変演出モードにおけるリーチの種類に応じた専用の背景画像が表示される。
【０１８９】
時短演出モードは、「低確率高ベース遊技状態」または「高確率高ベース遊技状態」において設定可能であり、低確率高ベース遊技状態、または高確率高ベース遊技状態の何れかであり、少なくとも時短状態であることを示す演出モードである。時短演出モードでは、例えば、図１６（Ｅ）に示すように、表示部５０ａにおいて空を表す背景画像（時短用背景画像Ｇ１３０）が表示され、時短用ＢＧＭがスピーカ５２から出力される。さらに、時短演出モードも通常演出モードと同様に、時短用背景画像Ｇ１３０は特図変動演出の前段部分において、表示される。そして、特図変動演出の後段部分においては、時短演出モードにおけるリーチの種類に応じた専用の背景画像が表示される。
【０１９０】
なお、時短演出モードは、低確率高ベース遊技状態においてのみ設定され、低確率高ベース遊技状態であることを示す演出モードにすることもできる。
【０１９１】
また、確変演出モードおよび時短演出モードの何れもまたは何れか一方について、通常演出モードと同様に、さらにその演出モード用の演出ステージを複数設け、所定の切替条件が成立すると、演出ステージが切り替わるようにしても良い。
【０１９２】
大当たり演出モードは、「大当たり遊技状態」において大当たり遊技が行われているときに設定可能な演出モードであり、大当たり遊技が行われていることを示す演出モードである。大当たり演出モードでは、例えば、大当たり遊技におけるオープニング中に、図１７（Ａ）に示すように、表示部５０ａにおいて、大当たり遊技の開始を示唆するオープニング画像Ｇ１や「右打ち」を促す右打ち画像Ｇ２が表示される大当たりオープニング演出が行われる。また、大当たり遊技におけるラウンド遊技中には、図１７（Ｂ）に示すように、表示部５０ａにおいて、ラウンド数を示すラウンド画像Ｇ３や払い出された賞球数を示唆する賞球数画像Ｇ４が表示されるラウンド演出が行われる。さらに、大当たり遊技におけるエンディング中には、図１７（Ｃ）に示すように、表示部５０ａにおいて、大当たり遊技後に設定される演出モードを示唆するエンディング画像Ｇ５１や払い出された総賞球数を示唆する総賞球数画像Ｇ５２が表示される大当たりエンディング演出が行われる。
【０１９３】
なお、以下において、大当たりオープニング演出、ラウンド演出、および大当たりエンディング演出を合わせて、大当たり遊技において実行される演出として「大当たり遊技演出」ともいう。すなわち、大当たり演出モードにおいて大当たり遊技演出が行われる。
【０１９４】
４−２．特図変動演出
次に、特図変動演出について説明する。パチンコ遊技機ＰＹ１は、特図の可変表示が開始されると、特図の可変表示に係る特図変動パターンおよび特図抽選結果（大当たり判定結果、大当たり図柄種別判定結果、リーチ判定結果、および、特図変動パターン判定結果）などに基づいて、特図変動演出を実行する。
【０１９５】
特図変動演出では、表示部５０ａにおいて、所定の背景画像に重畳的に、演出図柄の変動表示が行われる。演出図柄の変動表示では、演出図柄が変動した後に停止する。すなわち、特図変動時間、演出図柄の変動表示が行われた後に、当該変動が停止して、演出図柄の停止表示が行われる。そして、演出図柄の停止表示によって特図抽選の結果が報知される。
【０１９６】
なお、表示部５０ａで行われる特図変動演出では、演出図柄の変動表示以外の画像を用いることも可能である。さらに、表示部５０ａを含む画像表示装置５０以外に、スピーカ５２、枠ランプ５３、盤可動装置５５、第１演出ボタン４０ｋ、おおび第２演出ボタン４１ｋなどの様々な演出装置を用いた特図変動演出を行うことが可能である。
【０１９７】
最初に、特図可変表示に応じて実行される特図変動演出において表示部５０ａに表示される演出図柄、および演出図柄を表示するための演出図柄表示領域について説明する。演出図柄の具体的な構成は適宜に設定可能である。例えば、画像表示装置５０の表示部５０ａを、演出図柄を表示する領域として、図１８（Ａ）に示すように、表示部５０ａを水平方向に略均等に３つに分けた左側、中央および右側それぞれに、左演出図柄領域５０ｂ１、中演出図柄領域５０ｂ２、および右演出図柄領域５０ｂ３を設ける。左演出図柄領域５０ｂ１は、特図変動演出における演出図柄の停止表示のときに、左演出図柄ＥＺ１を表示する領域である。同様に、中演出図柄領域５０ｂ２および右演出図柄領域５０ｂ３は、中演出図柄ＥＺ２および右演出図柄ＥＺ３を表示する領域である。このように、特図変動演出において表示部５０ａに表示する演出図柄を、３つの演出図柄ＥＺ１〜ＥＺ３で構成することができる。
【０１９８】
また、図１８（Ａ）に示すように、表示部５０ａの下端部の左端（左下隅）の一区画に、小図柄領域５０ｃを設けることが可能である。そして、特図の可変表示が行われているときに小図柄領域５０ｃにおいて、特図の可変表示に応じて小図柄ＫＺ１〜ＫＺ３を可変表示させることができる。
【０１９９】
なお、図１８（Ａ）において、左演出図柄領域５０ｂ１、中演出図柄領域５０ｂ２、右演出図柄領域５０ｂ３、および小図柄領域５０ｃは一点鎖線で明示されているが、これは左演出図柄領域５０ｂ１、中演出図柄領域５０ｂ２、右演出図柄領域５０ｂ３、および小図柄領域５０ｃの範囲を表すために記載したものであり、実際には表示されていない。
【０２００】
また、前述したように、特図変動演出の演出フローを構成する演出として、通常変動、Ｎリーチ、Ｌリーチ、ＳＰリーチ、およびバトル演出がある。ここで、これらの一部について説明する。
【０２０１】
４−２−１．通常変動
パチンコ遊技機ＰＹ１は、特図変動演出において、先ず通常変動を行うことが可能である。通常変動は、特図の可変表示が開始されたことを示唆する演出として機能する。次に、通常変動を具体的に説明する。
【０２０２】
例えば、図１８（Ａ）に示すように、表示部５０ａにおいて、左演出図柄ＥＺ１、中演出図柄ＥＺ２および右演出図柄ＥＺ３が停止表示されていると共に、左小図柄ＫＺ１、中小図柄ＫＺ２および右小図柄ＫＺ３が停止表示されており、特図の可変表示が行われておらず、特図の可変表示を待機している状態から、特図の可変表示が開始されると、図１８（Ｂ）に示すように、その開始に伴って特図変動演出が開始される。具体的には、演出図柄ＥＺ１〜ＥＺ３の変動表示が開始されると共に、左小図柄ＫＺ１、中小図柄ＫＺ２および右小図柄ＫＺ３の変動表示が開始される。
【０２０３】
そして、この特図の可変表示の特図変動パターンがリーチ無しハズレの特図変動パターン（例えば、通常ハズレ変動）であると、リーチが発生することなく、特図の可変表示の終了（特図の停止表示）に伴って、リーチ無しハズレに特有なハズレ目（所謂「バラケ目」）で演出図柄ＥＺ１〜ＥＺ３の停止表示が行われる。
【０２０４】
演出図柄ＥＺ１〜ＥＺ３の停止表示に向けて、例えば、最初に図１８（Ｃ）に示すように、左演出図柄ＥＺ１が上下方向略中央位置で仮停止し、次に図１８（Ｄ）に示すように、右演出図柄ＥＺ３が上下方向略中央位置で仮停止し、さらに、図１８（Ｅ）に示すように、中演出図柄ＥＺ２が上下方向略中央位置で仮停止する。
【０２０５】
そして、最後に、上下方向略中央位置で水平方向に並んだ状態で仮停止している演出図柄ＥＺ１〜ＥＺ３が、図１８（Ｆ）に示すように、そのまま一斉に完全に停止し、停止が確定する（演出図柄ＥＺ１〜ＥＺ３の停止表示が行われる）。仮停止していた演出図柄ＥＺ１〜ＥＺ３がバラケ目で完全に停止するとき、すなわち、演出図柄ＥＺ１〜ＥＺ３の停止表示が行われるとき、３つの小図柄ＫＺ１〜ＫＺ３が、演出図柄ＥＺ１〜ＥＺ３と同一のバラケ目で一斉に停止し、小図柄ＫＺ１〜ＫＺ３の停止表示も行われる。
【０２０６】
なお、図１８の例では、演出図柄ＥＺ１〜ＥＺ３の停止表示が行われる際に、左演出図柄ＥＺ１→右演出図柄ＥＺ３→中演出図柄ＥＺ２の順で演出図柄が仮停止したが、仮停止する態様はこれに限られず、適宜に設定することができる。
【０２０７】
一方、特図の可変表示の特図変動パターンがリーチ有りハズレの特図変動パターン（例えば、Ｎハズレ変動）であると、前述のリーチ無しの場合と同様に、表示部５０ａにおいて、図１９（Ａ）に示すように、左演出図柄ＥＺ１、中演出図柄ＥＺ２および右演出図柄ＥＺ３が停止表示されていると共に、左小図柄ＫＺ１、中小図柄ＫＺ２および右小図柄ＫＺ３が停止表示されている状態から、特図の可変表示が開始されて、図１９（Ｂ）に示すように、演出図柄ＥＺ１〜ＥＺ３の変動表示が開始すると共に、左小図柄ＫＺ１、中小図柄ＫＺ２および右小図柄ＫＺ３の変動表示が開始するとする。
【０２０８】
そして、例えば図１９（Ｃ）に示すように、数字「５」からなる左演出図柄ＥＺ１が上下方向略中央位置で仮停止し、次に、図１９（Ｄ）に示すように、同一の数字「５」からなる右演出図柄ＥＺ３が上下方向略中央位置で水平方向に並んで仮停止して、リーチになる（リーチが発生または成立する）。演出図柄でリーチが成立しても、左小図柄ＫＺ１、中小図柄ＫＺ２および右小図柄ＫＺ３の変動表示は継続して行われている。
【０２０９】
なお、図１９の例では、リーチが成立する際に、左演出図柄ＥＺ１→右演出図柄ＥＺ３の順で演出図柄が仮停止したが、仮停止する態様はこれに限られず、適宜に設定することができる。また、リーチを構成する演出図柄の数字も「５」に限られない。また、仮停止する位置も上下方向略中央位置に限られない。また、リーチを構成する演出図柄が並ぶ方向も水平方向に限られず斜め方向など他の方向であってもよい。
【０２１０】
このように、リーチ無しハズレである場合の特図変動演出の全期間と、リーチが発生する場合の特図変動演出の開始時からリーチ成立時までの区間が通常変動となる。
【０２１１】
４−２−２．Ｎリーチ
パチンコ遊技機ＰＹ１は、通常変動の後にリーチが成立するとＮリーチを行うことが可能である。Ｎリーチは、特図抽選の抽選結果が「大当たり」であった可能性があることを示唆する演出であり、遊技者に大当たりを期待させるための演出として機能する。次に、Ｎリーチを具体的に説明する。
【０２１２】
リーチが成立すると、例えば、図１９（Ｄ）に示すように、その時点からＮリーチが行われる。Ｎリーチでは、図２０（Ａ）に示すように、リーチが成立した状態が所定時間（例えば、１０秒）維持される。Ｎリーチが開始されると、図２０（Ｂ）に示すように、通常態様の高速で変動表示（スクロール）をしている中演出図柄ＥＺ２が徐々に減速していく。
【０２１３】
特図の可変表示の特図変動パターンがリーチ有りハズレの特図変動パターン（例えば、Ｎハズレ変動）であると、リーチが成立した状態から、中演出図柄ＥＺ２が上下方向略中央位置で仮停止してハズレを示す演出図柄の停止表示が行われる。このとき、リーチが成立しているので、図２０（Ｃ−１）に示すように、リーチを構成する数字とは異なる数字（図２０（Ｃ−１）において「４」）からなる中演出図柄ＥＺ２が仮停止する。そして、特図の可変表示の終了（特図の停止表示）に伴って、図２０（Ｄ）に示すように、仮停止状態が完全な停止状態になり、リーチ有りハズレに特有なハズレ目で左演出図柄ＥＺ１、中演出図柄ＥＺ２および右演出図柄ＥＺ３の停止表示が行われる。
【０２１４】
また、仮停止していた演出図柄ＥＺ１〜ＥＺ３がリーチ有りハズレに特有なハズレ目で完全に停止するとき、すなわち、演出図柄ＥＺ１〜ＥＺ３の停止表示が行われるとき、３つの小図柄ＫＺ１〜ＫＺ３が、演出図柄ＥＺ１〜ＥＺ３と同一のリーチ有りハズレに特有なハズレ目で一斉に停止し、小図柄ＫＺ１〜ＫＺ３の停止表示も行われる。なお、Ｎリーチの内容は、適宜に変更または追加することが可能である。
【０２１５】
Ｎリーチで特図変動演出が終了しない場合、残りの１つの演出図柄が再び高速で変動し、リーチが維持されたままＮリーチからＬリーチまたはＳＰリーチに発展する（切り替わる）。
【０２１６】
４−２−３．ＳＰリーチ
パチンコ遊技機ＰＹ１は、Ｎリーチの後にＳＰリーチを行うことが可能である。ＳＰリーチは、特図抽選の抽選結果が「大当たり」であった可能性が、Ｎリーチよりも高いことを示唆する演出であり、遊技者に大当たりを期待させるための演出として機能する。なお、ＳＰリーチでも、成立したリーチが維持されるが、例えば、図２１（Ａ）に示すように、ＳＰリーチ開始時に、当該リーチを構成する演出図柄が縮小されると共に、表示部５０ａにおける小図柄領域５０ｃに重複しない所定位置（例えば、左演出図柄ＥＺ１は表示部５０ａの左上で、右演出図柄ＥＺ３は表示部５０ａの右上）に移動する。
【０２１７】
また、ＳＰリーチ開始時に、例えば、図２１（Ａ）に示すように、表示部５０ａにＳＰリーチ専用の背景画像（ＳＰリーチ用背景画像Ｇ１１５）が表示され、主人公キャラクタが出現し、続いて図２１（Ｂ）に示すように、主人公キャラクタと主人公キャラクタのライバルである敵キャラクタＡが対峙しているシーンが表示される。ＳＰリーチでは野球のピッチャーとバッターの対決シーンで構成され、主人公キャラクタがピッチャーであり、敵キャラクタＡがバッターである。
【０２１８】
次に、図２１（Ｃ）に示すように、表示部５０ａの中央にＳＰリーチが開始されたことを表す画像（ＳＰリーチ開始タイトル画像）Ｇ１０が表示される。ＳＰリーチ開始タイトル画像Ｇ１０は、ＳＰリーチのタイトルを表すタイトル画像Ｇ１０ａ「図２１（Ｃ）において「敵バッターＡを打ち取れ!!」」と、タイトル画像Ｇ１０ａを引き立てるエフェクト画像Ｇ１０ｂとで構成される。
【０２１９】
その後、ＳＰリーチ用背景画像Ｇ１１５にて、図２２（Ａ）に示すように、主人公キャラクタが敵キャラクタＡにボールを投げ、図２２（Ｂ）に示すように、敵キャラクタＡがバットを振り始める。続いて、図２２（Ｃ）に示すように、ボールとバットとが接近し、主人公キャラクタと敵キャラクタＡとの対決に決着がつこうとする場面を迎える。この場面は、ピッチャーとバッターの対決で主人公キャラクタが勝利するか敗北するかの分岐点（勝敗分岐点）を構成する。
【０２２０】
この勝敗分岐点後、特図の可変表示の特図変動パターンが大当たりの特図変動パターン（例えば、ＳＰ大当たり変動）であると、図２３（Ａ−１）に示すように、表示部５０ａに、敵キャラクタＡが空振りをして対決に勝利した後、図２３（Ｂ−１）に示すように、敵キャラクタＡを三振に取ってマウンド上で雄叫びを上げる主人公キャラクタが表示されると共に、スピーカ５２から所定の効果音が出力される。このとき、演出図柄ＥＺ１〜ＥＺ３は大当たりを示す態様で仮停止表示している。
【０２２１】
このように、対決に勝利して雄叫びを上げている主人公キャラクタの表示と、所定の効果音の出力とが、大当たりを報知する演出（大当たり報知演出）を構成する。その後、図２３（Ｃ−１）に示すように、演出図柄ＥＺ１〜ＥＺ３および小図柄ＫＺ１〜ＫＺ３の停止表示が行われる。
【０２２２】
一方、勝敗分岐点後、特図の可変表示の特図変動パターンがリーチ有りハズレの特図変動パターン（例えば、ＳＰハズレ変動）であると、大当たり報知演出が行われることなく、ＳＰリーチ用背景画像Ｇ１１５にて、図２３（Ａ−２）に示すように、敵キャラクタＡがホームランを打って対決に敗北し、図２３（Ｂ−２）に示すように、主人公キャラクタがマウンド上で落胆する映像が流れるハズレ報知演出が行われる。
【０２２３】
その後、図２３（Ｃ−２）に示すように、ハズレ目で演出図柄ＥＺ１〜ＥＺ３および小図柄ＫＺ１〜ＫＺ３の停止表示が行われる。なお、ＳＰリーチの内容は、キャラクタ同士が野球で対決する内容に限られず、適宜に変更または追加することが可能である。
【０２２４】
次に、特図変動演出において行われる可動体演出と操作演出について説明する。可動体演出と操作演出は、前述のＳＰリーチやＮリーチ、さらには大当たり遊技演出などに組み込まれる形でこれらの演出の一部として行われる場合と、これらの演出とは独立して行われる場合とがある。最初に可動体演出について説明する。
【０２２５】
４−３．可動体演出
パチンコ遊技機ＰＹ１は、特図変動演出や大当たり遊技演出などの所定の演出における所定のタイミングで可動体の動作を伴う可動体演出を行うことが可能である。可動体演出は、例えば盤可動装置５５などの可動装置を用いた演出であり、大当たり期待度やＳＰリーチへの発展を示唆する演出として機能する。
【０２２６】
例えば、図２４（Ａ）に示すように、特図変動演出において、ＮリーチからＳＰリーチに発展する際に、まずは図２４（Ｂ）に示すように、盤可動装置５５が作動し、盤可動体５５ｋが正面視で作動位置まで下降し、所定時間その位置で保持される。そして、図２４（Ｃ）に示すように、盤可動体５５ｋが待機位置まで上昇して、盤可動装置５５が通常の待機状態に戻る。盤可動装置５５が通常の待機状態に戻ると、主人公キャラクタが表示部５０ａに大きく表示されているシーンが表示され、ＳＰリーチに発展する。なお、可動体演出における可動装置の作動内容は、適宜に変更または追加することが可能である。
【０２２７】
４−４．操作演出
次に操作演出について説明する。パチンコ遊技機ＰＹ１は、特図変動演出や大当たり遊技演出などの所定の演出における所定のタイミングで、第１演出ボタン４０ｋや第２演出ボタン４１ｋ等の操作手段を用いた操作促進演出および操作手段の操作に応じた操作結果演出を含む操作演出を行うことが可能である。操作促進演出は、遊技者に操作手段の操作を促す演出であり、操作結果演出は、操作促進演出における操作手段の操作に応じて行われる演出であり、それぞれ遊技者に大当たりを期待させるための演出として機能する。
【０２２８】
例えば、前述のように、ＳＰリーチにおいて勝敗分岐点に達すると、第２演出ボタン４１ｋの押下操作が有効な期間（第２演出ボタン操作有効期間）が発生し、この第２演出ボタン操作有効期間の発生に伴って、図２５（Ａ）に示すように、第２演出ボタン４１ｋの操作を促す演出（第２演出ボタン操作促進演出）が行われる。
【０２２９】
第２演出ボタン操作促進演出において、表示部５０ａに、第２演出ボタン操作促進画像Ｇ１１が表示される。第２演出ボタン操作促進画像Ｇ１１は、第２演出ボタン４１ｋを表す画像（第２演出ボタン画像）Ｇ１１ａと、第２演出ボタン４１ｋの操作態様（すなわち、押下操作）を表す画像（押下操作画像）Ｇ１１ｂと、第２演出ボタン４１ｋの操作に係る操作有効期間（第２演出ボタン操作有効期間）の残り時間を表す画像（操作有効期間残り時間画像）Ｇ１１ｃと、を含む。
【０２３０】
なお、第２演出ボタン操作有効期間残り時間画像Ｇ１１ｃは、おおむね曲線状のプログレスバーからなり、時間の経過に伴って、遊技者が演出ボタン操作有効期間の残り時間を容易に理解できるように変化する。なお、図２５（Ｂ）は、第２演出ボタン操作有効期間が発生して、第２演出ボタン操作有効時間の１／３の時間が経過した様子を表している。
【０２３１】
そして、特図の可変表示の特図変動パターンが大当たりの特図変動パターン（例えば、ＳＰ大当たり変動）であると、第２演出ボタン操作有効期間において第２演出ボタン４１ｋが押下操作された後、または、第２演出ボタン操作有効期間において第２演出ボタン４１ｋが操作されることなく操作有効期間の残り時間がなくなった後、操作結果演出が行われる。
【０２３２】
操作結果演出としては、例えば図２５（Ｃ）に示すように、盤可動装置５５が作動して、盤可動体５５ｋが作動位置まで下降し、所定時間その位置で保持されると共に、回転部材５５ｋ１が所定時間回転する。すなわち、操作結果演出に可動体演出も含まれている。さらに、このとき、操作結果演出として盤可動体５５ｋの動作に伴うエフェクト画像Ｇ１２も表示される。そして、図２５（Ｄ）に示すように、エフェクト画像Ｇ１２が消去され、回転部材５５ｋ１の回転が止まり、盤可動体５５ｋが上昇することによって操作結果演出が終了する。操作結果演出が終了すると大当たり報知演出が行われる。
【０２３３】
一方、特図の可変表示の特図変動パターンがリーチ有りハズレの特図変動パターン（例えば、ＳＰハズレ変動）であると、第２演出ボタン操作有効期間において第２演出ボタン４１ｋが押下操作されても、または、第２演出ボタン４１ｋが押下操作されることなく演出ボタン操作有効期間の残り時間がなくなっても、操作結果演出が行われることがなく、ハズレ報知演出が行われる。
【０２３４】
なお、操作結果演出は、盤可動装置５５の作動やエフェクト画像Ｇ１２の表示に限られず、適宜に変更または追加することが可能である。また、操作演出は特図変動演出に限られず大当たり演出においても実行可能である。
【０２３５】
４−５．先読み演出
次に、特図保留の対象となる特図可変表示が実行される前に実行可能な先読み演出について説明する。パチンコ遊技機ＰＹ１は、特図変動演出の任意のタイミングで、先読み判定の結果に基づいて、特図抽選が行われていない特図１保留または特図２保留に対する先読み演出を行うことが可能である。先読み演出は、特図１保留または特図２保留に対する大当たり期待度を示唆する演出であり、その保留に対応する特図の可変表示の前から大当たりを期待させる演出として機能する。先読み演出の一例として、特図保留を表す保留演出を用いた保留変化予告がある。ここで、通常演出モードにおいて行われる保留演出、および保留変化予告について説明する。
【０２３６】
保留演出は、図２６（Ａ）に示すように、表示部５０ａの下端部における略中央の一区画において横長矩形状に形成された保留表示領域５０ｄにおいて行われる。保留表示領域５０ｄは、保留表示領域５０ｄを左右方向に略均等に４つに分割した第１領域５０ｄ１、第２領域５０ｄ２、第３領域５０ｄ３、および、第４領域５０ｄ４で構成されている。すなわち、保留表示領域５０ｄにおいて、第１領域５０ｄ１〜第４領域５０ｄ４が左端から右端に向けて順に並んで設けられている。
【０２３７】
第１領域５０ｄ１には、保留されている特図１保留の中で最も先に発生し、その特図１保留に対応する特図１関係乱数に基づいて最も先に特図１可変表示が行われる特図１保留を表す保留アイコンが表示される。同様に、第２領域５０ｄ２〜第４領域５０ｄ４には、保留されている特図１保留の中で２〜４番目に発生し、その特図１保留に対応する特図１関係乱数に基づいて２〜４番目に特図１可変表示が行われる特図１保留を表す保留アイコンが表示される。
【０２３８】
なお、以下において、第１領域５０ｄ１に表示される保留アイコンに対応する特図１保留のことを「保留順１の特図１保留」と称する。同様に、第２領域５０ｄ２、第３領域５０ｄ３、および第４領域５０ｄ４に表示される保留アイコンに対応する特図１保留のことを「保留順２の特図１保留」、「保留順３の特図１保留」、および「保留順４の特図１保留」と称する。すなわち、存在している特図１保留について、発生した順に「保留順１」〜「保留順４」と称する。
【０２３９】
また、保留表示領域５０ｄの左隣には、当該変動表示領域５０ｅが形成されている。当該変動表示領域５０ｅには、現在実行中の特図１変動表示を表す変動アイコンが表示される。よって、当該変動表示領域５０ｅに表示される変動アイコンが示す対象は、保留表示領域５０ｄに表示される保留アイコンが示す対象と異なり、厳密には、特図１保留に応じた「保留演出」には含まれないが、保留アイコンの表示と変動アイコンの表示とは関連性を有しているので、以下においては、保留アイコンの表示と変動アイコンの表示とをまとめて、「保留演出」とする。また、保留アイコンと変動アイコンとをまとめて、「アイコン」と称する。
【０２４０】
なお、図２６（Ａ）において保留表示領域５０ｄおよび当該変動表示領域５０ｅは破線で明示されているが、これは保留表示領域５０ｄおよび当該変動表示領域５０ｅの範囲を表すために記載したものであり、実際には表示されていない。
【０２４１】
次に、保留演出の具体例について説明する。なお、以降の説明では、小図柄ＫＺ１〜ＫＺ３の表示は省略する。前提として、特図１変動表示中（特図変動演出中）であり、特図１保留数（Ｕ１）が「２」であるとする。この状況下において、図２６（Ｂ）に示すように、前述した不図示の第１領域５０ｄ１において、現在保留されている特図１保留の中で最も先に発生した特図１保留（保留順１の特図１保留）を表した保留アイコンＨＡ２が表示され、前述した不図示の第２領域５０ｄ２において、保留アイコンＨＡ２が表す特図１保留の次に発生した特図１保留（保留順２の特図１保留）を表した保留アイコンＨＡ３が表示されている。また、前述した不図示の当該変動表示領域５０ｅには、現在実行中の特図１変動表示を表す変動アイコンＨＡ１が表示されている。なお、図２６（Ｂ）で表示されているアイコンＨＡ１〜ＨＡ３の表示態様は通常態様である。
【０２４２】
このように、保留演出においては、特図１保留が発生した順に保留表示領域５０ｄの左端から右に並んで表示される。すなわち、保留されている特別図柄の可変表示、言い換えれば、特図保留記憶部１０５に記憶されている特図関連判定情報に基づく未実行の特別図柄の可変表示は、個別に保留アイコンで表示される。
【０２４３】
そして、図２６（Ｃ）に示すように、演出図柄ＥＺ１〜ＥＺ３の停止表示が行われると、その直前まで実行中の特図変動表示を表していた変動アイコンＨＡ１が消去される。続けて、保留アイコンＨＡ２を表す特図１保留に基づいて特別図柄の可変表示（特図変動演出）が開始されると、保留アイコンＨＡ２と保留アイコンＨＡ３がシフトする。具体的には、不図示の第１領域５０ｄ１に表示されていた保留アイコンＨＡ２は不図示の当該変動表示領域５０ｅに移動し、不図示の第２領域５０ｄ２に表示されていた保留アイコンＨＡ３は不図示の第１領域５０ｄ１に移動する。すなわち、表示されていた保留アイコンＨＡ２および保留アイコンＨＡ３がそれぞれ１つずつ左にシフトする。これは、保留アイコンＨＡ２に対応する特別図柄の可変表示が開始され、保留アイコンＨＡ３が表す特図１保留が、現在保留されている特図１保留の中で最も先に発生した特図１保留になり、次に開始される特図可変表示になったことに応じて、保留アイコンＨＡ２および保留アイコンＨＡ３をその状況に適応させるためである。
【０２４４】
また、当該変動表示領域５０ｅに表示されている保留アイコンＨＡ２は、実行中の特図１変動表示を表しているので、当該変動表示領域５０ｅに表示される際に変動アイコンＨＡ２となる。すなわち、「アイコン」の前に付く言葉として、保留表示領域５０ｄに表示されているアイコンについては「保留」とし、当該変動表示領域５０ｅに表示されているアイコンについては「変動」とする。換言すれば、保留アイコンが表示されているときに、該保留アイコンが示す特図保留に対して特別図柄の変動表示の開始条件が成立すると、該開始条件の成立に係る特別図柄の変動表示に対応する保留アイコンが変動アイコンとして表示される。また、保留アイコンから変動アイコンになる際に、言い換えると、アイコンは保留表示領域５０ｄから当該変動表示領域５０ｅに移動する際に、約２倍に拡大する。
【０２４５】
そして、この状況から第１始動口１１に遊技球が入賞して、特図１保留が発生すると、図２６（Ｅ）に示すように、当該特図１保留の発生に応じて、新たな保留アイコンＨＡ４が前述した不図示の第２領域５０ｄ２に表示される。
【０２４６】
ところで、前述のとおり、始動入賞コマンドには当否情報および特図変動パターン情報が含まれている。そして、パチンコ遊技機ＰＹ１は、この当否情報および特図変動パターン情報に基づいて、保留アイコンを通常態様、または特別態様で表示することができる。この保留アイコンを特別態様で表示することを「保留変化予告」という。
【０２４７】
保留アイコンの表示態様が特別態様である、すなわち保留変化予告が行われると、遊技者は、その保留アイコンに対応した特別図柄の可変表示で大当たりに当選できるかもしれないという期待を持つことができる。次に、保留変化予告の具体例について説明する。保留変化予告の具体例として、図２６（Ｅ）に示す保留アイコンＨＡ４の表示態様が特別態様になるとする。
【０２４８】
保留変化予告の１つの種別として、保留アイコンが表示された直後に特別態様になる、言い換えれば、特図１保留の発生時（第１始動口１１への入賞時）に保留変化予告が行われる保留変化予告種別がある。例えば、図２７（Ａ）に示すように、保留アイコンＨＡ４が表示される前の状況（図２６（Ｄ）の状況）から、第１始動口１１に遊技球が入賞して、特図１保留が発生すると、図２７（Ｂ）に示すように、当該特図１保留の発生に応じて、通常態様（図２７（Ｂ）において白色）の保留アイコンＨＡ４が前述した不図示の第２領域７３ａ２に表示される。
【０２４９】
そして、その直後に、図２７（Ｃ）に示すように、保留アイコンＨＡ４の表示態様が通常態様から特別態様（図２７（Ｃ）において灰色）に変化する（保留変化予告が行われる）。なお、図２７の例では保留アイコンＨＡ４は表示直後に一瞬通常態様で表示されるが、特別態様で表示されるようにし、通常態様で表示される期間をなくしてもよい。
【０２５０】
別の保留変化予告の種別として、保留アイコンが移動する際に特別態様になる、言い換えれば、特図１保留のシフト時に保留変化予告が行われる保留変化予告種別がある。例えば、図２８（Ａ）に示すように、保留アイコンＨＡ４が表示される前の状況（図２６（Ｄ）の状況）から、第１始動口１１に遊技球が入賞して、特図１保留が発生すると、図２８（Ｂ）に示すように、当該特図１保留の発生に応じて、通常態様（図２８（Ｂ）において白色）の保留アイコンＨＡ４が前述した不図示の第２領域５０ｄ２に表示される。
【０２５１】
そして、図２８（Ｃ）に示すように、演出図柄ＥＺ１〜ＥＺ３の停止表示が行われると、その直前まで実行中の特図変動表示を表していた変動アイコンＨＡ２が消去される。続けて、保留アイコンＨＡ３が表す特図１保留に基づいて特別図柄の可変表示（特図変動演出）が開始されると、図２８（Ｄ）に示すように、第１領域５０ｄ１に表示されていた保留アイコンＨＡ３は不図示の当該変動表示領域５０ｅに移動し、第２領域５０ｄ２に表示されていた保留アイコンＨＡ４は不図示の第１領域５０ｄ１に移動する。ここで、保留アイコンＨＡ４が第２領域５０ｄ２から第１領域５０ｄ１に移動する際に、その表示態様が通常態様から特別態様（図２８（Ｄ）において灰色）に変化する（保留変化予告が行われる）。
【０２５２】
また、保留変化予告に係る特別態様を複数種類設けて、特別態様の種類によって大当たり期待度が異なるようにすることができる。例えば、保留アイコンの表示態様を、保留アイコンの色に関連付け、保留アイコンの表示態様として白色、青色、赤色、および金色が設定されているとする。ここで、白色が通常態様であり、青色、赤色、および金色が特別態様とする。そして、保留アイコンの表示態様が示す大当たり期待度は、白色＜青色＜赤色＜金色の順で高くなるように設定することができる。
【０２５３】
なお、先読み演出は、特図１保留および特図２保留の両方または一方に対して行うことが可能である。また、先読み演出は、保留アイコンＨＡの表示態様に限られず、例えば背景画像などの表示部５０ａにおける保留アイコンＨＡ以外の画像や、スピーカ５２から出力される音、枠ランプ５３による発光、および盤可動装置５５による動作などの画像表示装置５０以外の演出装置を用いて実行することが可能である。さらには、先読み演出の演出態様として、保留アイコンＨＡによる保留変化予告などのように実行されてから特図変動表示が開始されるまで途切れることなく継続する演出態様の他に、演出図柄の停止表示が行われる度または演出図柄の変動表示が開始される度など、断続的且つ連続的に実行する演出態様にしても良い。
【０２５４】
５．遊技制御用マイコン１０１による遊技の制御
［遊技制御メイン処理］
次に図２９〜図３８に基づいて遊技制御用マイコン１０１による遊技の制御について説明する。なお、以下に説明する遊技を制御するためのフローチャートは、一例である。そして、フローチャートにおける複数の処理については、処理内容に矛盾が生じない範囲で、適宜に実行順序を変更し、または並列に実行することができる。
【０２５５】
また、以下において説明する遊技制御用マイコン１０１による遊技の制御において登場するカウンタ、タイマ、フラグ、ステータス、バッファ等は、遊技用ＲＡＭ１０４に設けられている。また、カウンタの初期値は「０」であり、フラグの初期値は「０」つまり「ＯＦＦ」であり、ステータスの初期値は「１」である。
【０２５６】
遊技制御基板１００に備えられた遊技制御用マイコン１０１は、パチンコ遊技機ＰＹ１が電源投入されると、遊技用ＲＯＭ１０３から図２９に示した遊技制御メイン処理のプログラムを読み出して実行する。同図に示すように、遊技制御メイン処理では、まず、電源投入時処理（Ｓ００１）を行う。電源投入時処理では、遊技用ＲＡＭ１０４へのアクセスの許可設定、遊技用ＣＰＵ１０２の設定、ＳＩＯ（ＳｙＳｔｅｍ  Ｉｎｐｕｔ／Ｏｕｔｐｕｔ）、ＰＩＯ（Ｐａｒａｌｌｅｌ  Ｉｎｐｕｔ／Ｏｕｔｐｕｔ）、ＣＴＣ（Ｃｏｕｎｔｅｒ／Ｔｉｍｅｒ  Ｃｉｒｃｕｉｔ：割り込み時間の管理のための回路）の設定等が行われる。
【０２５７】
電源投入時処理に次いで、割り込みを禁止し（Ｓ００２）、普通図柄・特別図柄主要乱数更新処理（Ｓ００３）を実行する。この普通図柄・特別図柄主要乱数更新処理（Ｓ００３）では、普図関連判定情報および特図関連判定情報に係る種々の乱数のカウンタ値を１加算して更新する。各乱数のカウンタ値は上限値に達すると「０」に戻って再び加算される。なお各乱数のカウンタの初期値は「０」以外の値であってもよく、ランダムに変更されるものであってもよい。また各乱数のうちの少なくとも一部は、カウンタＩＣ等からなる公知の乱数生成回路を利用して生成される所謂ハードウェア乱数であってもよい。
【０２５８】
普通図柄・特別図柄主要乱数更新処理（Ｓ００３）が終了すると、割り込みを許可する（Ｓ００４）。割り込み許可中は、遊技制御側タイマ割り込み処理（Ｓ００５）の実行が可能となる。遊技制御側タイマ割り込み処理（Ｓ００５）は、例えば４ｍｓｅｃ周期で遊技用ＣＰＵ１０２に繰り返し入力される割り込みパルスに基づいて実行される。すなわち、遊技制御側タイマ割り込み処理（Ｓ００５）は４ｍｓｅｃ周期で実行される。そして、遊技制御側タイマ割り込み処理（Ｓ００５）が終了してから、次に遊技制御側タイマ割り込み処理（Ｓ００５）が開始されるまでの間に、普通図柄・特別図柄主要乱数更新処理（Ｓ００３）による種々の乱数のカウンタ値の更新処理が繰り返し実行される。なお、割り込み禁止状態のときに遊技用ＣＰＵ１０２に割り込みパルスが入力された場合は、遊技制御側タイマ割り込み処理（Ｓ００５）はすぐには開始されず、割り込み許可（Ｓ００４）がされてから開始される。
【０２５９】
［遊技制御側タイマ割り込み処理］
次に、遊技制御側タイマ割り込み処理（Ｓ００５）について説明する。図３０に示すように、遊技制御側タイマ割り込み処理（Ｓ００５）では、まず出力処理（Ｓ１０１）を実行する。出力処理（Ｓ１０１）では、以下に説明する各処理において遊技制御基板１００の遊技用ＲＡＭ１０４に設けられた出力バッファにセットされたコマンド等を、演出制御基板１２０や払出制御基板１７０等に出力する。
【０２６０】
出力処理（Ｓ１０１）に次いで行われる入力処理（Ｓ１０２）では、遊技制御用マイコン１０１は、余剰球貯留穴３５Ａの満杯を検出する下皿満杯スイッチからの検出信号を取り込み、下皿満杯データとして遊技用ＲＡＭ１０４の出力バッファに記憶する。
【０２６１】
次に行われる普通図柄・特別図柄主要乱数更新処理（Ｓ１０３）は、図２９の遊技制御メイン処理で行う普通図柄・特別図柄主要乱数更新処理（Ｓ００３）と同じである。即ち、普図関連判定情報および特図関連判定情報に係る各種乱数のカウンタ値の更新処理は、遊技制御側タイマ割り込み処理（Ｓ００５）の実行期間と、それ以外の期間（メイン側タイマ割り込み処理（Ｓ００５）の終了後、次の遊技制御側タイマ割り込み処理（Ｓ００５）が開始されるまでの期間）との両方で行われている。
【０２６２】
普通図柄・特別図柄主要乱数更新処理（Ｓ１０３）に次いで、遊技制御用マイコン１０１は、センサ検出処理（Ｓ１０４）を行い、続いて普通動作処理（Ｓ１０５）を行い、さらに特別動作処理（Ｓ１０６）を行う。センサ検出処理、普通動作処理および特別動作処理については後述する。
【０２６３】
次に、遊技制御用マイコン１０１は、その他の処理（Ｓ１０７）を実行して、遊技制御側タイマ割り込み処理（Ｓ００５）を終了する。その他の処理（Ｓ１０７）としては、電源が断たれる際の電源断監視処理、遊技用ＲＡＭ１０４に設けられているタイマの更新などが行われる。また、その他の処理（Ｓ１０７）として、遊技者に賞球を払い出す払出制御処理が行われる。払出制御処理では、第１始動口１１用の賞球カウンタ、第２始動口１２用の賞球カウンタ、大入賞口１４用の賞球カウンタ、及び、一般入賞口１０用の賞球カウンタが「０」を超えているか否かのチェックを行い、「０」を超えていると、賞球要求信号を払出制御基板１７０に送信する。そして、賞球信号を送信するとき、その信号に係る賞球カウンタを「１」減算する更新処理を行う。
【０２６４】
そして、遊技制御用マイコン１０１は、次に遊技用ＣＰＵ１０２に割り込みパルスが入力されるまでは遊技制御メイン処理のステップＳ００２〜Ｓ００４の処理を繰り返し実行し、割り込みパルスが入力されると（約４ｍｓｅｃ後）、再び遊技制御側タイマ割り込み処理（Ｓ００５）を実行する。遊技制御用マイコン１０１は、再び実行された遊技制御側タイマ割り込み処理（Ｓ００５）の出力処理（Ｓ１０１）において、前回の遊技制御側タイマ割り込み処理（Ｓ００５）にて遊技用ＲＡＭ１０４の出力バッファにセットされたコマンド等を出力する。
【０２６５】
［センサ検出処理］
次に、図３１〜図３２を用いてセンサ検出処理について説明する。センサ検出処理（Ｓ１０４）ではまず、一般入賞口１０に遊技球が入賞したか否か、即ち、一般入賞口センサ１０ａによって遊技球が検出されたか否か判定する（Ｓ２０１）。一般入賞口１０に遊技球が入賞していない場合（Ｓ２０１でＮＯ）にはステップＳ２０３に進み、一般入賞口１０に遊技球が入賞した場合には（Ｓ２０１でＹＥＳ）、遊技球に所定個数の賞球を払い出すための一般入賞口賞球処理を行う（Ｓ２０２）。一般入賞口賞球処理では、一般入賞口１０用の賞球カウンタに、一般入賞口１０への入賞に応じた賞球個数（第１実施形態において「３」）を加算する。
【０２６６】
ステップＳ２０３では、遊技球がゲート１３を通過したか否か、即ち、ゲートセンサ１３ａによって遊技球が検出されたか否か判定する。遊技球がゲート１３を通過していなければ（Ｓ２０３でＮＯ）、ステップＳ２０７に進む。一方、遊技球がゲート１３を通過していれば（Ｓ２０３でＹＥＳ）、後述する普通動作ステータス＝１であるか否か、言い換えれば、普図可変表示または補助遊技の何れも行われていないか否かを判定する（Ｓ２０４）。普通動作ステータス＝１でない場合には（Ｓ２０４でＮＯ）、ステップＳ２０７に進み、普通動作ステータス＝１である場合（Ｓ２０４でＹＥＳ）には、普通図柄乱数カウンタ（ラベル−ＴＲＮＤ−Ｆ）のカウンタ値が示す普通図柄乱数を普図関連判定情報として取得し（Ｓ２０５）、取得した普図関連判定情報を、遊技用ＲＡＭ１０４に設けられた普図保留記憶部８６に記憶して（Ｓ２０６）、ステップＳ２０７に進む。
【０２６７】
ステップＳ２０７では、第２始動口１２に遊技球が入賞したか否か、即ち、第２始動口センサ１２ａによって遊技球が検出されたか否か判定する。第２始動口１２に遊技球が入賞していない場合（Ｓ２０７でＮＯ）にはステップＳ２１４に進み、第２始動口１２に遊技球が入賞した場合には（Ｓ２０７でＹＥＳ）、遊技球に所定個数の賞球を払い出すための第２始動口賞球処理を行う（Ｓ２０８）。第２始動口賞球処理では、第２始動口１２用の賞球カウンタに、第２始動口１２への入賞に応じた賞球個数（第１実施形態において「４」）を加算する。
【０２６８】
次に、特図２保留数（具体的には遊技用ＲＡＭ１０４に設けた特図２保留数をカウントするカウンタ（特図２保留数カウンタ）の数値）が「４」（上限記憶数）以上であるか否か判定する（Ｓ２０９）。特図２保留数が「４」以上である場合（Ｓ２０９でＹＥＳ）には、ステップＳ２１４に進むが、特図２保留数が「４」以上でない（「４」未満である）場合には（Ｓ２０９でＮＯ）、特図２保留数加算処理を行う（Ｓ２１０）。特図２保留数加算処理では、特図２保留数カウンタを「１」加算し、特図２保留表示器８３ｂが示す特図２保留数を「１」増加させる。
【０２６９】
続いて、特別図柄乱数カウンタ（ラベル−ＴＲＮＤ−Ｔ）、大当たり図柄種別乱数カウンタ（ラベル−ＴＲＮＤ−ＯＳ）、リーチ乱数カウンタ（ラベル−ＴＲＮＤ−ＲＣ）及び特図変動パターン乱数カウンタ（ラベル−ＴＲＮＤ−ＨＰ）からなる特図２関連判定情報を取得し、遊技用ＲＡＭ１０４に設けられた特図関連判定情報用バッファに記憶する（Ｓ２１１）。
【０２７０】
次に、第２始動入賞コマンド特定処理を行う（Ｓ１２１２）（Ｓ２１２）。第２始動入賞コマンド特定処理では、図１２に示す第２始動口用始動入賞コマンド特定テーブルに、現在の遊技状態とステップＳ２１１で取得した特図２関連判定情報とを照合して第２始動入賞コマンドを特定し、特定した第２始動入賞コマンドを遊技用ＲＡＭ１０４の出力バッファにセットする。
【０２７１】
続いて、遊技制御用マイコン１０１は、ステップＳ２１１で取得した特図２関連判定情報を特図２保留記憶部１０５ｂに記憶する（Ｓ２１３）。
【０２７２】
続いて、ステップＳ２１４では、第１始動口１１に遊技球が入賞したか否か、即ち、第１始動口センサ１１ａによって遊技球が検出されたか否か判定する。第１始動口１１に遊技球が入賞していない場合（Ｓ２１４でＮＯ）にはステップＳ２２１に進み、第１始動口１１に遊技球が入賞した場合には（Ｓ２１４でＹＥＳ）、遊技球に所定個数の賞球を払い出すための第１始動口賞球処理を行う（Ｓ２１５）。第１始動口賞球処理では、第１始動口１１用の賞球カウンタに、第１始動口１１への入賞に応じた賞球個数（第１実施形態において「４」）を加算する。
【０２７３】
次に、特図１保留数（具体的には遊技用ＲＡＭ１０４に設けた特図１保留の数をカウントするカウンタ（特図１保留数カウンタ）の数値）が「４」（上限記憶数）以上であるか否か判定する（Ｓ２１６）。特図１保留数が「４」以上である場合（Ｓ２１６でＹＥＳ）には、ステップＳ２２１に進むが、特図１保留数が「４」以上でない（未満である）場合には（Ｓ２１６でＮＯ）、特図１保留数加算処理を行う（Ｓ２１７）。特図１保留数加算処理では、特図１保留数カウンタを「１」加算し、特図１保留表示器８３ａが示す特図１保留数を「１」増加させる。
【０２７４】
続いて、特別図柄乱数カウンタ（ラベル−ＴＲＮＤ−Ｔ）、大当たり図柄種別乱数カウンタ（ラベル−ＴＲＮＤ−ＯＳ）、リーチ乱数カウンタ（ラベル−ＴＲＮＤ−ＲＣ）及び特図変動パターン乱数カウンタ（ラベル−ＴＲＮＤ−ＨＰ）からなる特図１関連判定情報を取得し、遊技用ＲＡＭ１０４に設けられた特図関連判定情報用バッファに記憶する（Ｓ２１８）。
【０２７５】
次に、第１始動入賞コマンド特定処理を行う（Ｓ２１９）。第１始動入賞コマンド特定処理では、図１２に示す第１始動口用始動入賞コマンド特定テーブルに、現在の遊技状態とステップＳ２１８で取得した特図１関連判定情報とを照合して第１始動入賞コマンドを特定し、特定した第２始動入賞コマンドを遊技用ＲＡＭ１０４の出力バッファにセットする。
【０２７６】
続いて、遊技制御用マイコン１０１は、ステップＳ２１８で取得した特図１関連判定情報を特図１保留記憶部１０５ａのうち現在の特図１保留数に応じた記憶領域に記憶する（Ｓ２２０）。
【０２７７】
ステップＳ２２１では、大入賞口１４に遊技球が入賞したか否か、即ち、大入賞口センサ１４ａによって遊技球が検出されたか否か判定する。大入賞口１４に遊技球が入賞していない場合（Ｓ２２１でＮＯ）にはセンサ検出処理を終了し、大入賞口１４に遊技球が入賞した場合には（Ｓ２２１でＹＥＳ）、遊技用ＲＡＭ１０４に設けられた大入賞口入賞カウンタのカウンタ値が「９」以上であるか否かを判定する（Ｓ２２２）。大入賞口入賞カウンタは、大当たり遊技の１回のラウンド遊技において大入賞口１４に入賞した個数を計数するためのカウンタである。なお、大入賞口入賞カウンタは各ラウンド遊技が終了するたびにクリアされる。第１実施形態では、入賞規定個数は「８」に設定されている。よって、ステップＳ２２２の処理が行われる。
【０２７８】
大入賞口入賞カウンタのカウンタ値が「９」以上であると（Ｓ２２２でＹＥＳ）、センサ検出処理を終了し、大入賞口入賞カウンタのカウンタ値が「９」以上でない、すなわち、「９」未満であると（Ｓ２２２でＮＯ）、大入賞口入賞カウンタのカウンタ値を「１」加算し（Ｓ２２３）、遊技者に所定個数の賞球を払い出すための大入賞口賞球処理を行い（Ｓ２２４）、センサ検出処理を終了する。なお、大入賞口賞球処理では、大入賞口１４用の賞球カウンタに、大入賞口１４への入賞に応じた賞球個数（第１実施形態において「１４」）を加算する。
【０２７９】
［普通動作処理］
次に、普図表示器８２および電チュー１２Ｄの制御に関する普通動作処理について説明する。図３３に示すように、普図表示器８２および電チュー１２Ｄに関する処理が４つのステータス（段階）に分けられている。そして、それらの各ステータスに「普通動作ステータス＝１，２，３，４」が割り当てられている。遊技制御用マイコン１０１は、普通動作処理（Ｓ１０５）において、最初に、「普通動作ステータス」を確認する（Ｓ１１０１）。「普通動作ステータス」が「１」である場合には、普通図柄待機処理（Ｓ１１０２）を行い、「普通動作ステータス」が「２」である場合には、普通図柄変動処理（Ｓ１１０３）を行い、「普通動作ステータス」が「３」である場合には、普通図柄確定処理（Ｓ１１０４）を行い、「普通動作ステータス」が「４」である場合には、補助遊技制御処理（Ｓ１１０５）を行う。なお「普通動作ステータス」は初期設定で「１」に設定される。
【０２８０】
普通図柄待機処理（Ｓ１１０２）は、普図の可変表示および補助遊技が行われていない待機中に行われる処理である。普通図柄待機処理（Ｓ１１０２）では、普図保留記憶部８６に記憶された普通図柄乱数に基づいて当たり判定を行う。さらに、現在の遊技状態に基づいて普図変動パターン判定を行って普図変動パターンを決定し、決定した普図変動パターンに応じた普図変動時間の普図の変動表示を普図表示器８２に開始させて、普通動作ステータスを「２」に変更する。また、遊技制御用マイコン１０１は、普図の変動表示の開始時に、普図変動パターン判定結果に応じた普図変動開始コマンドを遊技用ＲＡＭ１０４の出力バッファにセットする。
【０２８１】
普通図柄変動処理（Ｓ１１０３）は、普図が変動表示しているときに行われる処理である。普通図柄変動処理（Ｓ１１０３）では、実行中の普図の変動表示が開始してから普図変動時間が経過したか否か（普図の変動表示を終了させるか否か）を判定し、普図変動時間が経過したと判定されれば、当たり判定結果に基づいて普図の停止表示を行って、普通動作ステータスを「３」に変更する。また、遊技制御用マイコン１０１は、普図の変動表示の開始時に、普図変動停止コマンドを遊技用ＲＡＭ１０４の出力バッファにセットする。
【０２８２】
普通図柄確定処理（Ｓ１１０４）は、普図が停止表示しているときに行われる処理である。普通図柄確定処理（Ｓ１１０４）では、実行中の普図の停止表示が開始してから所定の停止時間（例えば、０．８秒）が経過したか否か（普図の停止表示を終了させるか否か）を判定し、所定の停止時間が経過したと判定されれば、停止表示している普図が当たり図柄であるか否かを判定する。当たり図柄でなければ（停止表示している普図がハズレ図柄であれば）、普通動作ステータスを「１」に変更する。一方、当たり図柄が停止表示していれば、普通動作ステータスを「４」に変更して、現在の遊技状態および補助遊技制御テーブルに基づいて補助遊技を開始させる。さらに、遊技制御用マイコン１０１は、補助遊技の開始時に、補助遊技開始コマンドを遊技用ＲＡＭ１０４の出力バッファにセットする。
【０２８３】
補助遊技制御処理（Ｓ１１０５）は、補助遊技が行われているときに行われる処理である。補助遊技制御処理（Ｓ１１０５）では、現在の遊技状態および補助遊技制御テーブルに基づいて補助遊技を制御する。そして、補助遊技が終了すれば、普通動作ステータスを「１」に変更する。
【０２８４】
［特別動作処理］
次に、特図表示器８１、特図保留表示器８３および大入賞装置１４Ｄの制御に関する特別動作処理について説明する。図３４に示すように、特図表示器８１、特図保留表示器８３および大入賞装置１４Ｄに関する処理は、６つのステータス（段階）に分けられている。そして、それらの各ステータスに「特別動作ステータス＝１，２，３，４，５，６」が割り当てられている。遊技制御用マイコン１０１は、最初に「特別動作ステータス」を確認する（Ｓ１５０１）。
【０２８５】
遊技制御用マイコン１０１は、「特別動作ステータス」が「１」である場合には、特別図柄待機処理（Ｓ１５０２）を行い、「特別動作ステータス」が「２」である場合には、特別図柄変動処理（Ｓ１５０３）を行い、「特別動作ステータス」が「３」である場合には、特別図柄確定処理（Ｓ１５０４）を行い、「特別動作ステータス」が「４」である場合には、大当たり遊技制御処理（Ｓ１５０５）を行い、「特別動作ステータス」が「５」である場合には、遊技状態設定処理（Ｓ１５０６）を行い、「特別動作ステータス」が「６」である場合には、小当たり遊技制御処理（Ｓ１５０７）を行う。なお「特別動作ステータス」は初期設定で「１」に設定される。
【０２８６】
特別図柄待機処理（Ｓ１５０２）は、特別図柄の可変表示、大当たり遊技が行われていない待機中に行われる処理である。特別図柄待機処理については後に詳述する。
【０２８７】
特別図柄変動処理（Ｓ１５０３）は、特別図柄が変動表示しているときに行われる処理である。特別図柄変動処理については後に詳述する。
【０２８８】
特別図柄確定処理（Ｓ１５０４）は、特別図柄が停止表示しているときに行われる処理である。特別図柄確定処理については後に詳述する。
【０２８９】
大当たり遊技制御処理（Ｓ１５０５）は、大当たり遊技において行われる処理である。遊技制御用マイコン１０１が、大当たり遊技制御処理を行うことによって、大当たり遊技制御テーブルに応じた大当たり遊技を行う。大当たり遊技が終了する際に特別動作ステータスを「５」に変更する。なお、各ラウンド遊技が開始される際には、そのラウンド数を示すラウンド数指定コマンドを遊技用ＲＡＭ１０４の出力バッファにセットする。また、全てのラウンド遊技が終了してエンディングが開始される際には、当該大当たり遊技に係る大当たり図柄に応じたエンディングを示すエンディングコマンドを遊技用ＲＡＭ１０４の出力バッファにセットする。
【０２９０】
遊技状態設定処理（Ｓ１５０６）は、大当たり遊技が終了する際に、大当たり遊技後に制御する遊技状態を設定する処理である。例えば、大当たり遊技後に高確率状態で制御する場合は、高確率フラグを遊技用ＲＡＭ１０４の高確率フラグ領域にＯＮして高確率状態を設定する。さらにこのときに、高確率状態の継続期間を制限する場合、継続期間も併せて設定する。例えば、高確率状態の終了条件が特図可変表示の実行回数である場合、その回数（以下において、「高確率規定回数」という）を遊技用ＲＡＭ１０４に設けられた高確率残り回数カウンタにセットする。また、大当たり遊技後に時短状態で制御する場合は、時短フラグを遊技用ＲＡＭ１０４の時短フラグ領域にＯＮして時短状態を設定する。さらにこのときに、時短状態の継続期間を制限する場合、継続期間も併せて設定する。例えば、時短状態の終了条件が特図可変表示の実行回数である場合、その回数（以下において、「時短規定回数」という）を遊技用ＲＡＭ１０４に設けられた時短残り回数カウンタにセットする。
【０２９１】
また、遊技制御用マイコン１０１は、遊技状態設定処理において、大当たり遊技後の遊技状態を示す遊技状態コマンドを遊技用ＲＡＭ１０４の出力バッファにセットする。
【０２９２】
小当たり遊技制御処理（Ｓ１５０７）は、小当たり遊技において行われる処理である。遊技制御用マイコン１０１が、小当たり遊技制御処理を行うことによって、小当たり遊技制御テーブルに応じた小当たり遊技を行う。小当たり遊技が終了する際に特別動作ステータスを「１」に変更する。なお、全ての開放遊技が終了してエンディングが開始される際には、当該小当たり遊技に係る小当たり図柄に応じたエンディングを示すエンディングコマンドを遊技用ＲＡＭ１０４の出力バッファにセットする。
【０２９３】
［特別図柄待機処理］
次に図３５を用いて特別図柄待機処理について説明する。特別図柄待機処理（Ｓ１５０２）ではまず、特図２保留数が「０」であるか否かを判定する（Ｓ１６０１）。特図２保留数が「０」である場合（Ｓ１６０１でＹＥＳ）、即ち、第２始動口１２への入賞に起因して取得した特図２関連判定情報の記憶がない場合には、特図１保留数が「０」であるか否かを判定する（Ｓ１６０８）。そして、特図１保留数も「０」である場合（Ｓ１６０８でＹＥＳ）、即ち、第１始動口１１への入賞に起因して取得した特図１関連判定情報の記憶もない場合には、客待ちフラグがＯＮか否かを判定する（Ｓ１６１８）。ここで、客待ちフラグがＯＮであれば（Ｓ１６１８でＹＥＳ）、特別図柄待機処理を終え、客待ちフラグがＯＮでなければ（Ｓ１６１８でＮＯ）、客待ちコマンドを出力バッファにセットし（Ｓ１６１９）、客待ちフラグをＯＮにし（Ｓ１６２０）、特別図柄待機処理を終える。
【０２９４】
また、特図２保留数が「０」であるが特図１保留数が「０」でない場合（Ｓ１６０１でＹＥＳ且つＳ１６０８でＮＯ）、即ち、特図２関連判定情報はないが、第１始動口１１への入賞に起因して取得した特図１関連判定情報の記憶が１つ以上ある場合には、特図１判定処理（Ｓ１６０９）及び特図１変動パターン判定処理（Ｓ１６１０）を行う。
【０２９５】
特図１判定処理（Ｓ１６０９）では、特図１保留記憶部１０５ａに記憶されている特別図柄乱数の中で最も先に記憶されたものを読み出して、現在の遊技状態に応じた大当たり判定テーブルに基づいて、大当たり、またはハズレの何れであるかの判定（大当たり判定）を行う。現在、通常確率状態であれば通常確率状態用第１大当たり判定テーブルを用いて大当たり判定を行い、高確率状態であれば高確率状態用第１大当たり判定テーブルを用いて大当たり判定を行う。
【０２９６】
ここで、大当たり判定の結果が大当たりであれば、大当たり図柄種別乱数を読み出して第１大当たり図柄種別判定テーブルに基づいて大当たり図柄種別の判定（大当たり図柄種別判定）を行う。そして、大当たり図柄種別を表す大当たり図柄データを遊技用ＲＡＭ１０４に設けられた特図バッファにセットすると共に、大当たり図柄種別を表す図柄指定コマンドを遊技用ＲＡＭ１０４に設けられた出力バッファにセットする。
【０２９７】
また、大当たり判定の結果が「小当たり」であれば、小当たりを表す小当たり図柄データを特図バッファにセットすると共に、小当たりを表す図柄指定コマンドを出力バッファにセットする。さらに、大当たり判定の結果が「ハズレ」であれば、ハズレを表すハズレ図柄データを特図バッファにセットすると共に、ハズレを表す図柄指定コマンドを出力バッファにセットする。
【０２９８】
次に、特図１変動パターン判定処理（Ｓ１６１０）について図３６を用いて説明する。特図１変動パターン判定処理では、まず、現在非時短状態であるか否かを判定する（Ｓ１６５１）。非時短状態であれば（Ｓ１６５１でＹＥＳ）、非時短状態用の特図１変動パターン判定テーブルを選択（Ｓ１６５２）してからステップＳ１６５４に進み、非時短状態でなければ（Ｓ１６５１でＮＯ）、時短状態用の特図１変動パターン判定テーブルを選択（Ｓ１６５３）してからステップＳ１６５４に進む。
【０２９９】
ステップＳ１６５４において、遊技制御用マイコン１０１は、大当たり判定結果が「大当たり」であるか否かを判定する。大当たりでなければ（Ｓ１６５４でＮＯ）、ステップＳ１６５６に進み、大当たりであれば（Ｓ１６５４でＹＥＳ）、大当たり図柄種別判定の結果が「大当たり図柄Ａ」であるか否かを判定する（Ｓ１６５５）。遊技制御用マイコン１０１は、大当たり図柄Ａであれば（Ｓ１６５５でＹＥＳ）、ステップＳ１６５２またはステップＳ１６５３の何れかで選択した特図１変動パターン判定テーブルの中から大当たり図柄Ａ用の特図１変動パターン判定テーブルを選択（Ｓ１６６３）してからステップＳ１６６４に進み、大当たり図柄Ａでなければ（Ｓ１６５５でＮＯ）、ステップＳ１６５２またはステップＳ１６５３の何れかで選択した特図１変動パターン判定テーブルの中から大当たり図柄B，C用の特図１変動パターン判定テーブルを選択（Ｓ１６６２）してからステップＳ１６６４に進む。
【０３００】
ステップＳ１６５６において、遊技制御用マイコン１０１は、大当たり判定結果が「小当たり」であるか否かを判定する。小当たりでなければ（Ｓ１６５６でＮＯ）、ステップＳ１６５７に進み、小当たりであれば（Ｓ１６５６でＹＥＳ）、ステップＳ１６５２またはステップＳ１６５３の何れかで選択した特図１変動パターン判定テーブルの中から小当たり図柄の特図１変動パターン判定テーブルを選択（Ｓ１６６１）してからステップＳ１６６４に進む。
【０３０１】
ステップＳ１６５７において、遊技制御用マイコン１０１は、リーチ判定を行う。リーチ判定では、リーチ乱数を読み出して、そのリーチ乱数を現在の遊技状態（非時短状態／時短状態）に応じたリーチ判定テーブルに照合して、リーチ有りかリーチ無しかを判定する。
【０３０２】
遊技制御用マイコン１０１は、次に、ステップＳ１６５７のリーチ判定の結果が「リーチ有り」であるか否かを判定する（Ｓ１６５８）。リーチ有りであれば（Ｓ１６５８でＹＥＳ）、ステップＳ１６５２またはステップＳ１６５３の何れかで選択した特図１変動パターン判定テーブルの中からリーチ有りハズレ用の特図１変動パターン判定テーブルを選択（Ｓ１６５９）してからステップＳ１６６４に進み、リーチ有りでなければ（Ｓ１６５８でＮＯ）、現在の特図１保留数を確認して、ステップＳ１６５２またはステップＳ１６５３の何れかで選択した特図１変動パターン判定テーブルの中から特図１保留数に応じたリーチ無しハズレ用の特図１変動パターン判定テーブルを選択（Ｓ１６５９）してからステップＳ１６６４に進む。
【０３０３】
遊技制御用マイコン１０１は、ステップＳ１６６４において、特図変動パターン乱数を読み出して、その特図変動パターン乱数をステップＳ１６５９〜ステップＳ１６６３の何れかで選択した特図１変動パターン判定テーブルに照合して、特図１変動パターンを判定する特図１変動パターン判定を行う。続けて、遊技制御用マイコン１０１は、決定された特図１変動パターンを示す特図１変動開始コマンドを出力バッファにセットし（Ｓ１６６５）、決定された特図１変動パターンに応じた特図変動時間を特別動作用タイマにセットし（Ｓ１６６６）、特図１変動パターン判定処理を終了して、特別図柄待機処理に処理を戻す。
【０３０４】
なお、特別動作用タイマは、遊技制御側タイマ割り込み処理（Ｓ００５）におけるその他の処理（Ｓ１０７）において、４ｍｓ分、更新される。また、セットされる特図１変動開始コマンドには、特別図柄の種別（特図１であるということ）に関する情報や特図１変動パターン判定処理（Ｓ１６１０）で行われた特図変動パターン判定の結果に関する情報（リーチの有無や特図変動時間の情報を含む特図変動パターンの情報）が含まれている。
【０３０５】
続いて、遊技制御用マイコン１０１は、ステップＳ１６１０で決定された特図１変動パターンに応じた特図変動時間に基づいて特図１表示器８１ａに特図１の変動表示を開始させる（Ｓ１６１１）。
【０３０６】
次に、遊技制御用マイコン１０１は、特図１保留記憶部１０５ａにおける各種カウンタ値の格納場所（記憶領域）を現在の位置から読み出される側に一つシフトするとともに、特図１保留記憶部１０５ａにおける保留１個目に対応する記憶領域（読み出される側から最も遠い記憶領域）をクリアする特図１保留記憶部シフト処理を行う（Ｓ１６１２）。このようにして、特図１保留が保留された順に消化される。
【０３０７】
次に、遊技制御用マイコン１０１は、特図１保留数カウンタを「１」減算し（Ｓ１６１３）、特図１保留表示器８３ａが示す特図１保留数を「１」減少させて変更し（Ｓ１６１４）、特別動作ステータスを「２」に変更する（Ｓ１６１５）。
【０３０８】
遊技制御用マイコン１０１は、続いて、客待ちフラグがＯＮか否かを判定し（Ｓ１６１６）、ＯＮであれば（Ｓ１６１６でＹＥＳ）、客待ちフラグをＯＦＦして（Ｓ１６１７）、特別図柄待機処理を終え、ＯＮでなければ（Ｓ１６１６でＮＯ）、ステップＳ１６１７を実行することなく特別図柄待機処理を終える。
【０３０９】
また、ステップＳ１６０１において特図２保留数が「０」でない場合（Ｓ１６０１でＮＯ）、即ち、第２始動口１２への入賞に起因して取得した特図２関連判定情報の記憶が１つ以上ある場合には、特図２判定処理（Ｓ１６０２）及び特図２変動パターン判定処理（Ｓ１６０３）を行う。特図２判定処理（Ｓ１６０２）及び特図２変動パターン判定処理（Ｓ１６０３）は、特図１判定処理（Ｓ１６０９）および特図１変動パターン判定処理（Ｓ１６１０）と基本的には同じ処理内容である。
【０３１０】
特図２判定処理（Ｓ１６０２）は、大当たり判定で用いるテーブルが第２大当たり判定テーブルであること、および大当たり図柄種別判定で用いるテーブルが第２大当たり図柄種別判定テーブルであることを除いて、基本的には特図１判定処理（Ｓ１６０９）と同様の処理であるため説明を省略する。また、特図２変動パターン判定処理（Ｓ１６０３）も、基本的には、特図２変動パターン判定で用いるテーブルが特図２変動パターン判定テーブルであることを除いて特図１変動パターン判定処理（Ｓ１６１０）と同様の処理であるため説明を省略する。
【０３１１】
次に、遊技制御用マイコン１０１は、ステップＳ１６０３で決定された特図変動パターンに応じた特図変動時間に基づいて特図２表示器８１ｂに特図２の変動表示を開始させる（Ｓ１６０４）。
【０３１２】
次に、遊技制御用マイコン１０１は、特図２保留記憶部１０５ｂにおける各種カウンタ値の格納場所（記憶領域）を現在の位置から読み出される側に一つシフトするとともに、特図２保留記憶部１０５ｂにおける保留４個目に対応する記憶領域（読み出される側から最も遠い記憶領域）をクリアする特図２保留記憶部シフト処理を行う（Ｓ１６０５）。このようにして、特図２保留が保留された順に消化される。
【０３１３】
続いて遊技制御用マイコン１０１は、特図２保留数カウンタを「１」減算し（Ｓ１６０６）、特図２保留表示器８３ｂが示す特図２保留数を「１」減少させて変更し（Ｓ１６０７）、特別動作ステータスを「２」に変更し（Ｓ１６１５）、ステップＳ１６１６に進む。
【０３１４】
上記のように第１実施形態では、特図１保留に基づく特別図柄の変動表示は、特図２保留が「０」の場合（Ｓ１６０１でＹＥＳの場合）に限って行われる。すなわち特図２保留の消化は、特図１保留の消化に優先して実行される。そして第１実施形態では、特図２保留に基づく抽選の方が、特図１保留に基づく抽選よりも、遊技者にとって利益の大きい大当たり図柄に当選しやすくなっている。なお、特図１保留の消化を特図２保留の消化に優先して実行されるようにしても良い。また、特図１保留の消化と特図２保留の消化を、特図の種別に関わらず保留が発生した順に行っても良い。
【０３１５】
［特別図柄変動処理］
次に図３７を用いて特別図柄変動処理について説明する。遊技制御用マイコン１０１は、特別図柄変動処理（Ｓ１５０３）ではまず、特別図柄の変動表示を終了させるか否か、即ち、ステップＳ１６０３又はステップＳ１６１０で特別動作用タイマにセットした特図変動時間が経過した（特別動作カウンタ＝０）か否かを判定する（Ｓ１７０１）。特別図柄の変動表示を終了させない場合（Ｓ１７０１でＮＯ）、特別図柄変動処理を終了し、特別図柄の変動表示を終了させる場合（Ｓ１７０１でＹＥＳ）、特図表示器８１に、特別図柄の変動表示を終了させるとともに、ステップＳ１６０２又はステップＳ１６０９で特図バッファにセットした図柄データ（大当たり図柄データ、小当たり図柄データ、またはハズレ特図データ）に応じた特別図柄の停止表示をさせる（Ｓ１７０２）。
【０３１６】
続いて、予め設定された特図確定時間（例えば、０．８秒）を特別動作用タイマにセットし（Ｓ１７０３）、特別図柄の変動表示が終了することを示す特図変動停止コマンドを出力バッファにセットし（Ｓ１７０４）、特別動作ステータスを「３」に変更し（Ｓ１７０５）、特別図柄変動処理を終了する。
【０３１７】
［特別図柄確定処理］
次に図３８を用いて特別図柄確定処理について説明する。遊技制御用マイコン１０１は、特別図柄確定処理（Ｓ１５０４）ではまず、特別図柄の停止表示を終了させるか否か、即ち、ステップＳ１７０３で特別動作用タイマにセットした特図確定時間が経過した（特別動作カウンタ＝０）か否かを判定する（Ｓ１７５１）。特別図柄の停止表示を終了させない場合（Ｓ１７５１でＮＯ）、特別図柄確定処理を終了し、特別図柄の停止表示を終了させる場合（Ｓ１７５１でＹＥＳ）、現在、通常確率状態（高確率フラグがＯＦＦ）であるか否かを判定する（Ｓ１７５２）。
【０３１８】
遊技制御用マイコン１０１は、現在、通常確率状態でなければ（Ｓ１７５２でＮＯ）、ステップＳ１７５７に進み、現在、通常確率状態であれば（Ｓ１７５２でＹＥＳ）、時短状態（時短フラグがＯＮ）であるか否かを判定する（Ｓ１７５３）。遊技制御用マイコン１０１は、時短状態でなければ（Ｓ１７５３でＮＯ）、ステップＳ１７５７に進み、現在、時短状態であれば（Ｓ１７５３でＹＥＳ）、時短状態で実行可能な特別図柄の可変表示の残りの回数（時短残り回数）を計測する時短残り回数カウンタの値を「１」減算し（Ｓ１７５４）、時短残り回数カウンタの値が「０」であるか否かを判定する（Ｓ１７５５）。時短残り回数カウンタの値（時短残り回数）が「０」でなければ（Ｓ１７５５でＮＯ）、ステップＳ１７５７に進み、時短残り回数カウンタの値（時短残り回数）が「０」であれば（Ｓ１７５５でＹＥＳ）、時短状態から非時短状態に移行させて（時短フラグをＯＦＦする）（Ｓ１７５６）、ステップＳ１７５７に進む。
【０３１９】
次に、遊技制御用マイコン１０１は、現在の遊技状態を確認し、その遊技状態を示した遊技状態コマンドを出力バッファにセットし（Ｓ１７５７）、現在停止表示している特別図柄が大当たり図柄か否かを判定する（Ｓ１７５８）。大当たり図柄でなければ（Ｓ１７６１でＮＯ）、ステップＳ１７６２に進み、大当たり図柄であれば（Ｓ１７６１でＹＥＳ）、遊技状態をリセットする（通常遊技状態を設定する。具体的には、高確率フラグおよび時短フラグをＯＦＦし、高確率残り回数カウンタおよび時短残り回数カウンタの値を「０」にする）（Ｓ１７５９）。
【０３２０】
続いて、遊技制御用マイコン１０１は、大当たり遊技準備処理を行い（Ｓ１７６０）、特別動作ステータスを「４」に変更し（Ｓ１７６１）、特別図柄確定処理を終了する。遊技制御用マイコン１０１は、大当たり遊技準備処理において、大当たり図柄の種別に応じた大当たり遊技制御テーブルを遊技用ＲＡＭ１０４の所定領域にセットする。また、停止表示している大当たり図柄に応じたオープニング中であることを示す大当たりオープニングフラグを遊技用ＲＡＭ１０４の所定領域にＯＮし、大当たり図柄の種別に応じて、所定のオープニング時間（大当たり遊技が開始されてから１ラウンドを開始するまでの時間）を特別動作用タイマにセットする。さらには、大当たり図柄の種別に応じ、大当たり図柄の種別を示すオープニングコマンドを遊技用ＲＡＭ１０４の出力バッファにセットする。大当たり図柄の種別に応じたオープニングコマンドは、その停止表示した大当たり図柄の種別に応じた大当たり遊技（大当たり遊技のオープニング）が開始されることを表す。
【０３２１】
また、ステップＳ１７６２において、遊技制御用マイコン１０１は、現在停止表示している特別図柄が小当たり図柄か否かを判定する（Ｓ１７６２）。小当たり図柄でなければ（Ｓ１７６２でＮＯ）、特別動作ステータスを「１」に変更して（Ｓ１７６５）、特別図柄確定処理を終え、小当たり図柄であれば（Ｓ１７６２でＹＥＳ）、小当たり遊技準備処理を行い（Ｓ１７６３）、特別動作ステータスを「６」に変更し（Ｓ１７６４）、特別図柄確定処理を終了する。
【０３２２】
遊技制御用マイコン１０１は、小当たり遊技準備処理において、小当たり図柄の種別に応じた小当たり遊技制御テーブルを遊技用ＲＡＭ１０４の所定領域にセットする。また、停止表示している小当たり図柄に応じたオープニング中であることを示す小当たりオープニングフラグを遊技用ＲＡＭ１０４の所定領域にＯＮし、小当たり図柄の種別に応じて、所定のオープニング時間（小当たり遊技が開始されてから１回目の開放遊技を開始するまでの時間）を特別動作用タイマにセットする。さらには、小当たり図柄の種別に応じ、小当たり図柄の種別を示すオープニングコマンドを遊技用ＲＡＭ１０４の出力バッファにセットする。小当たり図柄の種別に応じたオープニングコマンドは、その停止表示した小当たり図柄の種別に応じた小当たり遊技（小当たり遊技のオープニング）が開始されることを表す。
【０３２３】
６．演出制御基板１２０による演出の制御
［演出制御メイン処理］
次に図３９〜図４１のフローチャートを用いて、演出制御基板１２０による演出の制御について説明する。なお、以下に説明する演出を制御するためのフローチャートは、一例である。そして、フローチャートにおける複数の処理については、処理内容に矛盾が生じない範囲で、適宜に実行順序を変更し、または並列に実行することができる。
【０３２４】
また、以下の演出制御基板１２０による演出の制御の説明において登場するカウンタ、タイマ、フラグ、バッファ等は、演出用ＲＡＭ１２４に設けられている。演出制御基板１２０に備えられた演出制御用マイコン１２１は、パチンコ遊技機ＰＹ１が電源投入されると、図３９に示したサブ制御メイン処理のプログラムを演出用ＲＯＭ１２３から読み出して実行する。
【０３２５】
同図に示すように、サブ制御メイン処理では、最初に、電源投入に応じた電源投入時処理を行う（Ｓ４００１）。電源投入時処理では、例えば、演出用ＣＰＵ１２２の設定、ＳＩＯ、ＰＩＯ、ＣＴＣ（割り込み時間の管理のための回路）等の設定等を行う。
【０３２６】
次に、割り込みを禁止し（Ｓ４００２）、乱数シード更新処理を実行する（Ｓ４００３）。乱数シード更新処理（Ｓ４００３）では、種々の演出に関する判定を行うための種々の演出判定用乱数カウンタの値を更新する。なお、演出判定用乱数には、特図変動演出パターン判定用乱数等の演出内容を決定するための様々な乱数がある。
【０３２７】
種々の演出についての判定用乱数カウンタの更新方法は、一例として、前述の遊技制御基板１００が行う乱数更新処理と同様の方法をとることができる。更新に際して乱数値を１ずつ加算するのではなく、２ずつ加算するなどしてもよい。これは、前述の遊技制御基板１００が行う乱数更新処理においても同様である。
【０３２８】
乱数シード更新処理が終了すると、コマンド送信処理を実行する（Ｓ４００４）。コマンド送信処理では、演出制御基板１２０の演出用ＲＡＭ１２４内の出力バッファに格納されている各種のコマンド（例えば、後述する特図変動演出開始コマンド、客待ち開始コマンド、オープニング演出開始コマンド、ラウンド演出開始コマンド、およびエンディング演出開始コマンドなど）を、画像制御基板１４０に送信する。
【０３２９】
コマンドを受信した画像制御基板１４０は、受信したコマンドに従って、表示部５０ａに画像を表示する（画像による種々の演出を実行する）。また、演出制御基板１２０は、画像制御基板１４０によって行われる種々の演出とともに、音声制御回路１６１を介してスピーカ５２から音声を出力させたり（音声による種々の演出を実行したり）、サブドライブ基板１６２を介して枠ランプ５３を発光させたり（発光による種々の演出を実行したり）、盤可動体５５ｋを作動させたり（動作による種々の演出を実行したり）する。なお、種々の演出としては、特図変動演出、大当たり遊技演出（大当たりオープニング演出、ラウンド演出、大当たりエンディング演出）、客待ち演出、操作演出、および先読み演出等がある。
【０３３０】
演出制御用マイコン１２１は続いて、割り込みを許可する（Ｓ４００５）。以降、ステップＳ４００２〜ステップＳ４００５をループさせる。割り込み許可中においては、受信割り込み処理（Ｓ４０１０）、１ｍｓタイマ割り込み処理（Ｓ４０１１）、および１０ｍｓタイマ割り込み処理（Ｓ４０１２）の実行が可能となる。１ｍｓタイマ割り込み処理（Ｓ４０１１）、および１０ｍｓタイマ割り込み処理（Ｓ４０１２）については後述する。
【０３３１】
受信割り込み処理（Ｓ４０１０）は、ストローブ信号、すなわち、遊技制御基板１００から送られた各種のコマンドが演出制御用マイコン１２１の外部ＩＮＴ入力部に入力される度に実行される。受信割り込み処理（Ｓ４０１０）では、演出制御用マイコン１２１は遊技制御基板１００の出力処理（Ｓ１０１）により送信されてきて受信した各種のコマンドを演出用ＲＡＭ１２４の受信バッファに格納する。この受信割り込み処理は、他の割り込み処理（Ｓ４０１１、Ｓ４０１２）に優先して実行される。
【０３３２】
［１ｍｓタイマ割り込み処理］
次に図４０を用いて１ｍｓタイマ割り込み処理について説明する。１ｍｓタイマ割り込み処理（Ｓ４０１１）は、演出制御基板１２０に１ｍｓｅｃ周期の割り込みパルスが入力される度に実行される。演出制御用マイコン１２１は、１ｍｓタイマ割り込み処理（Ｓ４０１１）ではまず、入力処理を行う（Ｓ４１０１）。入力処理では、演出制御用マイコン１２１は、第１演出ボタン検知センサ４０ａからの検出信号に基づいて第１演出ボタンスイッチデータを作成する。演出制御用マイコン１２１は、第２演出ボタン検知センサ４１ａからの検出信号に基づいて第２演出ボタンスイッチデータを作成する。
【０３３３】
続いて、演出制御用マイコン１２１は、発光データ出力処理を行う（Ｓ４１０２）。発光データ出力処理では、演出制御用マイコン１２１は、画像による演出等に合うタイミングなどで枠ランプ５３を発光させるべく、後述の１０ｍｓタイマ割り込み処理における発光データ作成処理（Ｓ４２０７）で作成された発光データをサブドライブ基板１６２に出力する。つまり、演出制御用マイコン１２１は、発光データに従って枠ランプ５３を所定の発光態様で発光させる。
【０３３４】
次いで、演出制御用マイコン１２１は、可動装置制御処理を行う（Ｓ４１０３）。可動装置制御処理では、演出制御用マイコン１２１は、所定のタイミングで盤可動体５５ｋを駆動させるべく、駆動データ（盤可動体５５ｋの駆動のためのデータ）を作成し、または、出力する。つまり、演出制御用マイコン１２１は、駆動データに従って、盤可動体５５ｋを所定の動作態様で駆動させる。
【０３３５】
そして、演出制御用マイコン１２１は、ウォッチドッグタイマのリセット設定を行うウォッチドッグタイマ処理を行って（Ｓ４１０４）、１ｍｓタイマ割り込み処理を終える。
【０３３６】
［１０ｍｓタイマ割り込み処理］
次に図４１を用いて１０ｍｓタイマ割り込み処理について説明する。１０ｍｓタイマ割り込み処理（Ｓ４０１２）は、演出制御基板１２０に１０ｍｓｅｃ周期の割り込みパルスが入力される度に実行される。演出制御用マイコン１２１は、１０ｍｓタイマ割り込み処理ではまず、ステップＳ４０１０で受信バッファに格納したコマンドなどを解析する受信コマンド解析処理を行う（Ｓ４２０１）。受信コマンド解析処理については後述の第１実施形態で詳細に説明する。
【０３３７】
次いで、演出制御用マイコン１２１は、音声制御処理を行う（Ｓ４２０２）。音声制御処理では、演出用ＲＡＭ１２４にセットされる特図変動演出データなどが示す演出内容などに基づいて、音声データ（スピーカ５２からの音声の出力を制御するデータ）の作成と音声制御回路１６１への出力が行われる。
【０３３８】
次いで、演出制御用マイコン１２１は、発光データ作成処理を行う（Ｓ４２０３）。発光データ作成処理では、演出用ＲＡＭ１２４にセットされる特図変動演出データなどが示す演出内容などに基づいて、発光データの作成が行われる。
【０３３９】
＜第１実施形態＞
次に、前述の本発明に係る基本的な実施形態に基づいて、本発明の特徴的な構成を表す第１実施形態について説明する。なお、基本的な構成で説明した同一の構成については同一の名称・符号を用いることとする。
【０３４０】
最初に、パチンコ遊技機ＰＹ１において設定可能な演出モードである特殊演出モードについて説明する。前述のように、パチンコ遊技機ＰＹ１では、演出モードとして、客待ち演出モード、通常演出モード、確変演出モード、時短演出モード、および大当たり演出モードを設定可能であるが、これらの演出モードの他に特殊演出モードも設定可能である。特殊演出モードは、通常遊技状態において設定可能である。
【０３４１】
特殊演出モードでは、図４２に示すように、表示部５０ａにおいてゴルフ場を表す背景画像（特殊用背景画像）Ｇ１４０が表示される。そして、特殊演出モードも、通常演出モードなどと同様に、特殊用背景画像Ｇ１４０は特図変動演出の前段部分において表示される。そして、特図変動演出の後段部分においては、特殊演出モードにおけるリーチの種類に応じた専用の背景画像が表示される。
【０３４２】
（遊技フロー）
続いて、図４３（Ａ）を用いて遊技状態および演出モードの変遷である遊技フローについて説明する。最初に、電源投入時に設定される通常遊技状態および通常演出モードを起点に説明する。なお、通常演出モードの中では第１通常演出ステージが最初に設定される。また、後述する特殊演出モードに係る第１開始条件〜第２開始条件、および第１終了条件〜第２終了条件の詳細を表した表を図４３（Ｂ）に図示する。
【０３４３】
遊技状態が通常遊技状態であり、演出モードが通常演出モードであるときは、基本的には左打ちでの遊技が行われ、特図１抽選および特図１の可変表示が行われる。ここで、大当たり又は小当たりに当選することなく特図１の可変表示が３０回実行される度に演出モードが「第１通常演出ステージ→第２通常演出ステージ→第３通常演出ステージ→第１通常演出ステージ・・・」の順で切り替わる。
【０３４４】
そして、第１通常演出ステージ、第２通常演出ステージ、または第３通常演出ステージで演出が行われているときに、第１開始条件が成立すると、特殊演出モードに切り替わり、第１通常用背景画像Ｇ１１１〜第３通常用背景画像Ｇ１１３の何れかから特殊用背景画像Ｇ１４０に変更され、特殊演出モードによる特図変動演出が実行可能となる。第１開始条件は、特殊演出モードを設定するか否かを判定する設定判定において「特殊演出モードを設定する」と判定されることである。第１開始条件は、小当たりに当選すること、小当たり図柄の停止表示が行われること、または小当たり遊技が実行されることである。
【０３４５】
第１通常演出ステージ、第２通常演出ステージ、または第３通常演出ステージにおける特図１抽選で小当たりに当選すると、特殊演出モードが設定される。具体的には、小当たり変動の特図１可変表示が終了し、小当たり遊技が実行される際に特殊演出モードが設定され、特殊用背景画像Ｇ１４０に切り替わる。そして、小当たり遊技の次に実行される特図１可変表示から、特殊演出モードによる特図変動演出が実行される。
【０３４６】
そして、特殊演出モードが設定されているときに第１終了条件が成立すると、特殊演出モードが終了し、特殊演出モードから、第１通常演出ステージに切り替わる。第１終了条件は、大当たりに当選することなく２０回の特図可変表示が実行されること、Ｌハズレ変動またはＳＰハズレ変動の特図可変表示が実行されること、または終了判定で「特殊演出モードを終了させると判定される」ことに設定されている。終了判定は、演出制御用マイコン１２１が行う。
【０３４７】
終了判定は、特殊演出モードが設定されてから大当たりに当選することなく１０回の特図可変表示が行われた後、特図可変表示が実行される度に行われる。演出制御用マイコン１２１は、第１開始判定のようにそのときに記憶されている始動入賞コマンドに関係なく終了判定を行う。終了判定では、特殊演出モードを終了させるか否かが判定される。演出制御用マイコン１２１は、記憶されている始動入賞コマンドに関わらず一定の確率（例えば、１０％）で特殊演出モードを終了すると判定する。
【０３４８】
終了判定で「特殊演出モードを終了させる」と判定されると、その特図可変表示に係る演出図柄の停止表示が終了する際に、すなわち特図の停止表示が開始されて確定時間が経過するタイミングで、第１通常演出ステージが設定され、第１通常用背景画像Ｇ１１１が表示部５０ａに表示される。この場合、通常演出モードの切り替わるサイクルの最初の状態に戻る。よって、第１終了条件の成立によって第１通常演出ステージが設定されてから３０回の特図１可変表示が実行されると、第２通常演出ステージが設定される。
【０３４９】
なお、終了判定において「特殊演出モードを終了させる」と判定される確率、および終了判定の仕方、ならびに終了判定の実行タイミングは前述の例に限られず適宜に設定可能である。
【０３５０】
ところで、第１通常演出ステージ、第２通常演出ステージ、第３通常演出ステージ、または特殊演出モードにおける特図１抽選で大当たりに当選すると、大当たり図柄の種別は大当たり図柄Ａ〜大当たり図柄Ｃの何れかに決定される。
【０３５１】
ここで、大当たり図柄Ａに決定されると、第１大当たり遊技が行われ、第１大当たり遊技が終了する際に高確率高ベース遊技状態が設定されると共に、確変演出モードが設定される。そして、次に大当たり当選するまで、高確率高ベース遊技状態で遊技が制御され、確変演出モードで演出が制御される。
【０３５２】
一方、大当たり図柄Ｂまたは大当たり図柄Ｃに決定されると、第２大当たり遊技が行われ、第２大当たり遊技が終了する際に、高確率高ベース遊技状態、または低確率高ベース遊技状態が設定されると共に、時短演出モードが設定される。ここで、高確率高ベース遊技状態が設定された場合、高確率高ベース遊技状態、且つ時短演出モードは、次に大当たり当選するまで継続する。これに対して、低確率高ベース遊技状態が設定された場合、低確率高ベース遊技状態、且つ時短演出モードは、大当たりに当選することなく１００回の特図可変表示が実行されるまで継続する。
【０３５３】
なお、大当たり図柄Ａに当選すると、後述するように含まれる数字部分が赤色の演出図柄ＥＺ１〜ＥＺ３、および小図柄ＫＺ１〜ＫＺ３の停止表示が行われる。一方、大当たり図柄Ｂ，Ｃに当選すると、文字部分が青色の演出図柄ＥＺ１〜ＥＺ３、および小図柄ＫＺ１〜ＫＺ３の停止表示が行われる。以下において、文字部分が赤色の演出図柄ＥＺ１〜ＥＺ３、および小図柄ＫＺ１〜ＫＺ３の停止表示のことを「赤図柄揃い」ともいう。一方、文字部分が青色の演出図柄ＥＺ１〜ＥＺ３、および小図柄ＫＺ１〜ＫＺ３の停止表示のことを「青図柄揃い」ともいう。よって、通常遊技状態において赤図柄揃いが行われると確変演出モードに突入し、青図柄揃いが行われると時短演出モードに突入するということができる。
【０３５４】
また、高確率高ベース遊技状態が設定され、確変演出モードが設定されているときには、基本的には右打ちでの遊技が行われ、特図２抽選および特図２の可変表示が行われる。そして、特図２抽選で大当たりに当選すると、大当たり図柄の種別は大当たり図柄Ｄ〜大当たり図柄Ｆの何れかに決定される。
【０３５５】
ここで、大当たり図柄Ｄに決定され、大当たり図柄Ｄの停止表示が行われると、第３大当たり遊技が行われ、第３大当たり遊技が終了する際に高確率高ベース遊技状態が設定されると共に、確変演出モードが設定される。すなわち、高確率高ベース遊技状態且つ確変演出モードが継続する。一方、大当たり図柄Ｅまたは大当たり図柄Ｆに決定され、大当たり図柄Ｅまたは大当たり図柄Ｆの停止表示が行われると、第４大当たり遊技が行われ、第４大当たり遊技が終了する際に、高確率高ベース遊技状態、または低確率高ベース遊技状態が設定されると共に、時短演出モードが設定される。すなわち、高確率高ベース遊技状態が継続した場合であっても、低確率高ベース遊技状態に移行した場合であっても、外見上は時短モードに移行する。
【０３５６】
また、高確率高ベース遊技状態、または低確率高ベース遊技状態且つ時短演出モードが設定されているときには、基本的には右打ちでの遊技が行われ、特図２抽選および特図２の可変表示が行われる。そして、特図２抽選の結果、大当たりに当選したとすると、大当たり図柄の種別は大当たり図柄Ｄ〜大当たり図柄Ｆの何れかに決定される。
【０３５７】
ここで、大当たり図柄Ｄに決定され、大当たり図柄Ｄの停止表示が行われると、第３大当たり遊技が行われ、第３大当たり遊技が終了する際に高確率高ベース遊技状態が設定されると共に、新たに確変演出モードが設定される。すなわち、内部的には高確率高ベース遊技状態が継続した場合であっても、新たに高確率高ベース遊技状態に移行した場合であっても、何れの遊技状態であるか判別困難な時短演出モードから、高確率高ベース遊技状態であることが明確な確変演出モードに移行する。言い換えると、時短演出モードで赤図柄揃いが行われると確変演出モードに突入する。
【０３５８】
一方、大当たり図柄Ｅまたは大当たり図柄Ｆに決定され、大当たり図柄Ｅまたは大当たり図柄Ｆの停止表示が行われると、第４大当たり遊技が行われ、第４大当たり遊技が終了する際に、高確率高ベース遊技状態、または低確率高ベース遊技状態が設定され、時短演出モードが設定される。すなわち、高確率高ベース遊技状態、または低確率高ベース遊技状態が継続した場合であっても、内部的には新たに高確率高ベース遊技状態、または低確率高ベース遊技状態に移行した場合であっても、何れの遊技状態であるか判別困難な時短演出モードが継続する。言い換えると、時短演出モードで青図柄揃いが行われると時短演出モードが継続する。
【０３５９】
前述の通り、低確率高ベース遊技状態且つ時短演出モードが設定されているときに大当たりに当選することなく１００回の特図可変表示が実行された場合、低確率高ベース遊技状態且つ時短演出モードが終了する。そして、低確率高ベース遊技状態から通常遊技状態に切り替わると共に、時短演出モードから特殊演出モードに切り替わる。以下において、低確率高ベース遊技状態において１００回の特図可変表示が実行されたが大当たり当選できずに通常遊技状態になることを「時短抜け」ともいう。よって、時短抜けは、特殊演出モードを設定するための「第２開始条件」とすることができる。
【０３６０】
そして、第２開始条件の成立により設定された特殊演出モードが終了する条件は、第１開始条件の成立により設定された特殊演出モードと異なる。具体的には、第２開始条件の成立を契機に設定された場合の特殊演出モードは、大当たりに当選することなく２０回の特図可変表示が実行されることを契機に終了する。すなわち、特殊演出モードの第２終了条件は、大当たりに当選することなく２０回の特図可変表示が実行されることである。なお、第３開始条件の成立により設定された特殊演出モードが終了すると、第１開始条件の成立の場合と同様に、通常演出ステージのサイクルが最初から行われる。
【０３６１】
次に、第１開始条件〜第２開始条件が成立することによって特殊演出モードが設定される場合の具体例と、第１終了条件〜第２終了条件が成立することによって特殊演出モードが終了する場合の具体例について説明する。
【０３６２】
最初に第１開始条件が成立することによって特殊演出モードが設定される具体例について説明する。例えば、図４５（Ａ）〜図４５（Ｃ）に示すように、第２通常演出ステージに滞在し、第２通常用背景画像Ｇ１１２による特図変動演出が行われているときに、第１開始条件が成立したとする。そうすると、図４５（Ｄ）〜図４５（Ｅ）に示すように、特図変動演出が終了するときに特殊演出モードが設定され、第２通常用背景画像Ｇ１１２から特殊用背景画像Ｇ１４０に切り替わり、図４５（Ｆ）に示すように、特殊演出モードによる特図変動演出が実行される。なお、この特殊演出モードの設定は、第２通常演出ステージの設定後、１５回の特図可変表示が行われてから行われたとする。
【０３６３】
（演出図柄）
次に、各演出モードで用いられる演出図柄ＥＺ１〜ＥＺ３について説明する。パチンコ遊技機ＰＹ１は、演出モード毎に異なる種類の演出図柄を用いて演出図柄の可変表示を行うことができる。基本的には、何れの演出モードでも前述の通り、数字「１」〜数字「９」を含む演出図柄が用いられる。しかしながら、各演出モードで、演出図柄の表示態様、詳細にはデザインが異なる。すなわち、演出モード毎にその演出モード専用の演出図柄が用いられる。
【０３６４】
例えば、各演出モードで用いられる演出図柄の一例を、図４４（Ａ）〜図４４（Ｅ）に図示する。第１通常演出ステージでは、第１文字態様の数字と野球のボールとの組み合わせからなる演出図柄画像Ｇ５１が用いられる。同様に、第２通常演出ステージでは、第１文字態様の数字と野球のグラブとの組み合わせからなる演出図柄画像Ｇ５２が用いられ、第３通常演出ステージでは、第１文字態様の数字と野球の帽子との組み合わせからなる演出図柄画像Ｇ５３が用いられる。
【０３６５】
なお、各演出図柄画像Ｇ５１〜演出図柄画像Ｇ５３について、各数字に組み合わされる野球のボール、野球のグラブ、および野球の帽子は共通している。演出図柄画像Ｇ５１〜演出図柄画像Ｇ５３の数字部分は第１文字態様で同一である。詳細には、フォント、色彩、大きさ、および透明度などからなる演出図柄画像Ｇ５１〜演出図柄画像Ｇ５３の数字部分の構成要素は同一である。
【０３６６】
また、確変演出モードでは、第２文字態様の数字からなる演出図柄画像Ｇ５４が用いられ、時短演出ステージでは、第３文字態様からなる数字からなる演出図柄画像Ｇ５５が用いられる。このように、確変演出モード、および時短演出モードの演出図柄画像Ｇ５４〜演出図柄画像Ｇ５５では、野球のボールのような装飾部分が省かれており、通常演出モードよりも装飾性が低く構成されている。また、演出図柄画像Ｇ５１〜演出図柄画像Ｇ５３の数字部分と、演出図柄画像Ｇ５４の数字部分と、演出図柄画像Ｇ５５の数字部分と、は相互に文字態様、具体的にはフォント（形状）について異なっている。
【０３６７】
なお、以下において、第１通常演出ステージ用の演出図柄画像Ｇ５１を「第１通常用演出図柄画像Ｇ５１」、第２通常演出ステージ用の演出図柄画像Ｇ５２を「第２通常用演出図柄画像Ｇ５２」、第３通常演出ステージ用の演出図柄画像Ｇ５３を「第３通常用演出図柄画像Ｇ５３」、確変演出モード用の演出図柄画像Ｇ５４を「確変用演出図柄画像Ｇ５４」、および時短演出モード用の演出図柄画像Ｇ５５を「時短用演出図柄画像Ｇ５５」ともいう。さらに、演出図柄画像Ｇ５１〜演出図柄画像Ｇ５５のそれぞれの表示態様を、第１表示態様〜第５表示態様ともいう。
【０３６８】
また、特殊演出モードでは、通常演出モード、確変演出モード、および時短演出モードと異なって、その演出モード用の演出図柄を用いた演出図柄の可変表示が行われない。詳細には、特殊演出モードでは、第１通常用演出図柄画像Ｇ５１〜第３通常用演出図柄画像Ｇ５３の何れかが用いられる。具体的には、その特殊演出モードが設定される前に設定されていた演出ステージ用の演出図柄画像Ｇ５１〜演出図柄画像Ｇ５３の何れか１つが用いられ、それ以外の演出ステージに専用の演出図柄画像Ｇ５１〜演出図柄画像Ｇ５３の何れか２つは用いられない。
【０３６９】
よって、第１開始条件の成立を契機に特殊演出モードが設定される場合、例えば第１通常用演出ステージにおける第１開始条件の成立を契機に設定された特殊演出モードでは、第１通常用演出図柄画像Ｇ５１が用いられ、第２通常用演出ステージにおける第１開始条件の成立を契機に設定された特殊演出モードでは、第２通常用演出図柄画像Ｇ５２が用いられ、第３通常用演出ステージにおける第１開始条件の成立を契機に設定された特殊演出モードでは、第３通常用演出図柄画像Ｇ５３が用いられる。また、第２開始条件の成立を契機に特殊演出モードが設定される場合、当該特殊演出モードでは、第１通常用演出図柄画像Ｇ５１が用いられる。
【０３７０】
なお、パチンコ遊技機ＰＹ１は、小図柄ＫＺ１〜ＫＺ３については、何れの演出モードであっても同一の小図柄画像Ｇ５６を用いて小図柄ＫＺ１〜ＫＺ３の可変表示を行う。小図柄画像Ｇ５６は、後述する図面で図示するが、第１通常用演出図柄画像Ｇ５１〜第３通常用演出図柄画像Ｇ５３の数字部分が数分の１（例えば、約１／１０）に縮小された数字画像で構成されている。
【０３７１】
また、何れの演出図柄画像Ｇ５１〜Ｇ５５、および小図柄画像Ｇ５６についても数字部分の色は共通に設定している。具体的には、数字部分が「３」、「７」の演出図柄画像Ｇ５１〜Ｇ５５、および小図柄画像Ｇ５６が「赤図柄」を構成し、数字部分が「１」、「２」、「４」、「５」、「６」、「７」、「８」、「９」の演出図柄画像Ｇ５１〜Ｇ５５、および小図柄画像Ｇ５６が「青図柄」を構成している。
【０３７２】
（演出モードの切り替え）
次に、演出モードの切り替えについて説明する。パチンコ遊技機ＰＹ１は、通常演出モードにおいてある通常演出ステージから他の演出ステージに切り替える際に、第１特定画像Ｇ６を表示する。例えば、図４５（Ａ）に示すように、第１通常演出ステージによる特図変動演出が行われているとする。そして、この特図変動演出は、第１通常演出ステージが設定されてから３０回目の特図変動演出であるとする。ここで、当該特図変動演出がリーチ無しハズレ変動による特図変動演出であると、図４５（Ｂ）に示すように、ハズレを示す演出図柄ＥＺ１〜ＥＺ３および小図柄ＫＺ１〜ＫＺ３の停止表示が行われる。ここで、第１通常演出ステージから第２通常演出ステージに切り替わるが、そのとき、図４５（Ｃ）に示すように、演出図柄ＥＺ１〜ＥＺ３の上側且つ小図柄ＫＺ１〜ＫＺ３の下側で、言い換えると背景画像や演出図柄ＥＺ１〜ＥＺ３は見えないが小図柄ＫＺ１〜ＫＺ３は見えるように、表示部５０ａの全体に第１特定画像Ｇ６が表示される。ここでは、第１特定画像Ｇ６には「ステージ切り替え」という文字が含まれている。すなわち、第１特定画像Ｇ６は、通常演出ステージが切り替わることを示唆する。第１特定画像Ｇ６は所定時間（例えば、１秒）表示される。
【０３７３】
そして、第１特定画像Ｇ６が表示されてから所定時間が経過すると、図４５（Ｄ）に示すように、第１特定画像Ｇ６が消去されると共に、第２通常用背景画像Ｇ１１２、および演出図柄画像Ｇ５２からなる演出図柄ＥＺ１〜ＥＺ３が出現する。なお、ここでは、出現したときに演出図柄ＥＺ１〜ＥＺ３の変動表示が開始されている。
【０３７４】
次に、図４６（Ａ）に示すように、第２通常演出ステージが設定されて大当たりまたは小当たりに当選することなく、さらに第１開始条件が成立することなく３０回目の特図変動演出が開始されたとする。そして、当該特図変動演出がリーチ無しハズレ変動による特図変動演出であると、図４６（Ｂ）に示すように、ハズレを示す演出図柄ＥＺ１〜ＥＺ３および小図柄ＫＺ１〜ＫＺ３の停止表示が行われる。ここで、第２通常演出ステージから第３通常演出ステージに切り替わるが、この場合も同様に、図４６（Ｃ）に示すように、背景画像や演出図柄ＥＺ１〜ＥＺ３は見えないが小図柄ＫＺ１〜ＫＺ３は見えるように、表示部５０ａの全体に第１特定画像Ｇ６が所定時間、表示される。
【０３７５】
そして、第１特定画像Ｇ６が表示されてから所定時間が経過すると、図４６（Ｄ）に示すように、第１特定画像Ｇ６が消去されると共に、第３通常用背景画像Ｇ１１３、および演出図柄画像Ｇ５３からなる演出図柄ＥＺ１〜ＥＺ３が出現する。なお、ここでは、出現したときに演出図柄ＥＺ１〜ＥＺ３の変動表示が開始されている。
【０３７６】
続いて、図４７（Ａ）に示すように、第３通常演出ステージが設定されて大当たりまたは小当たりに当選することなく、さらに第１開始条件が成立することなく３０回目の特図変動演出が開始されたとする。そして、当該特図変動演出がリーチ無しハズレ変動による特図変動演出であると、図４７（Ｂ）に示すように、ハズレを示す演出図柄ＥＺ１〜ＥＺ３および小図柄ＫＺ１〜ＫＺ３の停止表示が行われる。ここで、第３通常演出ステージから第１通常演出ステージに切り替わるが、この場合も同様に、図４７（Ｃ）に示すように、背景画像や演出図柄ＥＺ１〜ＥＺ３は見えないが小図柄ＫＺ１〜ＫＺ３は見えるように、表示部５０ａの全体に第１特定画像Ｇ６が所定時間、表示される。
【０３７７】
そして、第１特定画像Ｇ６が表示されてから所定時間が経過すると、図４７（Ｄ）に示すように、第１特定画像Ｇ６が消去されると共に、第１通常用背景画像Ｇ１１１、および演出図柄画像Ｇ５１からなる演出図柄ＥＺ１〜ＥＺ３が出現する。なお、ここでは、出現したときに演出図柄ＥＺ１〜ＥＺ３の変動表示が開始されている。
【０３７８】
このように、パチンコ遊技機ＰＹ１は、通常演出ステージ間を切り替える際に、通常演出ステージ毎に表示態様が異なる演出図柄ＫＺ１〜ＫＺ３や背景画像を隠すように第１特定画像Ｇ６を表示部５０ａの全体に表示する。
【０３７９】
次に、第１開始条件が成立することによって特殊演出モードが設定される具体例について説明する。例えば、第２通常演出ステージに滞在しているときに、大当たり判定で小当たりと判定され、図４８（Ａ）に示すように、小当たり変動に係る特図変動演出が開始されたとする。そして、図４８（Ｂ）に示すように、Ｌリーチを経て、図４８（Ｃ）に示すように、小当たり当選を示す演出図柄ＥＺ１〜ＥＺ３の仮停止表示が行われる。図４８（Ｃ）に示すように、小当たり当選を示す演出図柄ＥＺ１〜ＥＺ３は小当たり専用の演出図柄画像Ｇ５７からなる。
【０３８０】
そして、小当たり当選を示す特図の停止表示が行われると、小当たり当選を示す態様の小図柄ＫＺ１〜ＫＺ３の停止表示が行われると共に、小当たり専用の演出図柄画像Ｇ５７が含まれ、特殊演出モードが設定されることを示唆する特殊演出モード示唆画像Ｇ７が表示される。そして、特図の停止表示が行われてから特図確定時間が経過すると、図４８（Ｄ）に示すように、特殊演出モード示唆画像Ｇ７が消去されると共に、特殊用背景画像Ｇ１４０が表示され、特殊演出モードによる特図変動演出が実行される。ここで、当該特殊演出モードは、第２通常演出ステージにおける小当たり当選に基づいて設定される。よって、当該特殊演出モードでは、第２通常用演出図柄画像Ｇ５２による演出図柄ＥＺ１〜ＥＺ３の可変表示が行われる。
【０３８１】
なお、小当たり専用の演出図柄画像Ｇ５７が表示されるときに背景画像はＬリーチ用背景画像Ｇ１１４から、小当たり専用の演出図柄画像Ｇ５７および特殊演出モード示唆画像Ｇ７に応じた特別背景画像Ｇ１１６に切り替わる。そして、特殊演出モード示唆画像Ｇ７が消去されるときに特別背景画像Ｇ１１６から特殊用背景画像Ｇ１４０に切り替わる。
【０３８２】
また、図４８では第２通常演出ステージで小当たり当選したことにより特殊演出モードが設定される例を説明したが、第１通常演出ステージ、または第３通常演出ステージでも同様に、特殊演出モードに移行する。すなわち、第１通常演出ステージであれば、図４８（Ａ）の背景画像が第２通常用背景画像Ｇ１１２から第１通常用背景画像Ｇ１１１に入れ替わる。また、図４８（Ａ）、および図４８（Ｄ）の演出図柄ＥＺ１〜ＥＺ３が第２通常用演出図柄画像Ｇ５２から第１通常用演出図柄画像Ｇ５１に入れ替わる。また、第３通常演出ステージであれば、図４８（Ａ）の背景画像が第２通常用背景画像Ｇ１１２から第３通常用背景画像Ｇ１１３に入れ替わる。また、図４８（Ａ）、および図４８（Ｄ）の演出図柄ＥＺ１〜ＥＺ３が第２通常用演出図柄画像Ｇ５２から第３通常用演出図柄画像Ｇ５３に入れ替わる。
【０３８３】
このように、通常演出ステージから特殊演出モードに切り替わる際には、通常演出モード間で切り替わるときのように、演出図柄ＥＺ１〜ＥＺ３や背景画像を隠す第１特定画像Ｇ６が表示されない。
【０３８４】
次に、特殊演出モードが第１終了条件の成立によって終了する具体例を説明する。前述のように特殊演出モードが設定され、特殊演出モードにおいてＬリーチやＳＰリーチが実行されることなく特図変動演出が１０回以上実行された後に、終了判定で「特殊演出モードを終了する」と判定されて第１終了条件が成立したとする。そうすると、図４９（Ａ）〜図４９（Ｂ）に示すように、ハズレを示す演出図柄ＥＺ１〜ＥＺ３および小図柄ＫＺ１〜ＫＺ３の停止表示が行われる。ここで、特殊演出モードから第１通常演出ステージに切り替わるが、この場合も、通常演出モード間の切り替わりの場合と同様に、図４９（Ｃ）に示すように、背景画像や演出図柄ＥＺ１〜ＥＺ３は見えないが小図柄ＫＺ１〜ＫＺ３は見えるように、表示部５０ａの全体に第１特定画像Ｇ６が所定時間、表示される。
【０３８５】
そして、第１特定画像Ｇ６が表示されてから所定時間が経過すると、図４９（Ｄ）に示すように、第１特定画像Ｇ６が消去されると共に、第１通常用背景画像Ｇ１１１、および演出図柄画像Ｇ５１からなる演出図柄ＥＺ１〜ＥＺ３が出現する。なお、ここでは、出現したときに演出図柄ＥＺ１〜ＥＺ３の変動表示が開始されている。
【０３８６】
このように、パチンコ遊技機ＰＹ１は、特殊演出モードから通常演出モードに切り替える際に、演出図柄ＫＺ１〜ＫＺ３や背景画像を隠すように第１特定画像Ｇ６を表示部５０ａの全体に表示する。
【０３８７】
続いて、第２開始条件が成立することによって特殊演出モードが設定される具体例について説明する。例えば、低確率高ベース遊技状態であり、図５０（Ａ）に示すように、時短演出モードに滞在しているとする。なお、時短演出モードにおいては、大当たり遊技の後から特図可変表示が実行される度に更新される更新演出が実行される。更新演出は、表示部５０ａの左上部分にて行われる。更新演出では、「残り○○回」という文字表記からなる更新演出画像Ｇ８１が表示される。この更新演出画像Ｇ８１の「○○」の部分には数字が入る。そして更新演出画像Ｇ８１の数字部分は、大当たり遊技が終了して時短演出モードが設定された直後は「１００」であり、その後、特図可変表示が開始される度に１つずつ減少されていく。さらに、時短演出モードでは、基本的に右打ちで遊技が行われるので、右打ち示唆画像Ｇ８２が表示部５０ａの右上部分に表示される。
【０３８８】
そして、図５０（Ｂ）に示すように、時短演出モードにおいて特図変動演出が繰り返し実行され、９９回目の特図２抽選の結果がハズレであり、図５０（Ｃ）に示すように、ハズレを示す演出図柄ＥＺ１〜ＥＺ３、および小図柄ＫＺ１〜ＫＺ３の停止表示が行われたとする。なお、このとき、時短演出モードが設定されてから９９回の特図可変表示が実行されたので、更新演出画像Ｇ８１の数字部分は、「１」となっている。
【０３８９】
続いて、時短演出モードが設定されてから１００回目の特図可変表示が開始されると、図５０（Ｄ）に示すように、演出図柄ＥＺ１〜ＥＺ３、および小図柄ＫＺ１〜ＫＺ３の変動表示が開始され、更新演出画像Ｇ２１の数字部分が「１」減算されて、「０」となる。ここで、この１００回目の特図可変表示に係る特図２抽選の結果がハズレであると、図５１（Ａ）に示すように、ハズレを示す演出図柄ＥＺ１〜ＥＺ３の仮停止表示が行われる。次に、演出図柄ＥＺ１〜ＥＺ３の表示レイヤーの上層側且つ小図柄ＫＺ１〜ＫＺ３の表示レイヤーの下層側で、言い換えると背景画像や演出図柄ＥＺ１〜ＥＺ３は見えないが小図柄ＫＺ１〜ＫＺ３は見えるように、図５１（Ｂ）に示すように、シャッターが閉まるように第２特定画像Ｇ９が表示部５０ａの全体に表示される。ここでは、第２特定画像Ｇ９には「時短演出モード終了」という文字が含まれている。すなわち、第２特定画像Ｇ９は、時短演出モードが終了ことを示唆する。
【０３９０】
そして、第２特定画像Ｇ９が表示されてから所定時間（例えば、２秒）が経過すると、特図２の停止表示が行われて、図５１（Ｃ）に示すように、ハズレを示す態様の小図柄ＫＺ１〜ＫＺ３の停止表示が行われる。特図２の停止表示が行われてから特図確定時間が経過すると、時短演出モードが設定されてから１００回の特図可変表示が実行されたことになる。すなわち、通常遊技状態が設定される共に、第２開始条件が成立し、特殊演出モードが設定される。そして、当該１００回目の特図の可変表示が終了するときに、図５１（Ｄ）に示すように、シャッターが開くように第２特定画像Ｇ９が消去されると共に、特殊用背景画像Ｇ１４０、および第１通常演出ステージに係る演出図柄画像Ｇ５１からなる演出図柄ＥＺ１〜ＥＺ３が出現する。なお、ここでは、出現したときに演出図柄ＥＺ１〜ＥＺ３の変動表示が開始されている。
【０３９１】
なお、特殊演出モードへの移行に伴って、更新演出画像Ｇ８１、および右打ち示唆画像Ｇ８２が消去される。また、遊技状態が通常遊技状態であることから、左打ちで遊技を進めることが有利で適切であるため、左打ちが有利であること、または左打ちが適していることを示唆する左打ち示唆画像Ｇ８３が表示部５０ａの左上に表示される。なお、左打ち示唆画像Ｇ２３は、表示されてから所定期間（例えば、５秒）経過すると消去される。
【０３９２】
次に、第２開始条件の成立により設定された特殊演出モードが第２終了条件の成立によって終了する場合は、特殊演出モードが設定されてから、特図変動演出が２０回実行されて第２終了条件が成立すると、第１終了条件が成立した場合と同様に、特殊演出モードから第１通常演出ステージに切り替わる。
【０３９３】
（予告演出）
次に、パチンコ遊技機ＰＹ１が実行可能な予告演出について説明する。予告演出は、特図変動演出において実行され、大当たり期待度を示唆し、遊技者に大当たり当選を期待させる演出である。すなわち、予告演出は、実行されたことにより実行されない場合に比べて大当たり期待度が上昇し、大当たりに対してチャンスアップとなる演出である。予告演出は、ハズレ変動の特図変動演出だけでなく、大当たり変動の特図変動演出でも実行されることがあるからである。
【０３９４】
第１実施形態の予告演出は、通常演出モードにおける特図変動演出の前段部分で実行可能な第１予告演出、通常演出モードにおけるＮリーチ中に実行可能な第２予告演出、および時短演出モードにおける特図変動演出の前段部分で実行可能な第１予告演出に大別される。ただし、予告演出の種別はこれに限られず適宜に設定しても良い。
【０３９５】
特図変動演出において予告演出を実行するか否かは特図変動演出を開始させる際に、予告演出実行判定によって決定される。予告演出実行判定は予告演出の種別毎に行われる。すなわち、通常演出モードにおける第１予告演出に対する予告演出実行判定と、通常演出モードにおける第２予告演出に対する予告演出実行判定と、時短演出モードにおける第１予告演出実行判定と、がある。よって、通常演出モードにおいては、通常演出モードの第１予告演出と第２予告演出のそれぞれに対して予告演出実行判定が行われる。一方、時短演出モードにおいては、時短演出モードの第１予告演出に対して予告演出実行判定が行われる。
【０３９６】
予告演出の種別毎に行われる予告演出実行判定は、さらにこれから開始される特図変動演出に係る特図変動パターンに基づいて行われる。予告演出実行判定では、予告演出の「実行」または「不実行」が選択される。そして、特図変動パターンによって、予告演出の「実行」が選択される確率と予告演出の「不実行」が選択される確率が異なる。各予告演出実行判定において予告演出の「実行」が選択される確率と予告演出の「不実行」が選択される確率を図５２に示す。
【０３９７】
また、通常演出モードにおける第１予告演出として、台詞予告、バット予告、およびカットイン予告が設定されている。また、通常演出モードにおける第２予告演出として、群予告が設定されている。同様に、時短演出モードにおける第１予告演出として、タイマー予告が設定されている。
【０３９８】
さらに、通常演出モードにおける第１予告演出は通常演出ステージに関連付けられている。具体的には、台詞予告は第１通常演出ステージに関連付けられ、バット予告は第２通常演出ステージに関連付けられ、カットイン予告は第３通常演出ステージに関連付けられている。よって、通常演出モードの第１通常演出ステージにおける予告演出実行判定で予告演出の実行が選択されると、台詞予告が実行されることとなる。また、通常演出モードの第２通常演出ステージにおける予告演出実行判定で予告演出の実行が選択されると、バット予告が実行されることとなる。同様に、通常演出モードの第３通常演出ステージにおける予告演出実行判定で予告演出の実行が選択されると、カットイン予告が実行されることとなる。よって、台詞予告は第１通常演出ステージで実行可能であるが、第２通常演出ステージ、および第３通常演出ステージでは実行されない。同様に、バット予告は第２通常演出ステージで実行可能であるが、第３通常演出ステージ、および第１通常演出ステージでは実行されない。また、カットイン予告は第３通常演出ステージで実行可能であるが、第１通常演出ステージ、および第２通常演出ステージでは実行されない。
【０３９９】
このように、基本的には、台詞予告は第１通常演出ステージ用の予告演出であり、バット予告は第２通常演出ステージ用の予告演出であり、カットイン予告は第３通常演出ステージ用の予告演出である。また、タイマー予告は時短演出モード用の予告演出である。さらに、群予告は、第１通常演出ステージ〜第３通常演出ステージに共通の予告演出である。次に、各予告演出について説明する。
【０４００】
台詞予告は、表示部５０ａにおいて、所定のキャラクタが台詞を発する画像が表示される演出である。そして、台詞の内容によって当該台詞予告が示唆する大当たり期待度が異なる。図５３（Ａ）に示すように、演出図柄ＥＺ１〜ＥＺ３が停止表示されている状態から、特別図柄の変動表示が開始されて、図５３（Ｂ）に示すように、演出図柄ＥＺ１〜ＥＺ３の変動表示が開始したとする。そして、変動表示が開始されてから１秒が経過したときに、図５３（Ｃ）に示すように、キャラクタが台詞を発する画像（台詞予告画像）Ｇ９１が３秒間表示されて、消える。図５３（Ｃ）では、台詞予告画像Ｇ９１に、台詞「チャンス」が含まれているが、これは一例であり、第１実施形態では、台詞予告画像Ｇ９１に含まれる台詞として、「チャンス」の他に、「激アツ」と「・・・」が設定されている。すなわち、台詞予告の演出態様は３種類設けられている。そして、この台詞予告画像Ｇ９１に含まれる台詞、言い換えると、台詞予告の演出態様（台詞予告パターン）によって、大当たり期待度が異なる。第１実施形態では、「激アツ」＞「チャンス」＞「・・・」の順で大当たり期待度が高い。
【０４０１】
バット予告は、表示部５０ａにおいて、バットの画像が表示される演出である。そして、バットの種類によって当該バット予告が示唆する大当たり期待度が異なる。図５４（Ａ）に示すように、演出図柄ＥＺ１〜ＥＺ３が停止表示されている状態から、特別図柄の変動表示が開始されて、図５４（Ｂ）に示すように、演出図柄ＥＺ１〜ＥＺ３の変動表示が開始したとする。そして、変動表示が開始されてから１秒が経過したときに、図５４（Ｃ）に示すように、バットの画像（バット予告画像）Ｇ９２が表示部５０ａの左端から出てきて３秒掛けて右に水平移動して右端から消える。第１実施形態では、バット予告画像Ｇ９２の色として、「赤色」、「緑色」、および「青色」が設定されている。すなわち、バット予告の演出態様は３種類設けられている。そして、このバット予告画像Ｇ９２の色、換言すると、バット予告の演出態様（バット予告パターン）によって、大当たり期待度が異なる。第１実施形態では、「赤色」＞「緑色」＞「青色」の順で大当たり期待度が高い。
【０４０２】
カットイン予告は、表示部５０ａにおいて、女性キャラの顔のアップを含んだ画像が表示される演出である。そして、カットイン予告の内容によって当該カットイン予告が示唆する大当たり期待度が異なる。図５５（Ａ）に示すように、演出図柄ＥＺ１〜ＥＺ３が停止表示されている状態から、特別図柄の変動表示が開始されて、図５５（Ｂ）に示すように、演出図柄ＥＺ１〜ＥＺ３の変動表示が開始したとする。そして、変動表示が開始されてから１秒が経過したときに、図５５（Ｃ）に示すように、女性キャラの顔のアップを含んだ画像（カットイン予告画像）Ｇ９１が表示部５０ａ全体に３秒間カットインされて、消える。図５５（Ｃ）では、カットイン予告画像Ｇ９３に、女性キャラ「店長Ａ子」の顔のアップが含まれているが、これは一例であり、第１実施形態では、カットイン予告画像Ｇ９３に含まれる女性キャラとして、「店長Ａ子」の他に、「主任Ｂ子」と「新人Ｃ子」が設定されている。すなわち、カットイン予告の演出態様は３種類設けられている。そして、このカットイン予告画像Ｇ９３に含まれる女性キャラ、すなわち、カットイン予告の演出内容（カットイン予告パターン）によって、大当たり期待度が異なる。第１実施形態では、「店長Ａ子」＞「主任Ｂ子」＞「新人Ｃ子」の順で大当たり期待度が高い。
【０４０３】
群予告は、表示部５０ａにおいて、所定のアイテムを含んだ画像が表示される演出である。そして、群予告の内容によって当該群予告が示唆する大当たり期待度が異なる。群予告で表示される所定のアイテムは演出モードによって異なる。第１通常演出ステージの群予告では、野球のボールの画像が表示される。また、第２通常演出ステージの群予告では、野球のグローブの画像が表示される。さらに、第３通常演出ステージの群予告では、野球の帽子の画像が表示される。
【０４０４】
例えば、第１通常演出ステージであれば、図５６（Ａ）に示すように、リーチが成立して、Ｎリーチに突入したとする。そして、Ｎリーチに突入してから３秒が経過したときに、図５６（Ｂ）〜図５６（Ｃ）に示すように、複数個（図５６（Ｂ）においては１５個）の野球のボールの群からなる画像（群予告画像）Ｇ９４が３秒間かけて左から右にスクロール表示する。詳細には、群予告画像Ｇ９４が表示部５０ａの左から出現して右へ移動し、右から消えていく。
【０４０５】
ここで、群予告画像Ｇ９４を構成する野球の帽子の数、すなわち群予告の演出態様は複数種類設定されている。第１実施形態では、群予告画像Ｇ９４を構成する馬の数として、「３０個」、「１５個」および「３個」が設定されている。すなわち、第１通常演出モードにおける群予告の演出内容（群予告パターン）には、３０個の野球の帽子の群からなる群予告画像Ｇ９４が表示される群予告パターン１と、１５個の野球の帽子の群からなる群予告画像Ｇ９４が表示される群予告パターン２と、３個の野球の帽子の群からなる群予告画像Ｇ９４が表示される群予告パターン３と、が設けられている。そして、この群予告画像Ｇ９４を構成する野球の帽子の数によって、大当たり期待度が異なる。第１実施形態では、「３０個」＞「１５個」＞「３個」の順で大当たり期待度が高い。
【０４０６】
なお、図５６では第１通常演出ステージにおける群予告について説明したが、第２通常演出ステージ、第３通常演出ステージ、および特殊演出モードにおける群予告は、群予告を構成するアイテムがその演出モードに対応するアイテムに入れ替わって構成される。前述の通り、第２通常演出ステージの群予告では、図５６（Ｂ）の野球の帽子が野球のグローブの画像に入れ替わる。また、第３通常演出ステージの群予告では、図５６（Ｂ）の野球の帽子が野球の帽子の画像に入れ替わる。
【０４０７】
タイマー予告は、表示部５０ａにおいて、時計の画像が表示される演出である。タイマー予告は、時短演出モードにおいてのみ実行可能である。そして、タイマーの種類によって当該タイマー予告が示唆する大当たり期待度が異なる。図５７（Ａ）に示すように、演出図柄ＥＺ１〜ＥＺ３が停止表示されている状態から、特別図柄の変動表示が開始されて、図５７（Ｂ）に示すように、演出図柄ＥＺ１〜ＥＺ３の変動表示が開始したとする。そして、変動表示が開始されてから３秒が経過したときに、図５７（Ｃ）に示すように、時計の画像（タイマー予告画像）Ｇ９５が５秒間表示されて、消える。図５７（Ｃ）では、タイマー予告画像Ｇ９５が、デジタル式時計で構成されているが、これは一例であり、第１実施形態では、タイマー予告画像Ｇ９５を構成する時計として、「デジタル式時計」の他に、「アナログ式時計」と「砂時計」が設定されている。すなわち、タイマー予告の演出態様は３種類設けられている。そして、このタイマー予告画像Ｇ９５を構成する時計、言い換えると、タイマー予告の演出内容（タイマー予告パターン）によって、大当たり期待度が異なる。第１実施形態では、「アナログ式時計」＞「デジタル式時計」＞「砂時計」の順で大当たり期待度が高い。
【０４０８】
なお、各種予告演出を実行する場合、何れの演出態様にするかは特図変動演出を開始させる際に予告演出態様判定によって決定される。予告演出態様判定は、予告演出毎にこれから開始される特図変動演出に係る特図変動パターンに基づいて行われる。そして、各種予告演出に対して、特図変動パターンによって演出態様の選択率が異なる。なお、一例ではあるが、各種予告演出に対する予告演出態様判定で各種演出態様が選択される確率を図５８〜図５９に示す。
【０４０９】
このように、各演出モードに対応付けられた予告演出が実行されるが、特殊演出モードにおいては、通常演出モードに対応付けられた何れの予告演出も実行可能に構成されている。すなわち、特殊演出モードにおいて、第１通常演出ステージ用の台詞予告、第２通常演出ステージ用のバット予告、および第３通常演出ステージ用のカットイン予告が実行可能である。具体的には、第１開始条件の成立に基づいて設定された特殊演出モードにおいては、第１予告演出が実行される場合は、当該特殊演出モードが設定される前に設定されていた通常演出モードの種類に応じた第１予告演出が実行される。特殊演出モードでも第１通常演出ステージ〜第３通常演出ステージと同様に特図変動演出の開始時に特図変動パターンに基づいて図５１に示す確率で、第１予告演出に対する予告演出実行判定を行い、「第１予告演出を実行する」と判定すると、当該特殊演出モードが設定される前に設定されていた通常演出モードの種類に応じた第１予告演出を実行する。そして、その第１予告演出の種類に応じた予告演出種別判定を行って、第１予告演出の演出内容を決定する。一方、第２開始条件の成立に基づいて設定された特殊演出モードにおいては、第１予告演出が実行される場合は、第１通常演出ステージ用の台詞予告を行う。この場合も、特図変動演出の開始時に特図変動パターンに基づいて図５２に示す確率で、第１予告演出に対する予告演出実行判定を行う。そして、台詞予告を実行する場合は、台詞予告に対する予告演出種別判定を行って、台詞予告の演出内容を決定する。
【０４１０】
また、群予告についても同様に、第１開始条件の成立に基づいて設定された特殊演出モードにおいては、第２予告演出を実行すると判定した場合、当該特殊演出モードが設定される前に設定されていた通常演出モードの種類に係る画像（野球のボール、野球のグローブ、または野球の帽子）による群予告を実行する。そして、群予告を実行する場合は、その群予告に対する予告演出種別判定を行って、群予告の演出内容を決定する。また、第２開始条件の成立に基づいて設定された特殊演出モードにおいては、第２予告演出を実行すると判定した場合、第１通常演出ステージに係る野球のボールによる群予告を実行する。この場合も、特図変動演出の開始時に特図変動パターンに基づいて図５１に示す確率で予告演出実行判定を行う。
【０４１１】
さらに、パチンコ遊技機ＰＹ１は、演出モードの種類に関わらず、大当たり当選を示唆する一発告知演出を実行可能である。一発告知演出は、例えば、演出モードの種類に関わらず同一態様の特定の効果音（例えば、キュインキュインキュイーン）の出力で構成される。特図変動演出の開始時に、大当たりである場合には例えば、図６０に示すような確率で、一発告知演出を実行するか否かの一発告知演出実行判定を行い、一発告知演出を実行すると判定されると、特図変動演出の開始直後やリーチ成立時などの所定のタイミングで一発告知演出を実行する。なお、特図変動演出の開始直後に一発告知演出を実行する場合は、第１予告演出や第２予告演出に対する予告演出実行判定を行わないようにすることもできる。また、リーチ成立時に一発告知演出を実行する場合は、第２予告演出に対する予告演出実行判定を行わないようにすることもできる。一発告知演出の後に、大当たり期待度を示唆する予告演出を実行しても、予告演出の演出効果が低下するからである。
【０４１２】
以上のように、パチンコ遊技機ＰＹ１は、複数の演出モードに応じた演出図柄ＥＺ１〜ＥＺ３の表示態様が設定されており、演出モードが切り替わって演出図柄ＥＺ１〜ＥＺ３の表示態様が変更される際に、第１特定画像Ｇ６や第２特定画像Ｇ９を表示して、停止表示中の演出図柄ＥＺ１〜ＥＺ３を非表示にする。この第１特定画像Ｇ６や第２特定画像Ｇ９の表示によって、演出図柄ＥＺ１〜ＥＺ３の表示態様が切り替わることが遊技者に見られて演出効果の低下を招くことを防止すると共に、演出モードの切り替えに対するメリハリをつけることができる。また、第１特定画像Ｇ６や第２特定画像Ｇ９を表示する際に、小図柄ＫＺ１〜ＫＺ３は非表示にされず継続して表示されるため、遊技者に特図抽選結果を認識させることができる。
【０４１３】
また、何れかの通常演出ステージから特殊演出モードに切り替わる際に演出図柄の表示態様は変更されずに、当該特殊演出モードの前の表示態様が継続する。そして、この特殊演出モードへの切り替えの際には第１特定画像Ｇ６は表示されずに、背景画像が第１通常用背景画像Ｇ１１１〜第３通常用背景画像Ｇ１１３の何れかから突然、特殊用背景画像Ｇ１４０に切り替わるので、遊技者に驚きを与え、遊技興趣を向上させることができる。さらに、この特殊演出モードへの切り替えは演出図柄ＥＺ１〜ＥＺ３の停止表示に伴って実行されるが、演出図柄ＥＺ１〜ＥＺ３の停止表示の際に、小当たり専用の演出図柄画像Ｇ５７が表示され、特殊演出モード示唆画像Ｇ７が表示されるので、遊技者に特殊演出モードへの切り替えを認識させ易くして、演出効果の低下を抑えることができる。
【０４１４】
さらに、各通常演出ステージでは、その通常演出ステージ用の予告演出が実行可能である。これらの各通常演出ステージ用の予告演出は、他の通常演出ステージで実行されることがないが、特殊演出モードでは実行可能である。よって、特殊演出モードの演出効果が高まり、遊技興趣が向上する。また、特殊演出モード用の予告演出、および特殊演出モード用の演出図柄ＥＺ１〜ＥＺ３の表示態様が設けられておらず、特殊演出モードでは、当該特殊演出モードの前の通常演出ステージ用の予告演出が実行可能であり、当該特殊演出モードの前の通常演出ステージ用の通常用演出図柄画像Ｇ５１〜Ｇ５３が表示可能である。これにより、特殊演出モードに対する飽きを防止させることができる。
【０４１５】
また、時短状態であることを示唆する時短演出モードから、通常遊技状態であることを示唆する特殊演出モードに切り替わることに応じて、演出図柄ＥＺ１〜ＥＺ３は時短用演出図柄画像Ｇ５５から第１通常用演出図柄Ｇ５１に切り替わる。よって、遊技全体にメリハリをつけ、遊技興趣を向上させることができる。さらに、同じように通常遊技状態であることを示唆するが、基本的な通常演出ステージから、通常演出ステージよりは出現率の低い特別な特殊演出モードに切り替わることに応じては演出図柄ＥＺ１〜ＥＺ３が変更されず、その直前の通常演出ステージの通常用演出図柄画像Ｇ５１〜Ｇ５３が継続して用いられる。よって、演出が煩雑になって演出効果が低下することを抑えることができる。
【０４１６】
［受信コマンド解析処理］
次に図６１〜図６２を用いて受信コマンド解析処理について説明する。演出制御用マイコン１２１は、受信コマンド解析処理ではまず、遊技制御基板１００から始動入賞コマンド（第１始動入賞コマンド又は第２始動入賞コマンド）を受信したか否か、言い換えれば、始動入賞コマンドを受信バッファに格納したか否かを判定する（Ｓ４３０１）。演出制御用マイコン１２１は、始動入賞コマンドを受信していれば（Ｓ４３０１でＹＥＳ）、ステップＳ４３０２に進む一方、始動入賞コマンドを受信していなければ（Ｓ４３０１でＮＯ）、ステップＳ４３０３に進む。
【０４１７】
ステップＳ４３０２において、演出制御用マイコン１２１は、第１始動口１１や第２始動口１２に遊技球が入賞することに応じた始動入賞時処理を行う。始動入賞時処理では、受信した始動入賞コマンドを演出用ＲＡＭ１２４にある始動入賞コマンド保留記憶部１２５に記憶する。次に、演出制御用マイコン１２１は、その記憶した始動入賞コマンドを解析して、大当たり期待度を示す先読み演出を実行するか否かの判定を行う。先読み演出には、保留演出を特別態様で行う保留変化予告表示の他に、連続する複数回の特別図柄の変動表示にわたって相互に関連する連続予告演出等がある。これらの先読み演出を実行すると決定した場合には、決定した演出を実行するための先読み演出開始コマンドを演出用ＲＡＭ１２４の出力バッファにセットする。
【０４１８】
演出用ＲＡＭ１２４の出力バッファにセットされた先読み演出開始コマンドが、コマンド送信処理（Ｓ４００４）により画像制御基板１４０に送信されると、画像制御基板１４０の画像用ＣＰＵ１４１は、画像用ＲＯＭ１４２から所定の演出画像を読み出して、画像表示装置５０の表示部５０ａにて画像による先読み演出を行う。また、演出制御用マイコン１２１は、画像制御基板１４０によって行われる画像による先読み演出が行われている間、画像制御基板１４０に送信された先読み演出開始コマンドが示す先読み演出内容に応じて、音声制御回路１６１を介してスピーカ５２から音声を出力させ（音声による先読み演出を実行し）、また、サブドライブ基板１６２を介して枠ランプ５３を発光させ（発光による先読み演出を実行し）、盤可動体５５ｋを作動させる（動作による先読み演出を実行する）事が可能である。
【０４１９】
ステップＳ４３０３において、演出制御用マイコン１２１は、遊技制御基板１００から図柄指定コマンドを受信したか否か、言い換えれば、図柄指定コマンドを受信バッファに格納したか否かを判定する。演出制御用マイコン１２１は、図柄指定コマンドを受信していなければ（Ｓ４３０３でＮＯ）、ステップＳ４３０５に進む一方、図柄指定コマンドを受信していれば（Ｓ４３０３でＹＥＳ）、図柄指定コマンドを演出用ＲＡＭ１２４にある図柄指定コマンド記憶部１２６に記憶する（Ｓ４３０４）。
【０４２０】
ステップＳ４３０５において、演出制御用マイコン１２１は、遊技制御基板１００から特図変動開始コマンドを受信したか否か、言い換えれば、特図変動開始コマンドを受信バッファに格納したか否かを判定する。特図変動開始コマンドを受信していなければ（Ｓ４３０５でＮＯ）、ステップＳ４３０８に進む一方、特図変動開始コマンドを受信していれば（Ｓ４３０５でＹＥＳ）、特図変動演出の演出内容を決定し、特図変動演出を開始させるための特図変動演出開始処理（Ｓ４３０６）、および更新演出に係る更新演出判定処理（Ｓ４３０７）を行う。
【０４２１】
演出制御用マイコン１２１は、特図変動演出開始処理では、まず、特図変動開始コマンドを演出用ＲＡＭ１２４にある特図変動開始コマンド記憶部１２７に記憶する。次いで、ステップＳ４３０４で既に記憶した図柄指定コマンドが示す停止特図の内容（大当たり図柄の種別、小当たり図柄、ハズレ特図）と特図変動開始コマンドが示す特図変動パターンに基づいて、停止演出図柄を判定する停止図柄判定を行うための停止図柄パターン判定テーブルを選択する。停止図柄パターン判定テーブルは、特図および特図変動パターンに関連づけられて複数設けられている。よって、演出制御用マイコン１２１は、停止図柄の種別および特図変動パターンに対応付けられた停止図柄パターン判定テーブルを１つ選択する。各停止図柄パターン判定テーブルには、所定の振分率（％）となるように、複数の停止演出図柄に停止図柄パターン判定用乱数の値（停止図柄パターン判定値）が振り分けられている。次に、演出制御用マイコン１２１は、停止図柄パターン判定用乱数カウンタが示す値を停止図柄パターン判定用乱数として取得し、取得した停止図柄パターン判定用乱数に基づいて停止図柄パターン判定を行う。演出制御用マイコン１２１は、停止図柄パターン判定において、選択した停止図柄パターンテーブルに、取得した停止図柄パターン判定用乱数を照合し、停止演出図柄を決定して、決定した停止演出図柄を表すデータを演出用ＲＡＭ１２４の所定領域にセットする。例えば、特図変動パターンがリーチ無しハズレ変動であれば所謂「バラケ目」となるように演出図柄ＥＺ１〜ＥＺ３、および小図柄ＫＺ１〜ＫＺ３の組み合わせが選択される。また、特図変動パターンがリーチ有りハズレ変動であれば、左演出図柄ＥＺ１と右演出図柄ＥＺ３とが同一の種類で、中演出図柄ＥＺ２がそれらと異なる種類となるように演出図柄ＥＺ１〜ＥＺ３、および小図柄ＫＺ１〜ＫＺ３の組み合わせが選択される。さらに、特図変動パターンが大当たり変動であれば、演出モードおよび大当たり図柄の種別に応じて所謂「ゾロ目」となるように演出図柄ＥＺ１〜ＥＺ３、および小図柄ＫＺ１〜ＫＺ３の組み合わせが選択される。また、特図変動パターンが小当たり変動であれば、前述のような小当たり当選を示す態様の小図柄ＫＺ１〜ＫＺ３の組み合わせと、小当たり専用の演出図柄画像Ｇ５７が含まれ、特殊演出モードが設定されることを示唆する特殊演出モード示唆画像Ｇ７をが選択される（図４８（Ｄ）参照）。
【０４２２】
次に、演出制御用マイコン１２１は、滞在している演出モードと特図変動開始コマンドが示す特図変動パターンに基づいて、特図変動演出の演出内容である特図変動演出パターンを判定する特図変動演出パターン判定を行うための特図変動演出パターン判定テーブルを選択する。特図変動演出パターン判定テーブルは、演出モードおよび特図変動パターンに関連づけられて複数設けられている。よって、演出制御用マイコン１２１は、特図変動パターンに対応付けられた特図変動演出パターン判定テーブルを１つ選択する。各特図変動演出パターン判定テーブルには、所定の振分率（％）となるように、１又は複数の特図変動演出パターンに特図変動演出パターン判定用乱数の値（特図変動演出パターン判定値）が振り分けられている。続いて、演出制御用マイコン１２１は、特図変動演出パターン判定用乱数カウンタが示す値を特図変動演出パターン判定用乱数として取得し、取得した特図変動演出パターン判定用乱数に基づいて特図変動演出パターン判定を行う。演出制御用マイコン１２１は、特図変動演出パターン判定において、選択した特図変動演出パターンテーブルに、取得した特図変動演出パターン判定用乱数を照合し、特図変動演出パターンを決定して、決定した特図変動演出パターンを表すデータを演出用ＲＡＭ１２４の所定領域にセットし、特図変動演出パターンを表す特図変動演出開始コマンドを演出用ＲＡＭ１２４の出力バッファにセットする。
【０４２３】
特図変動演出開始コマンドには、画像表示装置５０で行われる画像による特図変動演出の他に、スピーカ５２から出力される音声による特図変動演出、枠ランプ５３で行われる発光による特図変動演出の演出内容、および、盤可動体５５ｋで行われる動作による特図変動演出の演出内容が含まれている。
【０４２４】
演出用ＲＡＭ１２４の出力バッファにセットされた特図変動演出開始コマンドが、コマンド送信処理（Ｓ４００４）により画像制御基板１４０に送信されると、画像制御基板１４０の画像用ＣＰＵ１４１は、画像用ＲＯＭ１４２から所定の演出画像を読み出して、画像表示装置５０の表示部５０ａにて画像による特図変動演出を行う。また、演出制御用マイコン１２１は、画像制御基板１４０によって行われる画像による特図変動演出が行われている間、画像制御基板１４０に送信された特図変動演出開始コマンドが示す特図変動演出内容に応じて、音声制御回路１６１を介してスピーカ５２から音声を出力させ（音声による特図変動演出を実行し）、また、サブドライブ基板１６２を介して枠ランプ５３を発光させ（発光による特図変動演出を実行し）、盤可動体５５ｋを作動させる（動作による特図変動演出を実行する）。なお、画像制御基板１４０の画像用ＣＰＵ１４１は、小当たり変動に応じた特図変動演出開始コマンドを受信すると、特図変動演出の終了間際に、図４８（Ｃ）に示すような小当たり専用の演出図柄画像Ｇ５７を用いて演出図柄ＥＺ１〜ＥＺ３の仮停止表示を行う。
【０４２５】
なお、画像制御基板１４０は、滞在している演出モードが特殊演出モード以外であれば、その演出モード用の演出図柄ＥＺ１〜ＥＺ３を用いて可変表示を行う。また、第１開始条件の成立により設定された特殊演出モードであれば、特殊演出モードが設定される前の通常演出モード用の演出図柄ＥＺ１〜ＥＺ３を用いて可変表示を行う。さらに、第２開始条件の成立により設定された特殊演出モードであれば、第１通常演出ステージ用の演出図柄ＥＺ１〜ＥＺ３を用いて可変表示を行う。
【０４２６】
また、演出制御用マイコン１２１は、特図変動演出開始処理において、特図変動開始コマンドが示す特図変動パターンに基づいて、前述した一発告知演出を実行するか否かの判定を行う。ここで、演出制御用マイコン１２１は、実行すると判定した場合、音声制御回路１６１を介してスピーカ５２から一発告知演出に係る特定効果音を出力させ、一発告知演出を実行する。さらに、演出制御用マイコン１２１は、一発告知演出を実行しないと判定した場合は、滞在している演出モードと特図変動開始コマンドが示す特図変動パターンに基づいて、前述した予告演出の種別毎の予告演出実行判定を行う。予告演出実行判定で「予告演出を実行する」と判定すると、特殊演出モード以外の演出モードに滞在している場合は、滞在している演出モードあるいは通常演出ステージに対応付けられた予告演出に対する予告演出種別判定を行う。また、特殊演出モードに滞在している場合は、第１開始条件の成立によるものであれば、成立時の通常演出ステージに対応付けれた予告演出の予告演出態様判定を行う。一方、第２開始条件の成立によるものであれば、第１通常演出ステージに対応付けれた予告演出の予告演出態様判定を行う。なお、予告演出を実行する場合は、予告演出の演出態様を表す予告演出開始コマンドを演出用ＲＡＭ１２４の出力バッファにセットする。
【０４２７】
演出用ＲＡＭ１２４の出力バッファにセットされた予告演出開始コマンドが、コマンド送信処理（Ｓ４００４）により画像制御基板１４０に送信されると、画像制御基板１４０の画像用ＣＰＵ１４１は、画像用ＲＯＭ１４２から所定の演出画像を読み出して、所定タイミングで画像表示装置５０の表示部５０ａにて予告演出を行う。
【０４２８】
次に、演出制御用マイコン１２１は、更新演出判定処理において、時短演出モードであるか否かを判定して、時短演出モードであればさらに時短演出モードが設定されてから１００回の特図可変表示が実行されたか否かを判定する。１００回実行されていなければ、更新演出画像Ｇ８１の数字部分を「１」減算させることを示す更新演出開始コマンドを演出用ＲＡＭ１２４の出力バッファにセットする。演出用ＲＡＭ１２４の出力バッファにセットされた更新演出開始コマンドが、コマンド送信処理（Ｓ４００４）により画像制御基板１４０に送信されると、画像制御基板１４０の画像用ＣＰＵ１４１は、更新演出画像Ｇ８１の数字部分を「１」減算させる。なお、１００回の特図可変表示が実行された否かの判定は、時短演出モードにおいて特図変動演出開始処理が行われる度に「１」加算可能なカウンタを演出用ＲＡＭ１２４に設けておき、特図変動演出開始処理が開始される度にカウンタを「１」加算し、カウンタ値が「１００」以下であるか否かで行うことができる。また、１００回の特図可変表示が実行された否かの判定はこの方法に限られず適宜に設定可能である。なお、時短演出モードであるか否かの判定は、例えば、演出制御用マイコン１２１が後述するステップＳ４３２１の演出モード設定処理において、時短演出モードを設定する際に時短演出モードであることを示すフラグを演出用ＲＡＭ１２４の所定領域にＯＮすることによって、そのフラグのＯＮ・ＯＦＦに基づいて行われるようにしても良い。また、演出制御用マイコン１２１は、時短演出モードであることを示すフラグがＯＮされた場合は、例えば後述するステップＳ４３１０の時短演出モード制御処理において、時短演出モードが設定されてから特図可変表示が実行される回数を計数しておき、その回数が１００回に達したことを条件にＯＦＦしても良い。
【０４２９】
ステップＳ４３０８において、演出制御用マイコン１２１は、遊技制御基板１００から特図変動停止コマンドを受信したか否か、言い換えれば、特図変動停止コマンドを受信バッファに格納したか否かを判定する。演出制御用マイコン１２１は、特図変動停止コマンドを受信していなければ（Ｓ４３０８でＮＯ）、ステップＳ４３１４に進む一方、特図変動停止コマンドを受信していれば（Ｓ４３０８でＹＥＳ）、特図変動演出を終了させる（演出図柄の変動表示を停止し、停止表示を行う）ための特図変動演出終了処理（Ｓ４３０９）、時短演出モードの制御を行う時短演出モード制御処理（Ｓ４３１０）、第１開始条件成立判定処理（Ｓ４３１１）、通常演出ステージ切替判定処理（Ｓ４３１２）、第１終了条件成立判定処理（Ｓ４３１３）、および第２終了条件成立判定処理（Ｓ４３１４）を行う。
【０４３０】
演出制御用マイコン１２１は、特図変動演出終了処理では、特図変動停止コマンドを解析し、その解析結果に基づいて、特図変動演出を適宜に終了（演出図柄ＥＺ１〜ＥＺ３、および小図柄ＫＺ１〜ＫＺ３の変動表示を停止）させるための特図変動演出終了コマンドを演出用ＲＡＭ１２４の出力バッファにセットする。画像制御基板１４０は、特図変動演出終了コマンドを受信すると、実行中の特図変動演出を終了（変動中の演出図柄ＥＺ１〜ＥＺ３、および小図柄ＫＺ１〜ＫＺ３を停止）する。
【０４３１】
また、演出制御用マイコン１２１は、時短演出モード制御処理では、最初に演出モードを確認する。時短演出モードでなければステップＳ４３１１に進み、時短演出モードであれば、当該演出モードが設定されてから実行された特図可変表示の実行回数が１００回に達したか否かを判定する。そして、実行回数が１００回に達していなければ、ステップＳ４３１１に進み、実行回数が１００回に達していれば、遊技状態を確認して、低確率高ベース遊技状態であるか否かを判定する。
【０４３２】
ここで低確率高ベース遊技状態であれば、時短演出モードを終了して特殊演出モードを設定する。特殊演出モードを設定するために、演出制御用マイコン１２１は、第２開始条件が成立したことにより特殊演出モードを設定することを示す第２特殊演出モード開始コマンドを演出用ＲＡＭ１２４の出力バッファにセットすると共に、時短演出モードが終了して特殊演出モードが設定された、すなわち第２開始条件が成立したことを示す第２特殊演出モードフラグを演出用ＲＡＭ１２４の所定領域にＯＮする。演出制御用マイコン１２１は、第２特殊演出モードフラグがＯＮされていることによって、第２開始条件の成立によって設定された特殊演出モードであることを認識することができる。なお、時短演出モードが設定されてから実行された特図可変表示の実行回数が１００回に達したか否かの判定は、前述の演出用ＲＡＭ１２４に設けたカウンタのカウンタ値が「１００」であるか否かで行うことが可能である。
【０４３３】
演出用ＲＡＭ１２４の出力バッファにセットされた第２特殊演出モード開始コマンドが、コマンド送信処理（Ｓ４００４）により画像制御基板１４０に送信されると、画像制御基板１４０の画像用ＣＰＵ１４１は、特図可変表示が終了するタイミングで、背景画像を特殊用背景画像Ｇ１４０に切り替え、ＢＧＭを特殊演出モード用のＢＧＭに切り替える。さらに、画像制御基板１４０は、第２特殊演出モード開始コマンドを受信すると、その次の特図変動演出からは、第１通常用演出図柄画像Ｇ５１を用いて演出図柄ＥＺ１〜ＥＺ３の可変表示を行う。また、画像制御基板１４０は、第２特殊演出モード開始コマンドを受信すると、右打ち示唆画像Ｇ８２および更新演出画像Ｇ８１を消去し、左打ち示唆画像Ｇ８３を表示する。すなわち、右打ち示唆演出および更新演出を終了させて、左打ち示唆演出を所定時間実行する。このように、時短演出モード制御処理において、第２開始条件が成立したか否かの判定も含まれるので、時短演出モード制御処理は「第２開始条件成立判定処理」と位置づけることもできる。
【０４３４】
また、遊技状態が高確率高ベース遊技状態であれば、更新演出を終了するために、更新演出を終了することを示す更新演出終了コマンドを演出用ＲＡＭ１２４の出力バッファにセットする。演出用ＲＡＭ１２４の出力バッファにセットされた更新演出終了コマンドが、コマンド送信処理（Ｓ４００４）により画像制御基板１４０に送信されると、画像制御基板１４０の画像用ＣＰＵ１４１は、特図可変表示が終了するタイミングで、更新演出画像Ｇ８１を消去する。
【０４３５】
なお、演出モードの確認は、演出モードごとに演出モードフラグを設定し、演出用ＲＡＭ１２４の所定領域でＯＮ／ＯＦＦを可能にしておき、演出モードを変更するタイミングで、変更する演出モードに応じた演出モードフラグに切り替えてＯＮするようにしても良い。
【０４３６】
次に、演出制御用マイコン１２１は、第１開始条件成立判定処理において、まずは通常演出モードであるか否かを判定し、通常演出モードであれば図柄指定コマンド記憶部１２６を確認して、小当たりを示す図柄指定コマンドが記憶されている、すなわち、これから小当たり図柄の停止表示が行われるか否かを判定する。小当たり図柄の停止表示が行われる場合、第１開始条件が成立したことにより特殊演出モードを設定することを示す第１特殊演出モード開始コマンドを演出用ＲＡＭ１２４の出力バッファにセットすると共に、小当たり当選により特殊演出モードが設定、すなわち第１開始条件が成立したことを示す第１特殊演出モードフラグを演出用ＲＡＭ１２４の所定領域にＯＮする。演出制御用マイコン１２１は、第１特殊演出モードフラグがＯＮされていることによって、第１開始条件の成立によって設定された特殊演出モードであることを認識することができる。
【０４３７】
演出用ＲＡＭ１２４の出力バッファにセットされた第１特殊演出モード開始コマンドが、コマンド送信処理（Ｓ４００４）により画像制御基板１４０に送信されると、画像制御基板１４０の画像用ＣＰＵ１４１は、特図可変表示が終了するタイミングで、背景画像を特殊用背景画像Ｇ１４０に切り替え、ＢＧＭを特殊演出モード用のＢＧＭに切り替える。さらに、画像制御基板１４０は、第１特殊演出モード開始コマンドを受信すると、その次の特図変動演出からも引き続き、その直前まで用いていた演出図柄画像（通常用演出図柄画像Ｇ５１〜Ｇ５３の何れか）を用いて演出図柄ＥＺ１〜ＥＺ３の可変表示を行う。
【０４３８】
演出制御用マイコン１２１は、通常演出ステージ切替判定処理では、最初に演出モードを確認して通常演出モードであるか否かを判定する。通常演出モードでなければステップＳ４３１３に進み、通常演出モードであれば、現在滞在中の通常演出ステージが設定されてから実行された特図可変表示の実行回数が３０回に達したか否かを判定する。そして、各通常演出ステージでの実行回数が３０回に達していなければ、ステップＳ４３１３に進み、実行回数が３０回に達していれば、現在の通常演出ステージを修了して、次の順番の通常演出ステージに切り替える。
【０４３９】
なお、３０回の特図可変表示が実行された否かの判定は、通常演出ステージでの特図可変表示の実行回数を計数するためのカウンタを演出用ＲＡＭ１２４に設けておき、前述の通常演出ステージであるか否かの判定で通常演出ステージである場合に、まずはカウンタに「１」加算することにし、次にカウンタ値が「３０」未満であるか否かを判定することで行うことができる。ここで、カウンタ値が「３０」未満ではないと判定されると、その通常演出ステージでの特図可変表示の実行回数が３０回に達したことになる。また、この３０回の特図可変表示が実行された否かの判定はこの方法に限られず適宜に設定可能である。
【０４４０】
次の通常演出ステージに切り替えるために、演出制御用マイコン１２１は、次の通常演出ステージを示す通常演出ステージ開始コマンドを演出用ＲＡＭ１２４の出力バッファにセットし、次の通常演出ステージを示す通常演出ステージフラグを演出用ＲＡＭ１２４の所定領域にＯＮすると共に、通常演出ステージでの特図可変表示の実行回数を計数するためのカウンタをリセットする。演出制御用マイコン１２１は、通常演出ステージフラグがＯＮされていることによって、現在滞在中の通常演出ステージを認識することができる。
【０４４１】
また、演出用ＲＡＭ１２４の出力バッファにセットされた通常演出ステージ開始コマンドが、コマンド送信処理（Ｓ４００４）により画像制御基板１４０に送信されると、画像制御基板１４０の画像用ＣＰＵ１４１は、特図停止表示が開始されるタイミングで第１特定画像Ｇ６を表示し、特図停止表示が終了するタイミングで、第１特定画像Ｇ６を消去すると共に、背景画像を次の通常演出ステージに応じた背景画像（第１通常用背景画像Ｇ１１１〜第３通常用背景画像Ｇ１１３の何れか）に切り替える。なお、第１特定画像Ｇ６の表示が開始されるタイミングと消去されるタイミングはこれに限られず、適宜に設定しても良い。また、画像制御基板１４０は、通常演出ステージ開始コマンドを受信すると、その次の特図変動演出から、その通常演出ステージ開始コマンドが示す通常演出ステージに応じた演出図柄画像（通常用演出図柄画像Ｇ５１〜Ｇ５３の何れか）を用いて演出図柄ＥＺ１〜ＥＺ３の可変表示を行う。
【０４４２】
続いて、演出制御用マイコン１２１は、第１終了条件成立判定処理において、まずは第１特殊演出モードフラグがＯＮであるか否かを判定し、フラグがＯＮであれば、第１終了条件が成立したか否かを判定する。例えば、演出制御用マイコン１２１は、第１特殊演出モードフラグをＯＮした際に、演出用ＲＡＭ１２４の所定領域に特図可変表示の実行回数を計測するためのカウンタに「２０」をセットし、特図変動停止コマンドを受信するたびに第１終了条件成立判定処理でカウンタ値を「１」減算する。そして、第１終了条件成立判定処理において当該カウンタ値が「０」になったか否かを判定し、「０」になった場合には第１終了条件が成立したと判定する。また、カウンタ値が「１０」以下であれば、前述の終了判定を行い、終了すると判定されると第１終了条件が成立したと判定する。さらに、特図変動パターン記憶領域を確認し、終了した特図変動演出に係る特図変動パターンがＳＰリーチハズレ変動またはＬリーチハズレ変動であるか否かを判定し、ＳＰリーチハズレ変動またはＬリーチハズレ変動であると第１終了条件が成立したと判定する。演出制御用マイコン１２１は、第１終了条件が成立したと判定すると、特殊演出モードを終了させる。
【０４４３】
ここで、演出制御用マイコン１２１は、第１特殊演出モードフラグをＯＦＦし、第１特殊演出モード設定後の特図可変表示の実行回数を計数するためのカウンタをリセットし、演出用ＲＡＭ１２４の所定領域に、第１通常演出ステージを表す通常演出モードを演出モードフラグをＯＮし、第１通常演出ステージ開始コマンドを演出用ＲＡＭ１２４の出力バッファにセットする。演出用ＲＡＭ１２４の出力バッファにセットされた第１通常演出ステージ開始コマンドが、コマンド送信処理（Ｓ４００４）により画像制御基板１４０に送信されると、画像制御基板１４０の画像用ＣＰＵ１４１は、特図可変表示が終了するタイミングで、背景画像を第１通常用背景画像Ｇ１１１に切り替える。また、画像制御基板１４０は、第１通常演出ステージ開始コマンドを受信すると、その次の特図変動演出から、第１通常用演出図柄画像Ｇ５１を用いて演出図柄ＥＺ１〜ＥＺ３の可変表示を行う。
【０４４４】
次に、演出制御用マイコン１２１は、第２終了条件成立判定処理において、まずは第２特殊演出モードフラグがＯＮであるか否かを判定し、第２特殊演出モードフラグがＯＮであれば、第２終了条件が成立したか否かを判定する。例えば、演出制御用マイコン１２１は、第２特殊演出モードフラグをＯＮした際に、演出用ＲＡＭ１２４の所定領域に特図可変表示の実行回数を計測するためのカウンタに「２０」をセットし、特図変動停止コマンドを受信するたびに第２終了条件成立判定処理でカウンタ値を「１」減算する。そして、第２終了条件成立判定処理において当該カウンタ値が「０」になったか否かを判定し、「０」になった場合には第２終了条件が成立したと判定する。演出制御用マイコン１２１は、第２終了条件が成立したと判定すると、特殊演出モードを終了させる。
【０４４５】
そして、演出制御用マイコン１２１は、第２特殊演出モードフラグをＯＦＦし、第２特殊演出モード設定後の特図可変表示の実行回数を計数するためのカウンタをリセットし、演出用ＲＡＭ１２４の所定領域に、第１通常演出ステージを表す通常演出モードを演出モードフラグをＯＮし、第１通常演出ステージ開始コマンドを演出用ＲＡＭ１２４の出力バッファにセットする。演出用ＲＡＭ１２４の出力バッファにセットされた第１通常演出ステージ開始コマンドが、コマンド送信処理（Ｓ４００４）により画像制御基板１４０に送信されると、画像制御基板１４０の画像用ＣＰＵ１４１は、特図可変表示が終了するタイミングで、背景画像を第１通常用背景画像Ｇ１１１に切り替える。また、画像制御基板１４０は、第１通常演出ステージ開始コマンドを受信すると、その次の特図変動演出から、第１通常用演出図柄画像Ｇ５１を用いて演出図柄ＥＺ１〜ＥＺ３の可変表示を行う。
【０４４６】
ステップＳ４３１５において、演出制御用マイコン１２１は、遊技制御基板１００から大当たりオープニングコマンドを受信したか否か、言い換えれば、大当たりオープニングコマンドを受信バッファに格納したか否かを判定する。演出制御用マイコン１２１は、大当たりオープニングコマンドを受信していなければ（Ｓ４３１５でＮＯ）、ステップＳ４３１７に進む一方、大当たりオープニングコマンドを受信していれば（Ｓ４３１５でＹＥＳ）、大当たり遊技のオープニングの開始に伴う大当たりオープニング演出開始処理を行う（Ｓ４３１６）。演出制御用マイコン１２１は、大当たりオープニング演出開始処理では、大当たりオープニングコマンドを解析して、その解析結果に基づいて、これから実行される大当たり遊技のオープニングに応じた大当たりオープニング演出を実行するか否かを判定し、実行するのであれば大当たりオープニング演出の演出内容（大当たりオープニング演出パターン）を選択し、選択した大当たりオープニング演出パターンにて大当たりオープニング演出を開始するための大当たりオープニング演出開始コマンドを演出用ＲＡＭ１２４の出力バッファにセットする。また、演出制御用マイコン１２１は、大当たりオープニング演出開始処理においてＯＮしている演出モードをＯＦＦにして、一旦演出モードをクリアにしても良い。
【０４４７】
ステップＳ４３１７において、演出制御用マイコン１２１は、遊技制御基板１００からラウンド数指定コマンドを受信したか否か、言い換えれば、ラウンド数指定コマンドを受信バッファに格納したか否かを判定する。ラウンド数指定コマンドを受信していなければ（Ｓ４３１７でＮＯ）、ステップＳ４３１９に進む一方、ラウンド数指定コマンドを受信していれば（Ｓ４３１７でＹＥＳ）、ラウンド遊技の開始に伴うラウンド演出開始処理を行う（Ｓ４３１８）。演出制御用マイコン１２１は、ラウンド演出開始処理では、ラウンド数指定コマンドを解析して、これから開始されるラウンド遊技に応じたラウンド演出を実行するか否かを判定し、実行するのであればラウンド演出の演出内容（ラウンド演出パターン）を選択し、選択したラウンド演出パターンに応じたラウンド演出開始コマンドを演出用ＲＡＭ１２４の出力バッファにセットする。
【０４４８】
ステップＳ４３１９において、演出制御用マイコン１２１は、遊技制御基板１００から大当たりエンディングコマンドを受信したか否か、言い換えれば、大当たりエンディングコマンドを受信バッファに格納したか否かを判定する。大当たりエンディングコマンドを受信していなければ（Ｓ４３１９でＮＯ）、ステップＳ４３２２に進む一方、大当たりエンディングコマンドを受信していれば（Ｓ４３１９でＹＥＳ）、大当たり遊技のエンディングの開始に伴う大当たりエンディング演出開始処理（Ｓ４３２０）、および演出モード設定処理（Ｓ４３２１）を行う。
【０４４９】
演出制御用マイコン１２１は、大当たりエンディング演出開始処理において、大当たりエンディングコマンドを解析して、これから実行される大当たり遊技のエンディングに応じた大当たりエンディング演出を実行するか否かを判定し、実行するのであれば大当たりエンディング演出の演出内容（大当たりエンディング演出パターン）を選択し、選択した大当たりエンディング演出パターンに応じた大当たりエンディング演出開始コマンドを演出用ＲＡＭ１２４の出力バッファにセットする。
【０４５０】
また、演出制御用マイコン１２１は、演出モード設定処理において、大当たりエンディングコマンドの解析結果、具体的には、大当たりエンディングコマンドが示す大当たり図柄に基づいて、大当たり遊技後の演出モードを設定する処理（演出モードを制御するための処理）を行う。
【０４５１】
例えば、演出制御用マイコン１２１は、大当たりエンディングコマンドが示す大当たり図柄が、大当たり図柄Ａ、または大当たり図柄Ｄであると、高確率高ベース遊技状態を示唆する確変演出モードに設定する。そして、確変演出モードを示す演出モードフラグを演出用ＲＡＭ１２４の所定領域にＯＮすると共に、確変演出モードを設定することを示す確変演出モード開始コマンドを演出用ＲＡＭ１２４の出力バッファにセットする。演出用ＲＡＭ１２４の出力バッファにセットされた確変演出モード開始コマンドが、コマンド送信処理（Ｓ４００４）により画像制御基板１４０に送信されると、画像制御基板１４０の画像用ＣＰＵ１４１は、エンディングが終了するタイミングで、背景画像として確変用背景画像Ｇ１２０を表示し、ＢＧＭとして確変用ＢＧＭを出力し、右打ち示唆画像Ｇ８２を表示する。すなわち、右打ち報知演出を開始させる。
【０４５２】
また、演出制御用マイコン１２１は、大当たりエンディングコマンドが示す大当たり図柄が、大当たり図柄Ｂ、大当たり図柄Ｃ、大当たり図柄Ｅ、または大当たり図柄Ｆであると、高確率高ベース遊技状態、または低確率高ベース遊技状態の何れであるか判別困難、または判別不可能な時短演出モードを設定する。そして、演出制御用マイコン１２１は、時短演出モードを示す演出モードフラグを演出用ＲＡＭ１２４の所定領域にＯＮすると共に、時短演出モードを設定することを示す時短演出モード開始コマンドを演出用ＲＡＭ１２４の出力バッファにセットする。演出用ＲＡＭ１２４の出力バッファにセットされた時短演出モード開始コマンドが、コマンド送信処理（Ｓ４００４）により画像制御基板１４０に送信されると、画像制御基板１４０の画像用ＣＰＵ１４１は、エンディングが終了するタイミングで、背景画像として時短用背景画像Ｇ１３０を表示し、ＢＧＭとして時短用ＢＧＭを出力し、右打ち示唆画像Ｇ８２および更新演出画像Ｇ８１を表示する。すなわち、右打ち報知演出および更新演出を開始させる。
【０４５３】
ステップＳ４３２２において、演出制御用マイコン１２１は、遊技制御基板１００から遊技状態コマンドを受信したか否か、言い換えれば、遊技状態コマンドを受信バッファに格納したか否かを判定する。演出制御用マイコン１２１は、遊技状態コマンドを受信していなければ（Ｓ４３２２でＮＯ）、ステップＳ４３２４に進む一方、遊技状態コマンドを受信していれば（Ｓ４３２２でＹＥＳ）、遊技状態コマンドを解析して、遊技状態コマンドが表す遊技状態を特定し、遊技状態を設定するための遊技状態設定処理を行う（Ｓ４３２３）。
【０４５４】
演出制御用マイコン１２１は、遊技状態設定処理において、遊技状態コマンドが示す遊技状態に応じた遊技状態フラグを演出用ＲＡＭ１２４の遊技状態フラグ領域に設定する。例えば、演出制御用マイコン１２１は、遊技状態コマンドが示す遊技状態が通常遊技状態であれば遊技状態フラグ「００Ｈ」を演出用ＲＡＭ１２４の遊技状態フラグ領域に設定する。また、演出制御用マイコン１２１は、遊技状態コマンドが示す遊技状態が高確率高ベース遊技状態であれば遊技状態フラグ「０１Ｈ」を演出用ＲＡＭ１２４の遊技状態フラグ領域に設定する。さらに、演出制御用マイコン１２１は、遊技状態コマンドが示す遊技状態が低確率高ベース遊技状態であれば遊技状態フラグ「０２Ｈ」を演出用ＲＡＭ１２４の遊技状態フラグ領域に設定する。
【０４５５】
ステップＳ４３２４において、演出制御用マイコン１２１は、遊技制御基板１００から客待ちコマンドを受信したか否か、言い換えれば、客待ちコマンドを受信バッファに格納したか否かを判定する。演出制御用マイコン１２１は、客待ちコマンドを受信していなければ（Ｓ４３２４でＮＯ）、受信コマンド解析処理を終える一方、客待ちコマンドを受信していれば（Ｓ４３２４でＹＥＳ）、客待ち演出待機処理を行い（Ｓ４３２５）、受信コマンド解析処理を終える。
【０４５６】
演出制御用マイコン１２１は、客待ち演出待機処理では、演出図柄の停止表示が行われてから客待ち演出を開始させるまでの待機時間（客待ち演出待機時間：例えば、２０秒）を客待ち演出タイマにセットする。なお、演出制御用マイコン１２１は、この待機時間が経過したか否かを判定可能であり、待機時間が経過したと判定すると、客待ち演出を開始させるための客待ち演出開始コマンドを演出用ＲＡＭ１２４の出力バッファにセットする。
【０４５７】
７．パチンコ遊技機ＰＹ１の変更例
以下に、本発明に係るパチンコ遊技機ＰＹ１に関する変更例について説明する。通常遊技状態で制御されている中で特殊演出モードを設定するための第１開始条件が設けられているが、第１開始条件に加えて他の開始条件、または第１開始条件に代えて他の開始条件を設けてもよい。他の開始条件としては、例えば第１始動入賞コマンドに含まれる当否情報や特図変動パターンに基づいて特殊演出モードを設定するか否かの判定を行い、特殊演出モードを設定すると判定されると特殊演出モードを設定する。この場合の特殊演出モードの終了条件は、第１終了条件と同一にしても異なるようにしても良い。
【０４５８】
さらに、第１終了条件の内容も適宜に変更しても良い。具体的には、第１終了条件を構成する項目として、終了判定の判定結果、特図可変表示の実行回数、および特図変動パターンの一部のみを設定しても良い。また、これらの項目を適用せず、遊技球の発射球数や特殊演出モードが設定されてから経過した時間など異なる項目を第１終了条件に適用しても良い。さらに、終了判定の判定結果、特図可変表示の実行回数、および特図変動パターンの全て、またはこれらの項目の一部に加えて異なる項目を追加しても良い。また、終了判定で特殊演出モードを終了させる確率や、特図可変表示の実行回数などの各項目に対する数値も適宜に設定しても良い。
【０４５９】
また、第１開始条件の成立により設定される特殊演出モードが終了した後に設定される演出ステージも適宜に設定可能である。例えば、第１開始条件の成立により設定された特殊演出モードが終了した後に、当該第１開始条件成立時の通常演出モードが設定されるようにしても良い。または、特殊演出モードが終了するときに抽選などになり、その都度、第１通常演出ステージ、第２通常演出ステージ、および第３通常演出ステージの中の何れか１つに決定するようにしても良い。また、通常演出ステージの数も３つに限られず、２つや４つ以上に設定しても良い。
【０４６０】
さらに、パチンコ遊技機ＰＹ１では、遊技状態の変更に基づいて特殊演出モードが設定されるための条件として第２開始条件が設けられているが、第２開始条件は適宜に変更可能である。例えば、大当たり遊技後に高確率高ベース遊技状態が設定される場合の継続期間として特図可変表示の実行回数を設け、大当たりに当選することなくその実行回数の特図可変表示が実行されると通常遊技状態が設定されるようにしておく。そして、通常遊技状態が設定される際に特殊演出モードが設定されるようにしても良い。
【０４６１】
この場合、時短演出モードが設定されている場合のみ特殊演出モードが設定され、確変演出モードが設定されている場合は特殊演出モードが設定されず、第１通常演出ステージの通常演出モードが設定されるようにしても良い。反対に、確変演出モードが設定されている場合のみ特殊演出モードが設定され、時短演出モードが設定されている場合は特殊演出モードが設定されず、第１通常演出ステージの通常演出モードが設定されるようにしても良い。さらには、確変演出モードおよび時短演出モードの何れの場合であっても、通常遊技状態が設定されるときに特殊演出モードが設定されるようにしても良い。なお、遊技者に有利な遊技状態から通常遊技状態が設定される際に特殊演出モードを設定するか否かの判定を行い、特殊演出モードを設定すると判定された場合は特殊演出モードを設定し、特殊演出モードを設定すると判定されなかった場合は通常演出モードを設定するようにしても良い。
【０４６２】
また、高確率高ベース遊技状態や低確率高ベース遊技状態から通常遊技状態に変更された場合に設定される特殊演出モードの継続期間、すなわち、その場合の特殊演出モードの第２終了条件も適宜に設定可能である。さらには、通常遊技状態が設定される前の遊技状態に応じて特殊演出モードの終了条件が異なるようにしても良い。また、この場合の第２終了条件を複数設定しておき、所定の順序でまたはその都度抽選で終了条件が変化するようにしても良い。
【０４６３】
さらに、高確率高ベース遊技状態や低確率高ベース遊技状態から通常遊技状態に変更された場合に設定される特殊演出モードが終了した後の演出モードも適宜に設定しても良い。例えば、この場合の演出モードを、大当たり当選したときの通常演出ステージにしても良い。
【０４６４】
なお、通常遊技状態において大当たり当選し、大当たり遊技が実行されて大当たり遊技後に、遊技者に有利な高確率高ベース遊技状態、および低確率高ベース遊技状態で遊技が制御されるときに特殊演出モードが設定されるようにしても良い。さらには、大当たり遊技が実行された後に、高確率低ベース遊技状態、または低確率低ベース遊技状態で遊技を制御可能にしておき、これらの遊技状態で遊技が制御されているときに所定期間、特殊演出モードを設定可能にしても良い。また、大当たり遊技後に高確率高ベース遊技状態、および低確率高ベース遊技状態で遊技が制御可能であり、これらの遊技状態に専用の演出モードが設定され、高確率高ベース遊技状態は特図可変表示が所定回数実行されたら終了するようにし、専用の演出モードで所定回数の特図可変表示が実行されたら特殊演出モードが設定されるようにしても良い。さらに、高確率高ベース遊技状態、および低確率高ベース遊技状態において、通常演出ステージのように、同一の遊技状態における下位の演出モードを設定してもよい。この場合、その遊技状態が設定されてからの特図可変表示の実行回数に基づいて下位の演出モードが切り替わるようにしても良い。そして、先読み判定結果や特図抽選結果に基づいて、あるいはこれらの結果とは関係なく、特殊演出モードが設定されるようにしても良い。
【０４６５】
また、特殊演出モードを複数設定しておき、前述の第１開始条件〜第２開始条件の全てあるいは何れかが成立した場合は、所定の抽選によって何れかの特殊演出モードが選択されるようにしても良い。後者の場合は、それ以外は予め定められた種類の特殊演出モードが設定されるようにしても良い。また、特殊演出モードの設定が先読み演出として行われる場合は、特殊演出モードの種類によって大当たり期待度が異なるようにしても良い。
【０４６６】
あるいは、特殊演出モードが複数設定されている場合、ある特殊演出モードから他の特殊演出モードに変化するようにしても良い。この場合の特殊演出モードの切り替え条件は、適宜に設定可能であるが、第１終了条件や第２終了条件のように、当該切り替え条件に特図可変表示の実行回数、特図変動パターン、および判定など関連付けることができる。
【０４６７】
また、パチンコ遊技機ＰＹ１では、台詞予告、バット予告、およびカットイン予告など通常演出モード毎に異なる種類の予告演出が設けられ、これらの予告演出は特殊演出モードでも実行可能であるが、このような演出として特図変動演出における予告演出以外に、保留変化予告などの先読み演出やＬリーチ・ＳＰリーチなどの他の大当たり期待度を示唆する演出に適用しても良い。また、このような演出は、各通常演出モードにおいて複数設定されても良い。
【０４６８】
また、各通常演出ステージで実行可能であるが他の通常演出ステージでは実行されない予告演出を、その通常演出ステージ用の演出図柄画像を用いて行っても良い。この場合、第１通常演出ステージであれば、第１通常用演出図柄画像Ｇ５１を用いた予告演出を実行可能にし、第２通常演出ステージであれば、第２通常用演出図柄画像Ｇ５２を用いた予告演出を実行可能にし、第３通常演出ステージであれば、第３通常用演出図柄画像Ｇ５３を用いた予告演出を実行可能にする。そして、特殊演出モードでは、当該特殊演出モードに係る第１開始条件が成立したときに滞在していた通常演出ステージ用の通常用演出図柄画像Ｇ５１〜Ｇ５３を用いた予告演出を実行可能にしても良い。これらの場合、例えば、所謂「疑似連」を、通常用演出図柄画像Ｇ５１〜Ｇ５３を用いた予告演出として実行しても良い。さらには、通常用演出図柄画像Ｇ５１〜Ｇ５３が、演出図柄の変動表示、リーチ、および疑似連とは異なるアクションを起こす、あるいは挙動を示す予告演出を実行可能にしても良い。このように通常用演出図柄画像Ｇ５１〜Ｇ５３を用いたその通常演出ステージ用の予告演出を実行する場合、各通常演出ステージで、通常用演出図柄画像Ｇ５１〜Ｇ５３が同じ動作を行うようにしても良い。すなわち、用いられる通常用演出図柄画像の種類が異なるが、予告演出としての動作は同じようにしても良い。また、各通常演出ステージによって、予告演出の種類である通常用演出図柄画像Ｇ５１〜Ｇ５３の動作が異なるようにしても良い。
【０４６９】
さらに、各通常演出モードにおいて、その通常演出モード用の予告演出以外に通常演出モードの全ての通常演出モードまたは一部の複数の通常演出モードに共通の予告演出を実行可能に構成しても良い。
【０４７０】
また、何れの通常演出モードにおいても群予告を実行可能であり、通常演出モードの種類によって群予告に用いられる画像が異なるよう構成されているが、このような演出はＮリーチ中の第２予告演出以外の予告演出や保留変化予告などの先読み演出に適用しても良い。
【０４７１】
さらに、各通常演出モードにおける第１予告演出の実行確率を一定にしているが、通常演出モード毎に第１予告演出の実行確率が異なるようにしても良い。また、通常演出モードの予告演出の演出種別は３つで統一されているが、通常演出モードにおける各予告演出毎に異なる数の演出種別が設定されていても良い。加えて、通常演出モードの予告演出の演出種別に対する選択率が統一されているが、通常演出モードにおける予告演出毎に演出種別の選択率が異なるように設定しても良い。
【０４７２】
さらに、パチンコ遊技機ＰＹ１で、実行可能な予告演出を演出ボタン４０ｋ、４１ｋの操作を伴う操作演出として実行しても良い。また、前述の予告演出は主に表示部５０ａにおける画像の表示で構成されているが、画像の具体的な内容は特に制限されず、適宜に設定しても良い。また、予告演出を画像の表示に加えて、または画像の表示に代えて、スピーカ５２からの音声の出力、枠ランプ５３による発光、盤可動体５５ｋによる動作で行っても良い。
【０４７３】
また、パチンコ遊技機ＰＹ１では、大当たり遊技で大入賞口１４が開放可能であるが、大入賞口１４以外にも大当たり遊技で開放可能な入賞領域を設けても良い。
【０４７４】
また、パチンコ遊技機ＰＹ１では、特定の大当たり図柄種別に判定されると、必ず大当たり遊技後に高確率状態にて遊技が進行する。すなわち、高確率状態の設定が大当たり図柄種別に対応付けられている。しかしながら、高確率状態の設定条件を変更してもよい。例えば、大入賞装置１４Ｄとは別に、開閉可能であり、開放時に遊技球が入球可能な第２大入賞装置を遊技領域６の遊技球が到達可能な位置に設けておき、大当たり遊技中の所定のラウンド遊技において第２大入賞装置が開放して第２大入賞装置に入球した遊技球が、その下流側に設けられた特定領域を通過すると、大当たり遊技の終了に伴って高確率状態が設定されるようにしてもよい。
【０４７５】
この場合、例えば第２大入賞装置が入球容易な時間（例えば、２９．５秒）開放する特定の大当たり図柄（高確率状態を設定させ易い大当たり図柄）と、第２大入賞装置が入球艱難な時間（例えば、０．５秒）開放する非特定の大当たり図柄（高確率状態を設定させ難い大当たり図柄）と、を設けることができる。また、第２大入賞装置に入賞した遊技球が通過可能な領域として特定領域と非特定領域があり、遊技球を特定領域と非特定領域に振り分ける振分装置を設けておく。そして、第２大入賞装置の開放時間は同じであるが、第２大入賞装置の開放態様と振分装置の作動態様との組み合わせで、高確率状態を設定させ易い大当たり図柄と高確率状態を設定させ難い大当たり図柄を設けることも可能である。
【０４７６】
また、パチンコ遊技機ＰＹ１では、遊技の進行に係る基本的な制御を遊技制御基板１００が行い、遊技の進行（遊技の制御）に応じた演出の進行に係る基本的な制御を演出制御基板１２０が行うというように、遊技の制御と演出の制御とを異なる基板で行っているが、一つの基板で行うよう構成しても良い。この場合、画像制御基板１４０を、その一つの基板に含めても良く、また、その一つの基板とは別に設けても良い。
【０４７７】
また、本発明の遊技機を、アレンジボール機、雀球遊技機等の他の弾球遊技機や回胴式遊技機（所謂「スロットマシーン」）などに適用することも可能である。
【０４７８】
８．実施形態に開示されている発明
この［発明を実施するための形態］における前段落までには、以下の発明Ａ〜発明Ｃが開示されている。発明Ａ〜発明Ｃの説明では、前述した発明を実施する形態における対応する構成の名称や表現、図面に使用した符号を参考のためにかっこ書きで付記している。但し、各発明を構成する手段などの要素はこの付記に限定されるものではない。なお、発明Ａは、以下の発明Ａ１〜Ａ４の総称であり、発明Ｂは、以下の発明Ｂ１〜Ｂ３の総称であり、発明Ｃは、以下の発明Ｃ１〜Ｃ３の総称である。
【０４７９】
８−１−１．発明Ａ１
発明Ａ１に係る遊技機は、
所定の遊技状態（通常遊技状態など）にすることが可能な遊技機において、
表示手段を用いて所定の演出を実行するための演出モードを設定可能な演出実行手段（演出制御用マイコン１２１）を備え、
前記演出実行手段は、
前記所定の遊技状態において、前記演出モードとして、第１演出モード（第１通常演出ステージ）、第２演出モード（第２通常演出ステージ）、および特定演出モードを含む複数の演出モード（特殊演出モード）の何れかを設定することがあり、
前記第１演出モード、前記第２演出モード、および前記特定演出モードのそれぞれにおいて、前記表示手段に、演出図柄（演出図柄ＥＺ１〜ＥＺ３）を可変表示することが可能であり、
前記第１演出モードを設定しているときに、前記第１演出モードから前記第２演出モードに変更する場合と、前記第１演出モードから前記特定演出モードに変更する場合と、があり、
前記第１演出モードから前記第２演出モードに変更する場合、前記演出図柄の表示態様を変更することがあり、
前記第１演出モードから前記特定演出モードに変更する場合、前記演出図柄の表示態様を変更しないことを特徴とする。
【０４８０】
８−１−２．発明Ａ２
発明Ａ２に係る遊技機は、
発明Ａ１に係る遊技機であって、
前記演出実行手段は、前記第１演出モードにおいて前記演出図柄を表示しているときに前記第１演出モードから前記第２演出モードに変更する場合、前記演出図柄を一旦非表示にしてから再表示し、当該再表示に伴って前記演出図柄の表示態様を変更することを特徴とする。
【０４８１】
８−１−３．発明Ａ３
発明Ａ３に係る遊技機は、
発明Ａ１または発明Ａ２に係る遊技機であって、
前記演出実行手段は、前記第１演出モードにおいて前記演出図柄を表示しているときに前記第１演出モードから前記特定演出モードに変更する場合、前記演出図柄を特定態様で停止表示させることを特徴とする。
【０４８２】
８−１−４．発明Ａ４
発明Ａ４に係る遊技機は、
発明Ａ１乃至発明Ａ３の何れか１つに係る遊技機であって、
前記所定の遊技状態を含む複数の遊技状態の間で遊技状態を変更可能な遊技状態制御手段をさらに備えることを特徴とする。
【０４８３】
８−２−１．発明Ｂ１
発明Ｂ１に係る遊技機は、
遊技者に有利な特別遊技状態（大当たり遊技状態、高確率状態、時短状態など）にすることが可能な遊技機において、
所定の演出を実行するための演出モードを設定可能な演出実行手段（演出制御用マイコン１２１）を備え、
前記演出実行手段は、
前記演出モードとして、第１演出モード（第１通常演出ステージ）、第２演出モード（第２通常演出ステージ）、および特定演出モード（特殊演出モード）を含む複数の演出モードの何れかを設定することがあり、
前記特別遊技状態になる可能性を示唆する示唆演出を実行することがあり、
前記第１演出モードにおいて、前記示唆演出として第１示唆演出（台詞予告）を実行することがあり、
前記第２演出モードにおいて、前記示唆演出として第２示唆演出（バット予告）を実行することがあり、
前記特定演出モードにおいて、前記示唆演出として、前記第１示唆演出を実行するときと、前記第２示唆演出を実行するときがあることを特徴とする。
【０４８４】
８−２−２．発明Ｂ２
発明Ｂ２に係る遊技機は、
発明Ｂ１に係る遊技機であって、
表示手段（画像表示装置５０）をさらに備え、
前記演出実行手段は、
前記表示手段に演出図柄（演出図柄ＥＺ１〜ＥＺ３）を可変表示することがあり、
前記第１演出モードにおいて前記演出図柄を第１の表示態様（第１通常用演出図柄画像Ｇ５１）で表示するときがあり、
前記第２演出モードにおいて前記演出図柄を第２の表示態様（第２通常用演出図柄画像Ｇ５２）で表示するときがあり、
前記特定演出モードにおいて、前記演出図柄を前記第１の表示態様で表示するときと、前記演出図柄を前記第２の表示態様で表示するときとがあることを特徴とする。
【０４８５】
８−２−３．発明Ｂ３
発明Ｂ３に係る遊技機は、
発明Ｂ２に係る遊技機であって、
前記第１示唆演出は、前記第１の表示態様の前記演出図柄を用いた演出であり、
前記第２示唆演出は、前記第２の表示態様の前記演出図柄を用いた演出であることを特徴とする。
【０４８６】
８−３−１．発明Ｃ１
発明Ｃ１に係る遊技機は、
表示手段（画像表示装置５０）を用いて所定の演出を実行するための演出モードを設定可能な演出実行手段（演出制御用マイコン１２１）を備え、
前記演出実行手段は、
前記演出モードとして、第１演出モード（第１通常演出ステージ）、第２演出モード（時短演出モード）、および特定演出モード（特殊演出モード）を含む複数の演出モードの何れかを設定することがあり、
前記第１演出モード、前記第２演出モード、および前記特定演出モードのそれぞれにおいて、前記表示手段に、演出図柄を可変表示することが可能であり、
前記第１演出モードを設定しているときに前記第１演出モードから前記特定演出モードに変更するときと、前記第２演出モードを設定しているときに前記第２演出モードから前記特定演出モードに変更するときと、があり、
前記第２演出モードから前記特定演出モードに変更する場合に、前記演出図柄の表示態様を変更することがあり、
前記第１演出モードから前記特定演出モードに変更する場合に、前記演出図柄の表示態様を変更しないことを特徴とする。
【０４８７】
８−３−２．発明Ｃ２
発明Ｃ２に係る遊技機は、
発明Ｃ１に係る遊技機であって、
第１の遊技状態（通常遊技状態）、および第２の遊技状態（低確率高ベース遊技状態）を含む複数の遊技状態の何れかを設定することが可能な遊技状態制御手段をさらに備え、
前記遊技状態制御手段は、前記第２の遊技状態から前記第１の遊技状態に変更することがあり、
前記演出実行手段は、
前記第１の遊技状態において、前記第１演出モード、および特定演出モードの何れかを設定することがあり、
前記第２の遊技状態において、前記第２演出モードの何れかを設定することがあり、
前記第２の遊技状態から前記第１の遊技状態への変更に伴って、前記第２演出モードから前記特定演出モードに変更することがあり、
前記第１の遊技状態において、前記第１演出モードから前記特定演出モードに変更することがあることを特徴とする。
【０４８８】
８−３−３．発明Ｃ３
発明Ｃ３に係る遊技機は、
発明Ｃ２に係る遊技機であって、
前記第１の遊技状態は、通常の遊技状態であり、
前記第２の遊技状態は前記第１の遊技状態よりも遊技者に有利な遊技状態であることを特徴とする。
【符号の説明】
【０４８９】
ＰＹ１…パチンコ遊技機
１…遊技盤
１１…第１始動口
１１ａ…第１始動口センサ
１２…第２始動口
１２ａ…第２始動口センサ
１４…大入賞口
１４ａ…大入賞口センサ
５０…画像表示装置
５０ａ…表示部
５２…スピーカ
５３…枠ランプ
５５…盤可動装置
５５ｋ…盤可動体
５５ｋ１…回転部材
５５ｋ２…昇降部材
５５ｍ１…回転部材用モータ
５５ｍ２…昇降部材用モータ
１００…遊技制御基板
１０１…遊技制御用マイコン
１２０…演出制御基板
１２１…演出制御用マイコン
１４０…画像制御基板
【図１】
2020028761.tif 000003
【図２】
2020028761.tif 000004
【図３】
2020028761.tif 000005
【図４】
2020028761.tif 000006
【図５】
2020028761.tif 000007
【図６】
2020028761.tif 000008
【図７】
2020028761.tif 000009
【図８】
2020028761.tif 000010
【図９】
2020028761.tif 000011
【図１０】
2020028761.tif 000012
【図１１】
2020028761.tif 000013
【図１２】
2020028761.tif 000014
【図１３】
2020028761.tif 000015
【図１４】
2020028761.tif 000016
【図１５】
2020028761.tif 000017
【図１６】
2020028761.tif 000018
【図１７】
2020028761.tif 000019
【図１８】
2020028761.tif 000020
【図１９】
2020028761.tif 000021
【図２０】
2020028761.tif 000022
【図２１】
2020028761.tif 000023
【図２２】
2020028761.tif 000024
【図２３】
2020028761.tif 000025
【図２４】
2020028761.tif 000026
【図２５】
2020028761.tif 000027
【図２６】
2020028761.tif 000028
【図２７】
2020028761.tif 000029
【図２８】
2020028761.tif 000030
【図２９】
2020028761.tif 000031
【図３０】
2020028761.tif 000032
【図３１】
2020028761.tif 000033
【図３２】
2020028761.tif 000034
【図３３】
2020028761.tif 000035
【図３４】
2020028761.tif 000036
【図３５】
2020028761.tif 000037
【図３６】
2020028761.tif 000038
【図３７】
2020028761.tif 000039
【図３８】
2020028761.tif 000040
【図３９】
2020028761.tif 000041
【図４０】
2020028761.tif 000042
【図４１】
2020028761.tif 000043
【図４２】
2020028761.tif 000044
【図４３】
2020028761.tif 000045
【図４４】
2020028761.tif 000046
【図４５】
2020028761.tif 000047
【図４６】
2020028761.tif 000048
【図４７】
2020028761.tif 000049
【図４８】
2020028761.tif 000050
【図４９】
2020028761.tif 000051
【図５０】
2020028761.tif 000052
【図５１】
2020028761.tif 000053
【図５２】
2020028761.tif 000054
【図５３】
2020028761.tif 000055
【図５４】
2020028761.tif 000056
【図５５】
2020028761.tif 000057
【図５６】
2020028761.tif 000058
【図５７】
2020028761.tif 000059
【図５８】
2020028761.tif 000060
【図５９】
2020028761.tif 000061
【図６０】
2020028761.tif 000062
【図６１】
2020028761.tif 000063
【図６２】
2020028761.tif 000064
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
第１の遊技状態、および前記第１の遊技状態よりも遊技者に有利な第２の遊技状態を含む複数の遊技状態の何れかを設定する遊技状態制御手段と、
表示手段において演出図柄の可変表示を行うことが可能な演出実行手段と、を備え、
前記遊技状態制御手段は、前記第２の遊技状態から前記第１の遊技状態に変更することがあり、
前記演出図柄には、第１演出図柄、および第２演出図柄を含む複数の種類があり、
前記演出図柄の可変表示が行われるときの演出モードには、電源投入時に設定され、前記第１演出図柄が用いられる第１演出モード、前記第２演出図柄が用いられる第２演出モード、および特定演出モードを含む複数の種類がある遊技機において、
前記演出実行手段は、
前記第１の遊技状態において、前記第１演出モードを設定するときと、前記特定演出モードを設定するときとがあり、
前記第２の遊技状態において、前記第２演出モードを設定することがあり、
前記第２の遊技状態から前記第１の遊技状態への変更に伴って、前記第２演出モードから前記特定演出モードに変更することがあり、この場合、前記可変表示に用いる前記演出図柄を前記第２演出図柄から前記第１演出図柄に変更し、当該特定演出モードにおいて、前記第１演出図柄を用いた可変表示を行い、
前記第１の遊技状態が設定されているときに、前記第１演出モードから前記特定演出モードに変更することがあり、この場合、前記可変表示に用いる前記演出図柄を前記第１演出図柄から変更せずに、当該特定演出モードにおいて、前記第１演出図柄を用いた可変表示を行い、
前記第１の遊技状態が設定されているときに、前記特定演出モードから前記第１演出モードに変更することがあることを特徴とする遊技機。
【手続補正２】
【補正対象書類名】明細書
【補正対象項目名】０００６
【補正方法】変更
【補正の内容】
【０００６】
本発明に係る遊技機は、
第１の遊技状態、および前記第１の遊技状態よりも遊技者に有利な第２の遊技状態を含む複数の遊技状態の何れかを設定する遊技状態制御手段と、
表示手段において演出図柄の可変表示を行うことが可能な演出実行手段と、を備え、
前記遊技状態制御手段は、前記第２の遊技状態から前記第１の遊技状態に変更することがあり、
前記演出図柄には、第１演出図柄、および第２演出図柄を含む複数の種類があり、
前記演出図柄の可変表示が行われるときの演出モードには、電源投入時に設定され、前記第１演出図柄が用いられる第１演出モード、前記第２演出図柄が用いられる第２演出モード、および特定演出モードを含む複数の種類がある遊技機において、
前記演出実行手段は、
前記第１の遊技状態において、前記第１演出モードを設定するときと、前記特定演出モードを設定するときとがあり、
前記第２の遊技状態において、前記第２演出モードを設定することがあり、
前記第２の遊技状態から前記第１の遊技状態への変更に伴って、前記第２演出モードから前記特定演出モードに変更することがあり、この場合、前記可変表示に用いる前記演出図柄を前記第２演出図柄から前記第１演出図柄に変更し、当該特定演出モードにおいて、前記第１演出図柄を用いた可変表示を行い、
前記第１の遊技状態が設定されているときに、前記第１演出モードから前記特定演出モードに変更することがあり、この場合、前記可変表示に用いる前記演出図柄を前記第１演出図柄から変更せずに、当該特定演出モードにおいて、前記第１演出図柄を用いた可変表示を行い、
前記第１の遊技状態が設定されているときに、前記特定演出モードから前記第１演出モードに変更することがあることを特徴とする。